(57)【要約】  アップリンク同期方法及び装置が提供される。方法は：ネットワーク・デバイスにより、タイミング・アドバンス・コマンドを通信デバイスに送信するステップであって、タイミング・アドバンス・コマンドはタイミング・アドバンスＴＡリファレンス値を含み、ＴＡリファレンス値はタイミング・アドバンス・グループＴＡＧ内のキャリアに対応する、ステップ；通信デバイスにより、キャリアのキャリア情報に基づいてキャリアのＴＡオフセットを決定するステップ；及び通信デバイスにより、ＴＡリファレンス値とキャリアのＴＡオフセットとに基づいてキャリアのアップリンク送信タイミングを調整するステップを含む。これは、ＮＲシステムの端末間のアップリンク同期外れの問題を解決することができる。
2021517442.tif 000002
【特許請求の範囲】
【請求項１】
アップリンク同期方法であって：
ネットワーク・デバイスにより送信されたタイミング・アドバンス・コマンドを通信デバイスにより受信するステップであって、前記タイミング・アドバンス・コマンドはタイミング・アドバンスＴＡリファレンス値を含み、前記ＴＡリファレンス値はタイミング・アドバンス・グループＴＡＧ内のキャリアに対応する、ステップ；
前記通信デバイスにより、前記キャリアのキャリア情報に基づいて前記キャリアのＴＡオフセットを決定するステップ；及び
前記通信デバイスにより、前記キャリアの前記ＴＡオフセットと前記ＴＡリファレンス値とに基づいて前記キャリアのアップリンク送信タイミングを調整するステップ；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、方法。
【請求項２】
前記通信デバイスにより、前記ＴＡリファレンス値と前記キャリアの前記ＴＡオフセットとに基づいて前記キャリアのアップリンク送信タイミングを調整する前記ステップは：
前記ＴＡＧが複数のキャリアを含む場合に、前記通信デバイスにより、前記ＴＡリファレンス値と最大ＴＡオフセットとに基づいて、前記ＴＡＧ内の前記複数のキャリアのアップリンク送信タイミングを調整するステップであって、前記最大ＴＡオフセットは前記複数のキャリアのＴＡオフセットの最大値である、ステップ；
を含む、請求項１に記載の方法。
【請求項３】
前記通信デバイスにより、前記キャリアのキャリア情報に基づいて前記キャリアのＴＡオフセットを決定する前記ステップは：
前記通信デバイスにより、前記キャリアの周波数バンドに基づいて前記キャリアの前記ＴＡオフセットを決定するステップ；
を含み、前記キャリアの前記周波数バンドが特定の周波数値未満である場合に決定されるＴＡオフセットは、前記キャリアの前記周波数バンドが前記特定の周波数値以上である場合に決定されるＴＡオフセットより大きい、請求項１又は２に記載の方法。
【請求項４】
前記通信デバイスにより、前記キャリアのキャリア情報に基づいて前記キャリアのＴＡオフセットを決定する前記ステップは：
前記通信デバイスにより、前記キャリアのサブキャリア間隔に基づいて各キャリアの前記ＴＡオフセットを決定するステップ；
を含み、前記キャリアの前記サブキャリア間隔が特定の値未満である場合に決定されるＴＡオフセットは、前記キャリアの前記サブキャリア間隔が前記特定の値以上である場合に決定されるＴＡオフセットより大きい、請求項１〜３のうちの何れか１項に記載の方法。
【請求項５】
前記ＴＡＧ内の前記キャリアに対応する前記サブキャリア間隔は６０ｋＨｚ以下である、又は前記ＴＡＧ内の前記キャリアに対応する前記サブキャリア間隔は６０ｋＨｚより大きい、請求項１〜４のうちの何れか１項に記載の方法。
【請求項６】
前記ＴＡＧ内の前記キャリア全ての前記ＴＡオフセットは別々に設定されている、請求項１〜４のうちの何れか１項に記載の方法。
【請求項７】
アップリンク同期方法であって：
通信デバイスにより送信されたアップリンク信号に基づいてアップリンク・タイミング・アドバンスとＴＡオフセットとをネットワーク・デバイスにより決定するステップ；
前記ネットワーク・デバイスにより、前記アップリンク・タイミング・アドバンスと前記ＴＡオフセットとに基づいてＴＡリファレンス値を決定するステップであって、前記ＴＡリファレンス値はタイミング・アドバンス・グループＴＡＧ内のキャリアに対応し、前記ＴＡリファレンス値は前記アップリンク・タイミング・アドバンスと前記ＴＡオフセットとの間の差分である、ステップ；及び
前記ネットワーク・デバイスにより、タイミング・アドバンス・コマンドを前記通信デバイスに送信するステップであって、前記タイミング・アドバンス・コマンドは前記ＴＡリファレンス値を含む、ステップ；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、方法。
【請求項８】
前記ネットワーク・デバイスにより、前記アップリンク・タイミング・アドバンスと前記ＴＡオフセットとに基づいてＴＡリファレンス値を決定する前記ステップは：
前記ネットワーク・デバイスにより、前記アップリンク・タイミング・アドバンスと最大ＴＡオフセットとに基づいて前記ＴＡリファレンス値を決定するステップであって、前記最大ＴＡオフセットは前記通信デバイスに応対する前記ＴＡＧ内の前記複数のキャリアのＴＡオフセットの最大値である、ステップ；
を含む、請求項７に記載の方法。
【請求項９】
通信デバイスにより送信されたアップリンク信号に基づいてＴＡオフセットをネットワーク・デバイスにより決定する前記ステップは：
前記ネットワーク・デバイスにより、前記キャリアの周波数バンドに基づいて前記アップリンク信号のキャリアのＴＡオフセットを決定するステップ；
を含み、前記キャリアの前記周波数バンドが特定の周波数値未満である場合に決定されるＴＡオフセットは、前記キャリアの前記周波数バンドが前記特定の周波数値以上である場合に決定されるＴＡオフセットより大きい、請求項７又は８に記載の方法。
【請求項１０】
通信デバイスにより送信されたアップリンク信号に基づいてＴＡオフセットをネットワーク・デバイスにより決定する前記ステップは：
前記ネットワーク・デバイスにより、前記通信デバイスにより送信された前記アップリンク信号のキャリアのサブキャリア間隔に基づいて各キャリアの前記ＴＡオフセットを決定するステップ；
を含み、前記キャリアの前記サブキャリア間隔が特定の値未満である場合に決定されるＴＡオフセットは、前記キャリアの前記サブキャリア間隔が前記特定の値以上である場合に決定されるＴＡオフセットより大きい、請求項７又は８に記載の方法。
【請求項１１】
前記ＴＡＧ内の前記キャリアに対応する前記サブキャリア間隔は６０ｋＨｚ以下である、又は前記ＴＡＧ内の前記キャリアに対応する前記サブキャリア間隔は６０ｋＨｚより大きい、請求項７〜１０のうちの何れか１項に記載の方法。
【請求項１２】
前記ＴＡＧ内の前記キャリア全ての前記ＴＡオフセットは別々に設定されている、請求項７〜１０のうちの何れか１項に記載の方法。
【請求項１３】
少なくとも１つのプロセッサと少なくとも１つのメモリとを含む装置であって、前記プロセッサは請求項１〜１２のうちの何れか１項に記載のアップリンク同期方法を実行するように構成されており、前記メモリは前記プロセッサに結合されている、装置。
【請求項１４】
装置であって、前記装置は：
ネットワーク・デバイスにより送信されたタイミング・アドバンス・コマンドを受信するように構成された受信ユニットであって、前記タイミング・アドバンス・コマンドはタイミング・アドバンスＴＡリファレンス値を含み、前記ＴＡリファレンス値はタイミング・アドバンス・グループＴＡＧ内のキャリアに対応する、受信ユニット；
前記キャリアのキャリア情報に基づいて前記キャリアのＴＡオフセットを決定し、前記キャリアの前記ＴＡオフセットと前記ＴＡリファレンス値とに基づいて前記キャリアのアップリンク送信タイミングを調整するように構成された処理ユニット；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、装置。
【請求項１５】
前記ＴＡＧが複数のキャリアを含む場合に、前記処理ユニットは、具体的に：
前記ＴＡリファレンス値と最大ＴＡオフセットとに基づいて、前記ＴＡＧ内の前記複数のキャリアのアップリンク送信タイミングを調整するように構成されており、前記最大ＴＡオフセットは前記複数のキャリアのＴＡオフセットの最大値である、請求項１４に記載の装置。
【請求項１６】
前記処理ユニットは、具体的に：
前記キャリアの周波数バンドに基づいて前記キャリアの前記ＴＡオフセットを決定するように構成されており；
前記キャリアの前記周波数バンドが特定の周波数値未満である場合に決定されるＴＡオフセットは、前記キャリアの前記周波数バンドが前記特定の周波数値以上である場合に決定されるＴＡオフセットより大きい、請求項１４又は１５に記載の装置。
【請求項１７】
前記処理ユニットは、具体的に：
前記キャリアのサブキャリア間隔に基づいて各キャリアの前記ＴＡオフセットを決定するように構成されており；
前記キャリアの前記サブキャリア間隔が特定の値未満である場合に決定されるＴＡオフセットは、前記キャリアの前記サブキャリア間隔が前記特定の値以上である場合に決定されるＴＡオフセットより大きい、請求項１４〜１６のうちの何れか１項に記載の装置。
【請求項１８】
前記ＴＡＧ内の前記キャリアに対応する前記サブキャリア間隔は６０ｋＨｚ以下である、又は前記ＴＡＧ内の前記キャリアに対応する前記サブキャリア間隔は６０ｋＨｚより大きい、請求項１４〜１７のうちの何れか１項に記載の装置。
【請求項１９】
前記ＴＡＧ内の前記キャリア全ての前記ＴＡオフセットは別々に設定されている、請求項１４〜１７のうちの何れか１項に記載の装置。
【請求項２０】
装置であって、前記装置は：
通信デバイスにより送信されたアップリンク信号に基づいてアップリンク・タイミング・アドバンスとＴＡオフセットとを決定し、前記アップリンク・タイミング・アドバンスに基づいてＴＡリファレンス値を決定するように構成された処理ユニットであって、前記ＴＡリファレンス値はタイミング・アドバンス・グループＴＡＧ内のキャリアに対応し、前記ＴＡリファレンス値は前記アップリンク・タイミング・アドバンスと前記ＴＡオフセットとの間の差分である、処理ユニット；及び
タイミング・アドバンス・コマンドを前記通信デバイスに送信するように構成された送信ユニットであって、前記タイミング・アドバンス・コマンドは前記ＴＡリファレンス値を含む、送信ユニット；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、装置。
【請求項２１】
前記処理ユニットは、具体的に：
前記アップリンク・タイミング・アドバンスと最大ＴＡオフセットとに基づいて前記ＴＡリファレンス値を決定するように構成されており、前記最大ＴＡオフセットは前記通信デバイスに応対する前記ＴＡＧ内の前記複数のキャリアのＴＡオフセットの最大値である、請求項２０に記載の装置。
【請求項２２】
前記処理ユニットは、具体的に：
前記キャリアの周波数バンドに基づいて前記キャリアの前記ＴＡオフセットを決定するように構成されており、
前記キャリアの前記周波数バンドが特定の周波数値未満である場合に決定されるＴＡオフセットは、前記キャリアの前記周波数バンドが前記特定の周波数値以上である場合に決定されるＴＡオフセットより大きい、請求項２０に記載の装置。
【請求項２３】
前記処理ユニットは、具体的に：
前記キャリアのサブキャリア間隔に基づいて各キャリアの前記ＴＡオフセットを決定するように構成されており、
前記キャリアの前記サブキャリア間隔が特定の値未満である場合に決定されるＴＡオフセットは、前記キャリアの前記サブキャリア間隔が前記特定の値以上である場合に決定されるＴＡオフセットより大きい、請求項２０又は２２に記載の装置。
【請求項２４】
前記ＴＡＧ内の前記キャリアに対応する前記サブキャリア間隔は６０ｋＨｚ以下である、又は前記ＴＡＧ内の前記キャリアに対応する前記サブキャリア間隔は６０ｋＨｚより大きい、請求項２０〜２３のうちの何れか１項に記載の装置。
【請求項２５】
前記ＴＡＧ内の前記キャリア全ての前記ＴＡオフセットは別々に設定されている、請求項２０〜２３のうちの何れか１項に記載の装置。
【請求項２６】
アップリンク同期方法であって：
第２ＴＡＧ内の第２アップリンク・キャリアの第２ＴＡオフセットと第２ＴＡリファレンス値とを第２ネットワーク・デバイスから取得するように、第１ネットワーク・デバイスにより要求するステップであって、前記第２ＴＡＧは第２通信規格の前記第２ネットワーク・デバイスに対応する、ステップ；
前記第２ＴＡリファレンス値と前記第２ＴＡオフセットとに基づいて、第１ＴＡＧ内の第１アップリンク・キャリアの第１ＴＡリファレンス値を、前記第１ネットワーク・デバイスにより決定するステップであって、前記第１ＴＡＧは第１通信規格の前記第１ネットワーク・デバイスに対応する、ステップ；及び
前記第１ネットワーク・デバイスにより、前記第１ＴＡリファレンス値を含むタイミング・アドバンス・コマンドを通信デバイスに送信するステップ；
を含む方法。
【請求項２７】
前記第１ＴＡリファレンス値は、前記第２ＴＡオフセットと前記第１ＴＡオフセットとの間の差分以上である、請求項２６に記載の方法。
【請求項２８】
前記第１通信規格はＬＴＥであり、前記第２通信規格はＮＲであり、前記第１アップリンク・キャリアはＬＴＥ  ＵＬキャリアであり、前記第２アップリンク・キャリアはＮＲ  ＳＵＬキャリアである、請求項２６又は２７に記載の方法。
【請求項２９】
前記第１ネットワーク・デバイスにより、ＮＲ  ＵＬキャリアのＴＡオフセットに基づいて前記第２アップリンク・キャリアの前記第２ＴＡオフセットを決定するステップであって、前記ＮＲ  ＵＬキャリアと前記第２アップリンク・キャリアとは１つのサービング・セルに対応している、ステップ；
を更に含む請求項２８に記載の方法。
【請求項３０】
前記第１通信規格はＮＲであり、前記第２通信規格はＬＴＥであり、前記第１アップリンク・キャリアはＮＲ  ＳＵＬキャリアである、前記第２アップリンク・キャリアはＬＴＥ  ＵＬキャリアである、請求項２６又は２７に記載の方法。
【請求項３１】
前記第１ネットワーク・デバイスにより、時分割複信ＴＤＤキャリアのＴＡオフセットに基づいて前記第２アップリンク・キャリアの前記第２ＴＡオフセットを決定するステップであって、前記ＴＤＤキャリアと前記第２アップリンク・キャリアとは１つのＴＡＧに属する、ステップ；
を更に含む請求項３０に記載の方法。
【請求項３２】
アップリンク同期方法であって：
第１ネットワーク・デバイスにより送信されたタイミング・アドバンス・コマンドを通信デバイスにより受信するステップであって、前記タイミング・アドバンス・コマンドは第１タイミング・アドバンスＴＡリファレンス値を含み、前記第１ＴＡリファレンス値は第１タイミング・アドバンス・グループＴＡＧ内の第１キャリアに対応し、前記第１ＴＡリファレンス値は第２アップリンク・キャリアの第２ＴＡオフセットと第２ＴＡリファレンス値とに基づいて決定され、前記第１ＴＡＧは第１通信規格の前記第１ネットワーク・デバイスに対応し、前記第２ＴＡＧは第２通信規格の第２ネットワーク・デバイスに対応する、ステップ；及び
前記通信デバイスにより、前記第１ＴＡリファレンス値に基づいて前記第１アップリンク・キャリアのアップリンク送信タイミングを調整するステップ；
を含む方法。
【請求項３３】
前記第１ＴＡリファレンス値は、前記第２ＴＡオフセットと前記第１ＴＡオフセットとの間の差分以上である、請求項３２に記載の方法。
【請求項３４】
前記第１通信規格はＬＴＥであり、前記第２通信規格はＮＲであり、前記第１アップリンク・キャリアはＬＴＥ  ＵＬキャリアであり、前記第２アップリンク・キャリアはＮＲ  ＳＵＬキャリアである、請求項３２に記載の方法。
【請求項３５】
前記第２アップリンク・キャリアの前記第２ＴＡオフセットは、ＮＲ  ＵＬキャリアのＴＡオフセットに基づいて決定され、前記ＮＲ  ＵＬキャリアと前記第２アップリンク・キャリアとは１つのサービング・セルに対応している、請求項３４に記載の方法。
【請求項３６】
前記第１通信規格はＮＲであり、前記第２通信規格はＬＴＥであり、前記第１アップリンク・キャリアはＮＲ  ＳＵＬキャリアであり、前記第２アップリンク・キャリアはＬＴＥ  ＵＬキャリアである、請求項３２に記載の方法。
【請求項３７】
前記第２アップリンク・キャリアの前記第２ＴＡオフセットは、時分割複信ＴＤＤキャリアのＴＡオフセットに基づいて決定され、前記ＴＤＤキャリアと前記第２アップリンク・キャリアとは１つのＴＡＧに属する、請求項３６に記載の方法。
【請求項３８】
少なくとも１つのプロセッサと少なくとも１つのメモリとを含む装置であって、前記プロセッサは請求項２６〜３７のうちの何れか１項に記載のアップリンク同期方法を実行するように構成されており、前記メモリは前記プロセッサに結合されている、装置。
【請求項３９】
装置であって：
リクエストを第２ネットワーク・デバイスに送信するように構成された送信ユニットであって、前記リクエストは、第２ＴＡＧ内の第２アップリンク・キャリアの第２ＴＡオフセットと第２ＴＡリファレンス値とを取得することを要求するために使用され、前記第２ＴＡＧは第２通信規格の前記第２ネットワーク・デバイスに対応する、送信ユニット；
前記第２ＴＡリファレンス値と前記第２ＴＡオフセットとに基づいて、第１ＴＡＧ内の第１アップリンク・キャリアの第１ＴＡリファレンス値を決定するように構成された処理ユニットであって、前記第１ＴＡＧは第１通信規格の第１ネットワーク・デバイスに対応する、処理ユニット；及び
を含み、前記送信ユニットは、前記第１ＴＡリファレンス値を含むタイミング・アドバンス・コマンドを通信デバイスに送信するように更に構成されている、装置。
【請求項４０】
前記第１ＴＡリファレンス値は、前記第２ＴＡオフセットと前記第１ＴＡオフセットとの間の差分以上である、請求項３９に記載の装置。
【請求項４１】
前記第１通信規格はＬＴＥであり、前記第２通信規格はＮＲであり、前記第１アップリンク・キャリアはＬＴＥ  ＵＬキャリアであり、前記第２アップリンク・キャリアはＮＲ  ＳＵＬキャリアである、請求項３９又は４０に記載の装置。
【請求項４２】
前記処理ユニットは、前記ＮＲ  ＵＬキャリアのＴＡオフセットに基づいて前記第２アップリンク・キャリアの前記第２ＴＡオフセットを決定するように更に構成されており、前記ＮＲ  ＵＬキャリアと前記第２アップリンク・キャリアとは１つのサービング・セルに対応している、請求項３９に記載の方法。
【請求項４３】
前記第１通信規格はＮＲであり、前記第２通信規格はＬＴＥであり、前記第１アップリンク・キャリアはＮＲ  ＳＵＬキャリアであり、前記第２アップリンク・キャリアはＬＴＥ  ＵＬキャリアである、請求項３９又は４０に記載の装置。
【請求項４４】
前記処理ユニットは、時分割複信ＴＤＤキャリアのＴＡオフセットに基づいて前記第２アップリンク・キャリアの前記第２ＴＡオフセットを決定するように更に構成されており、前記ＴＤＤキャリアと前記第２アップリンク・キャリアとは１つのＴＡＧに属する、請求項４３に記載の装置。
【請求項４５】
装置であって：
第１ネットワーク・デバイスにより送信されたタイミング・アドバンス・コマンドを受信するように構成された受信ユニットであって、前記タイミング・アドバンス・コマンドは第１タイミング・アドバンスＴＡリファレンス値を含み、前記第１ＴＡリファレンス値は第１タイミング・アドバンス・グループＴＡＧ内の第１アップリンク・キャリアに対応し、前記第１ＴＡリファレンス値は第２アップリンク・キャリアの第２ＴＡオフセットと第２ＴＡリファレンス値とに基づいて決定され、前記第１ＴＡＧは第１通信規格の前記第１ネットワーク・デバイスに対応し、前記第２ＴＡＧは第２通信規格の第２ネットワーク・デバイスに対応する、受信ユニット；及び
前記第１ＴＡリファレンス値に基づいて前記第１アップリンク・キャリアのアップリンク送信タイミングを調整するように構成された処理ユニット；
を含む装置。
【請求項４６】
前記第１ＴＡリファレンス値は、前記第２ＴＡオフセットと前記第１ＴＡオフセットとの間の差分以上である、請求項４５に記載の装置。
【請求項４７】
前記第１通信規格はＬＴＥであり、前記第２通信規格はＮＲであり、前記第１アップリンク・キャリアはＬＴＥ  ＵＬキャリアであり、前記第２アップリンク・キャリアはＮＲ  ＳＵＬキャリアである、請求項４５に記載の装置。
【請求項４８】
前記第２アップリンク・キャリアの前記第２ＴＡオフセットは、ＮＲ  ＵＬキャリアのＴＡオフセットに基づいて決定され、前記ＮＲ  ＵＬキャリアと前記第２アップリンク・キャリアとは１つのサービング・セルに対応している、請求項４７に記載の装置。
【請求項４９】
前記第１通信規格はＮＲであり、前記第２通信規格はＬＴＥであり、前記第１アップリンク・キャリアはＮＲ  ＳＵＬキャリアであり、前記第２アップリンク・キャリアはＬＴＥ  ＵＬキャリアである、請求項４５に記載の装置。
【請求項５０】
前記第２アップリンク・キャリアの前記第２ＴＡオフセットは、時分割複信ＴＤＤキャリアのＴＡオフセットに基づいて決定され、前記ＴＤＤキャリアと前記第２アップリンク・キャリアとは１つのＴＡＧに属する、請求項４９に記載の装置。
【請求項５１】
アップリンク同期方法であって：
ネットワーク・デバイスにより送信されたタイミング・アドバンス・コマンドを通信デバイスにより受信するステップであって、前記タイミング・アドバンス・コマンドはタイミング・アドバンスＴＡリファレンス値を含み、前記ＴＡリファレンス値はタイミング・アドバンス・グループＴＡＧ内のキャリアに対応する、ステップ；
前記通信デバイスにより、前記キャリアのキャリア情報に基づいて前記キャリアのＴＡオフセットを決定するステップ；及び
前記通信デバイスにより、前記ＴＡリファレンス値と前記キャリアの前記ＴＡオフセットとに基づいて前記キャリアのアップリンク送信タイミングを調整するステップ；
を含み、前記ＴＡＧが複数のキャリアを含む場合に、前記キャリアの前記ＴＡオフセットは、前記複数のキャリアのＴＡオフセットの最大値である、方法。
【請求項５２】
アップリンク同期方法であって：
通信デバイスにより送信されたアップリンク信号に基づいてアップリンク・タイミング・アドバンスとＴＡオフセットとをネットワーク・デバイスにより決定するステップ；
前記ネットワーク・デバイスにより、前記アップリンク・タイミング・アドバンスと最大ＴＡオフセットとに基づいてＴＡリファレンス値を決定するステップであって、前記最大ＴＡオフセットは前記通信デバイスに応対する前記ＴＡＧ内の複数のキャリアのＴＡオフセットの最大値であり、前記ＴＡリファレンス値は前記タイミング・アドバンス・グループＴＡＧ内のキャリアに対応し、前記ＴＡリファレンス値は前記アップリンク・タイミング・アドバンスと前記ＴＡオフセットとの間の差分である、ステップ；及び
前記ネットワーク・デバイスにより、タイミング・アドバンス・コマンドを前記通信デバイスに送信するステップであって、前記タイミング・アドバンス・コマンドは前記ＴＡリファレンス値を含む、ステップ；
を含む方法。
【請求項５３】
少なくとも１つのプロセッサと少なくとも１つのメモリとを含む装置であって、前記プロセッサは請求項５１又は５２に記載のアップリンク同期方法を実行するように構成されており、前記メモリは前記プロセッサに結合されている、装置。
【請求項５４】
装置であって、前記装置は：
ネットワーク・デバイスにより送信されたタイミング・アドバンス・コマンドを受信するように構成された受信ユニットであって、前記タイミング・アドバンス・コマンドはタイミング・アドバンスＴＡリファレンス値を含み、前記ＴＡリファレンス値はタイミング・アドバンス・グループＴＡＧ内のキャリアに対応する、受信ユニット；
前記キャリアのキャリア情報に基づいて前記キャリアのＴＡオフセットを決定し、前記ＴＡリファレンス値と前記キャリアのＴＡオフセットとに基づいて前記キャリアのアップリンク送信タイミングを調整するように構成されている処理ユニット；
を含み、前記ＴＡＧが複数のキャリアを含む場合に、前記キャリアの前記ＴＡオフセットは、前記複数のキャリアのＴＡオフセットの最大値である、装置。
【請求項５５】
装置であって、前記装置は：
通信デバイスにより送信されたアップリンク信号に基づいてアップリンク・タイミング・アドバンスとＴＡオフセットとを決定し；前記アップリンク・タイミング・アドバンスと最大ＴＡオフセットとに基づいてＴＡリファレンス値を決定するように構成された処理ユニットであって、前記最大ＴＡオフセットは前記通信デバイスに応対する前記ＴＡＧ内の複数のキャリアのＴＡオフセットの最大値であり、前記ＴＡリファレンス値は前記タイミング・アドバンス・グループＴＡＧ内のキャリアに対応し、前記ＴＡリファレンス値は前記アップリンク・タイミング・アドバンスと前記ＴＡオフセットとの間の差分である、処理ユニット；及び
タイミング・アドバンス・コマンドを前記通信デバイスに送信するように構成された送信ユニットであって、前記タイミング・アドバンス・コマンドは前記ＴＡリファレンス値を含む、送信ユニット；
を含む装置。
【請求項５６】
コンピュータ読み取り可能な記憶媒体であって、前記コンピュータ読み取り可能な記憶媒体は命令を含み、前記命令がコンピュータ上で動作すると、前記コンピュータは、請求項１〜１２のうちの何れか１項、請求項２６〜３７のうちの何れか１項、又は請求項５１若しくは５２に記載の方法を実行するように動作可能である、記憶媒体。
【請求項５７】
コンピュータ・プログラム・プロダクトであって、前記コンピュータ・プログラム・プロダクトはコンピュータ上で動作すると、前記コンピュータは、請求項１〜１２のうちの何れか１項、請求項２６〜３７のうちの何れか１項、又は請求項５１若しくは５２に記載の方法を実行するように動作可能である、コンピュータ・プログラム・プロダクト。
【発明の詳細な説明】
【背景技術】
【０００１】
本願は２０１８年２月１３日付で中国特許庁に出願された「アップリンク同期方法及び装置」と題する中国特許出願番号第２０１８１０１５１０２８．３に対する優先権を主張しており、これは全体的に参照により本願に援用され、また本願は２０１８年４月４日付けで中国特許庁に出願された「アップリンク同期方法及び装置」と題する中国特許出願番号第２０１８１０３０２３６６．２に対する優先権を主張し、これは全体的に参照により本願に援用されている。
【０００２】
技術分野
本願は、情報技術の分野、特にアップリンク同期方法及び装置に関連する。
【０００３】
背景
ワイヤレス通信システムでは、信号はエア・インターフェース経路を介して伝送され、信号が受信端に到達するまでに遅延が存在する。ワイヤレス通信システムでは、特定のフレーム構造が伝送に使用される。（端末からネットワーク側の送信ポイントへの）アップリンク伝送の場合、複数の端末は、アップリンク伝送中の様々な経路に起因する様々な伝送遅延を有する。送信端と受信端との間の一貫したタイミング関係を達成し、１つのセル内の様々な端末からのアップリンク送信間の干渉を回避するために、送信端はタイミング・アドバンス（Ｔｉｍｉｎｇ  Ａｄｖａｎｃｅ，ＴＡ）を有することを必要とする。図１はアップリンク同期の概略図である。図１に示すように、基地局がＴ０の時点でアップリンク送信を受信することを可能にするために、端末１はＴＡ１でアップリンク送信を送る必要があり、端末２はＴＡ２でアップリンク送信を送る必要がある。このようにして、基地局は、端末１からのアップリンク送信と、端末２からのアップリンク送信との両方をＴ０の時点で受信することができる。
【０００４】
ＴＡとキャリアの複信モードとの間に、ある関係が存在する。ＬＴＥ（Ｌｏｎｇ  Ｔｅｒｍ  Ｅｖｏｌｕｔｉｏｎ，ロング・ターム・エボリューション）システムを例に使用すると、ＴＡオフセット（ＴＡ  ｏｆｆｓｅｔ）は、時分割複信（Ｔｉｍｅ  Ｄｉｖｉｓｉｏｎ  Ｄｕｐｌｅｘｉｎｇ，ＴＤＤ）キャリアに対して更に設定される。この場合、ＴＤＤキャリアでは、アップリンク・タイミング・アドバンスの絶対時間は、アップリンク・タイミング・アドバンス（即ち、ＮＴＡ＋ＮＴＡｏｆｆｓｅｔ）の時間の粒度単位Ｔｓとの積である。換言すれば、アップリンク・タイミング・アドバンスは２つの部分を含み、１つはＴＡリファレンス値ＮＴＡであり、もう１つはＴＡオフセットＮＴＡｏｆｆｓｅｔである。ＬＴＥ及びＮＲの両方において、複数のタイミング・アドバンス・グループ（Ｔｉｍｉｎｇ  Ａｄｖａｎｃｅ  Ｇｒｏｕｐ，ＴＡＧ）がサポートされる。ＬＴＥでは、各ＴＡＧのキャリアのＴＡリファレンス値は同じであり、各ＴＡＧ内のキャリア全てのＴＡオフセットも同じである。
【０００５】
しかしながら、ＮＲシステムでは、各ＴＡＧ内のキャリアのＴＡリファレンス値は同じであるが、１つのＴＡＧ内のキャリアが異なるＴＡオフセットに対応する可能性がある。従って、ＮＲシステムでは、キャリアが異なるＴＡオフセットに対応する場合に、異なる端末間のアップリンク同期外れの問題が解決されることを要する。
【発明の概要】
【０００６】
この観点から、本願は、ＮＲにおける端末間のアップリンク同期外れの問題を解決するように、アップリンク同期方法及び装置を提供する。
【０００７】
第１態様によれば、本願の実施形態はアップリンク同期方法を提供する。方法は：ネットワーク・デバイスにより送信されたタイミング・アドバンス・コマンドを通信デバイスにより受信するステップであって、タイミング・アドバンス・コマンドはＴＡリファレンス値を含み、ＴＡリファレンス値はＴＡＧ内のキャリアに対応する、ステップ；ＴＡＧ内の任意のキャリアに関し、通信デバイスにより、キャリアのキャリア情報に基づいてキャリアのＴＡオフセットを決定するステップ；及びＴＡリファレンス値とキャリアのＴＡオフセットとに基づいてキャリアのアップリンク送信タイミングを調整するステップを含む。この場合において、ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又はＴＡＧが第２タイプＴＡＧである場合に、ＴＡＧ内のどの２つのキャリアのＴＡオフセット間の差分も第２差分であり、第１差分は第２差分と同じであること；
を充足する。
【０００８】
一般に、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳＣｅｌｌに対応する。第１差分は第２差分と同じであるので、ＴＡＧにおける通信デバイスからのアップリンク送信が、別のＴＡＧにおける、通信デバイスと同じセルに位置する別の通信デバイスからのアップリンク送信と同期することを保証することが可能であり、それにより、ＮＲにおいてアップリンク同期外れに起因する信号干渉を回避する。
【０００９】
可能な設計において、通信デバイスは、先ずＴＡＧ内の複数のキャリアのＴＡオフセットの最大値を決定し、次いでＴＡリファレンス値と最大ＴＡオフセットとに基づいて、ＴＡＧ内の複数のキャリアのアップリンク送信タイミングを調整することができる。ＴＡＧ内の各キャリアのアップリンク送信タイミングはＴＡリファレンス値値と最大ＴＡオフセットとを利用することにより調整されることを学ぶことができる。従って、第１差分及び第２差分は両方とも０であり、なぜならこれは他のＴＡＧにおける通信デバイスと同じセルに位置する他の通信デバイスからのアップリンク送信とのアップリンク同期を保証することができるからである。
【００１０】
別の可能な設計において、通信デバイスは、キャリアの周波数バンドに基づいてキャリアのＴＡオフセットを決定することが可能であり、キャリアの周波数バンドが特定の周波数値未満である場合に決定されるＴＡオフセットは、キャリアの周波数バンドが特定の周波数値以上である場合に決定されるＴＡオフセットより大きい。例えば、６ＧＨｚを境界として使用すると、周波数バンドが６ＧＨｚ未満であるキャリアのＴＡオフセットは約１３μｓ（２５５６０Ｔｃ’ｓに相当）であり、周波数バンドが６ＧＨｚ以上であるキャリアのＴＡオフセットは約７μｓ（１３７６３Ｔｃ’ｓに相当）である。
【００１１】
別の可能な設計において、通信デバイスは、キャリアのサブキャリア間隔に基づいて各キャリアのＴＡオフセットを決定することが可能であり、キャリアのサブキャリア間隔が特定の値未満である場合に決定されるＴＡオフセットは、キャリアのサブキャリア間隔が特定の値以上である場合に決定されるＴＡオフセットより大きい。例えば、サブキャリア間隔が１５ｋＨｚ、３０ｋＨｚ及び６０ｋＨｚであるキャリアは同じＴＡオフセットに対応し、サブキャリア間隔が１２０ｋＨｚであるキャリアと、サブキャリア間隔が１２０ｋＨｚ以上である別のキャリアとは同じＴＡオフセットに対応する。
【００１２】
別の可能な設計において、通信デバイスのためにネットワーク側によって決定される対応するＴＡＧは、以下の特徴を有することが可能である：ＴＡＧ内のキャリアに対応するサブキャリア間隔は６０ｋＨｚ以下である、又はＴＡＧ内のキャリアに対応するサブキャリア間隔は６０ｋＨｚより大きい。言い換えると、一般に、サブキャリア間隔が１５ｋＨｚ、３０ｋＨｚ、６０ｋＨｚであるキャリアは同じＴＡオフセットに対応し、サブキャリア間隔が１２０ｋＨｚ以上である別のキャリアは同じＴＡオフセットに対応する。この場合、このようなグループ化方法で得られるＴＡＧ内のキャリアは、通常、同じＴＡオフセットに対応し、それによってアップリンク同期外れの問題を回避する。
【００１３】
また、更に別の可能な可能な設計において、ＮＲシステムでは、通信デバイスのためにネットワーク側によって設定されたＴＡＧが第１タイプＴＡＧであったとしても、通信デバイスはそれでもＴＡＧ内のＴＡオフセットを異なる値に設定することが可能である。例えば、ＴＡＧ内に２つのキャリアが存在し、キャリアＡのＴＡオフセットは、キャリアＢのＴＡオフセットを参照せずに設定され、あるいはキャリアＡのＴＡ値は、キャリアＢのＴＡオフセットとは異なる。このように、ＴＡＧが第１タイプＴＡＧである場合、第１差分は第２差分と依然として等しくなり、１つのキャリアにおける１つのセル内で異なる通信デバイスからのアップリンク送信を同期させることを保証する。
【００１４】
前述の実施形態において、異なるアップリンク同期方法が組み合わされてもよいことに留意すべきである。換言すれば、通信デバイスは、前述の条件の少なくとも１つに基づいて、アップリンク同期を調整することを決定することができる。
【００１５】
第２態様によれば、本願の実施形態は、ネットワーク側からのアップリンク同期方法を更に提供する。方法は：通信デバイスにより送信されたアップリンク信号に基づいてＴＡとＴＡオフセットとをネットワーク・デバイスにより決定するステップであって、ＴＡとＴＡオフセットとの間の差分はＴＡリファレンス値である、ステップ；ネットワーク・デバイスにより、ＴＡに基づいてＴＡリファレンス値を決定するステップであって、ＴＡリファレンス値はタイミング・アドバンス・グループＴＡＧ内のキャリアに対応する、ステップ；及びネットワーク・デバイスにより、タイミング・アドバンス・コマンドを通信デバイスに送信するステップであって、タイミング・アドバンス・コマンドはＴＡリファレンス値を含む、ステップを含む。このように、通信デバイスは、ネットワーク側と同様に、通信デバイスにより決定されるＴＡオフセットとＴＡリファレンス値とに基づいてアップリンク・タイミングを調整することができる。
【００１６】
ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又は前記ＴＡＧが第２タイプＴＡＧである場合に、ＴＡＧ内のどの２つのキャリアのＴＡオフセット間の差分も第２差分であり、第１差分は第２差分と同じであり、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳＣｅｌｌに対応すること；
を充足することに留意すべきである。
【００１７】
このように、第１差分は第２差分と同じであるので、ＴＡＧにおける通信デバイスからのアップリンク送信が、別のＴＡＧにおける、通信デバイスと同じセルに位置する別の通信デバイスからのアップリンク送信と同期することを保証することが可能であり、それにより、ＮＲにおいてアップリンク同期外れに起因する信号干渉を回避する。
【００１８】
可能な設計において、ネットワーク・デバイスは、アップリンク・タイミング・アドバンスと最大ＴＡオフセットとに基づいてＴＡリファレンス値を決定し、最大ＴＡオフセットは通信デバイスに応対するＴＡＧ内の複数のキャリアのＴＡオフセットの最大値である。
【００１９】
可能な設計において、ネットワーク・デバイスは、キャリアの周波数バンドに基づいてキャリアのＴＡオフセットを決定することが可能であり、キャリアの周波数バンドが特定の周波数値未満である場合に決定されるＴＡオフセットは、キャリアの周波数バンドが特定の周波数値以上である場合に決定されるＴＡオフセットより大きい。例えば、６ＧＨｚを境界として使用すると、周波数バンドが６ＧＨｚ未満であるキャリアのＴＡオフセットは約１３μｓであり、周波数バンドが６ＧＨｚ以上であるキャリアのＴＡオフセットは約７μｓである。
【００２０】
別の可能な設計において、ネットワーク・デバイスは、キャリアのサブキャリア間隔に基づいて各キャリアのＴＡオフセットを決定することが可能であり、キャリアのサブキャリア間隔が特定の値未満である場合に決定されるＴＡオフセットは、キャリアのサブキャリア間隔が特定の値以上である場合に決定されるＴＡオフセットより大きい。例えば、サブキャリア間隔が１５ｋＨｚ、３０ｋＨｚ及び６０ｋＨｚであるキャリアは同じＴＡオフセットに対応し、サブキャリア間隔が１２０ｋＨｚであるキャリアと、サブキャリア間隔が１２０ｋＨｚ以上である別のキャリアとは同じＴＡオフセットに対応する。
【００２１】
別の可能な設計において、通信デバイスのためにネットワーク側によって決定される対応するＴＡＧは、以下の特徴を有することが可能である：ＴＡＧ内のキャリアに対応するサブキャリア間隔は６０ｋＨｚ以下である、又はＴＡＧ内のキャリアに対応するサブキャリア間隔は６０ｋＨｚより大きい。言い換えると、一般に、サブキャリア間隔が１５ｋＨｚ、３０ｋＨｚ、６０ｋＨｚであるキャリアは同じＴＡオフセットに対応し、サブキャリア間隔が１２０ｋＨｚ以上である別のキャリアは同じＴＡオフセットに対応する。この場合、このようなグループ化方法で得られるＴＡＧ内のキャリアは、通常、同じＴＡオフセットに対応し、それによって、アップリンク同期外れの問題を回避する。
【００２２】
また、更に別の可能な可能な設計において、ＮＲシステムでは、通信デバイスのためにネットワーク側によって設定されたＴＡＧが第１タイプＴＡＧであったとしても、通信デバイスはそれでもＴＡＧ内のＴＡオフセットを異なる値に設定することが可能である。例えば、ＴＡＧ内に２つのキャリアが存在し、キャリアＡのＴＡオフセットは、キャリアＢのＴＡオフセットを参照せずに設定され、あるいはキャリアＡのＴＡ値は、キャリアＢのＴＡオフセットとは異なる。このように、ＴＡＧが第１タイプＴＡＧである場合、第１差分は第２差分と依然として等しくなり、１つのキャリアにおける１つのセル内で異なる通信デバイスからのアップリンク送信を同期させることを保証する。
【００２３】
前述の実施形態において、異なるアップリンク同期方法が組み合わされてもよいことに留意すべきである。換言すれば、ネットワーク・デバイスは、前述の条件の少なくとも１つに基づいて、アップリンク同期を調整することを決定することができる。
【００２４】
第３態様によれば、本願の実施形態は装置を更に提供する。装置は、第１態様の方法例における通信デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００２５】
可能な設計において、装置の構造は受信ユニットと処理ユニットとを含む。受信ユニットは、ネットワーク・デバイスにより送信されたタイミング・アドバンス・コマンドを受信するように構成される。処理ユニットは、キャリアのキャリア情報に基づいてキャリアのＴＡオフセットを決定し、ＴＡリファレンス値とキャリアのＴＡオフセットとに基づいてキャリアのアップリンク送信タイミングを調整するように構成される。
【００２６】
ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又はＴＡＧが第２タイプＴＡＧである場合に、ＴＡＧ内のどの２つのキャリアのＴＡオフセット間の差分も第２差分であり、第１差分は第２差分と同じであり、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳＣｅｌｌに対応すること；
を充足することに留意すべきである。
【００２７】
可能な設計において、処理ユニットは、具体的に：
アップリンク・タイミング・アドバンスと最大ＴＡオフセットとに基づいて、ＴＡリファレンス値を決定するように構成されており、最大ＴＡオフセットは、通信デバイスに応対するＴＡＧ内の複数のキャリアのＴＡオフセットの最大値である。
【００２８】
可能な設計において、ＴＡＧが複数のキャリアを含む場合に、処理ユニットは、具体的に：
ＴＡリファレンス値と最大ＴＡオフセットとに基づいて、ＴＡＧ内の複数のキャリアのアップリンク送信タイミングを調整するように構成されており、最大ＴＡオフセットは複数のキャリアのＴＡオフセットの最大値である。
【００２９】
別の可能な設計において、処理ユニットは、具体的に、キャリアの周波数バンドに基づいてキャリアのＴＡオフセットを決定するように構成されており；
キャリアの周波数バンドが特定の周波数値未満である場合に決定されるＴＡオフセットは、キャリアの周波数バンドが特定の周波数値以上である場合に決定されるＴＡオフセットより大きい。
【００３０】
第３の可能な設計において、処理ユニットは、具体的に、キャリアのサブキャリア間隔に基づいて各キャリアのＴＡオフセットを決定するように構成されており；
キャリアのサブキャリア間隔が特定の値未満である場合に決定されるＴＡオフセットは、キャリアのサブキャリア間隔が特定の値以上である場合に決定されるＴＡオフセットより大きい。
【００３１】
可能な実装において、ＴＡＧ内のキャリアに対応するサブキャリア間隔は６０ｋＨｚ以下である、又はＴＡＧ内のキャリアに対応するサブキャリア間隔は６０ｋＨｚより大きい。代替的に、可能な実装において、ＴＡＧ内のキャリア全てのＴＡオフセットは別々に設定されている。
【００３２】
本願の実装の際に、これらのユニットは、第１態様の方法例における対応する機能を実行することが可能である。詳細については、方法例の詳細な説明を参照されたい。詳細はここでは繰り返さない。
【００３３】
別の可能な設計において、装置が通信デバイス内のチップである場合、チップは、処理ユニットと通信ユニットとを含む。処理ユニットは例えばプロセッサであってもよい。通信ユニットは、例えば、入力／出力インターフェース、ピン、又は回路であってもよい。処理ユニットは、記憶ユニットに記憶されたコンピュータ実行可能命令を実行することが可能であり、その結果、第１態様又は可能な設計のうちの何れかにおけるアップリンク制御情報送信方法が実行される。オプションとして、記憶ユニットは、レジスタ又はキャッシュのようなチップ内の記憶ユニットであってもよく、又は記憶ユニットは、リード・オンリ・メモリ、静的な情報及び命令を記憶することが可能な別のタイプの静的記憶装置、ランダム・アクセス・メモリなどのような、通信デバイス内に位置するがチップ外に位置する記憶ユニットであってもよい。
【００３４】
第４態様によれば、本願の実施形態は装置を更に提供する。装置は、第２態様の方法例におけるネットワーク・デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００３５】
可能な設計において、装置の構造は処理ユニットと送信ユニットとを含む。処理ユニットは：通信デバイスにより送信されたアップリンク信号に基づいてアップリンク・タイミング・アドバンスとＴＡオフセットとを決定し、アップリンク・タイミング・アドバンスに基づいてＴＡリファレンス値を決定するように構成され、ＴＡリファレンス値はタイミング・アドバンス・グループＴＡＧ内のキャリアに対応し、ＴＡリファレンス値はアップリンク・タイミング・アドバンスとＴＡオフセットとの間の差分である。送信ユニットは、タイミング・アドバンス・コマンドを通信デバイスに送信するように構成され、タイミング・アドバンス・コマンドはＴＡリファレンス値を含む。
【００３６】
ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又はＴＡＧが第２タイプＴＡＧである場合に、ＴＡＧ内のどの２つのキャリアのＴＡオフセット間の差分も第２差分であり、第１差分は第２差分と同じであり、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳＣｅｌｌに対応すること；
を充足することに留意すべきである。
【００３７】
可能な設計において、処理ユニットは、具体的に、キャリアの周波数バンドに基づいてキャリアのＴＡオフセットを決定するように構成されており、
キャリアの周波数バンドが特定の周波数値未満である場合に決定されるＴＡオフセットは、キャリアの周波数バンドが特定の周波数値以上である場合に決定されるＴＡオフセットより大きい。
【００３８】
別の可能な設計において、処理ユニットは、具体的に、キャリアのサブキャリア間隔に基づいて各キャリアのＴＡオフセットを決定するように構成されており、
キャリアのサブキャリア間隔が特定の値未満である場合に決定されるＴＡオフセットは、キャリアのサブキャリア間隔が特定の値以上である場合に決定されるＴＡオフセットより大きい。
【００３９】
可能な実装において、ＴＡＧ内のキャリアに対応するサブキャリア間隔は６０ｋＨｚ以下である、又はＴＡＧ内のキャリアに対応するサブキャリア間隔は６０ｋＨｚより大きい。代替的に、ＴＡＧ内のキャリア全てのＴＡオフセットは別々に設定されている。
【００４０】
本願の実装の際に、これらのユニットは、第２態様の方法例における対応する機能を実行することが可能である。詳細については、方法例の詳細な説明を参照されたい。詳細はここでは繰り返さない。
【００４１】
別の可能な設計において、装置がネットワーク・デバイス内のチップである場合、チップは、処理ユニットと通信ユニットとを含む。処理ユニットは例えばプロセッサであってもよい。通信ユニットは、例えば、入力／出力インターフェース、ピン、又は回路であってもよい。処理ユニットは、記憶ユニットに記憶されたコンピュータ実行可能命令を実行することが可能であり、その結果、第１態様又は可能な設計のうちの何れかにおけるアップリンク制御情報送信方法が実行される。オプションとして、記憶ユニットは、レジスタ又はキャッシュのようなチップ内の記憶ユニットであってもよく、又は記憶ユニットは、リード・オンリ・メモリ、静的な情報及び命令を記憶することが可能な別のタイプの静的記憶装置、ランダム・アクセス・メモリなどのような、通信デバイス内に位置するがチップ外に位置する記憶ユニットであってもよい。
【００４２】
第５態様によれば、本願の実施形態はアップリンク同期方法を提供する。方法は：第２ＴＡＧ内の第２アップリンク・キャリアの第２ＴＡオフセットと第２ＴＡリファレンス値とを第２ネットワーク・デバイスから取得することを、第１ネットワーク・デバイスにより要求するステップ；及び第２ＴＡリファレンス値と第２ＴＡオフセットとに基づいて、第１ＴＡＧ内の第１アップリンク・キャリアの第１ＴＡリファレンス値を、第１ネットワーク・デバイスにより決定するステップを含む。第１ＴＡＧは第１通信規格の第１ネットワーク・デバイスに対応し、第２ＴＡＧは第２通信規格の第２ネットワーク・デバイスに対応する。従って、第１ネットワーク・デバイスによって決定される第１ＴＡリファレンス値は、第１アップリンク・キャリアの第１ＴＡオフセットと第２ＴＡオフセットとの間の差分以上である。このように、第１ネットワーク・デバイスが第１ＴＡリファレンス値を含むタイミング・アドバンス・コマンドを通信デバイスに送信した後、通信デバイスは、第１ＴＡリファレンス値と第１ＴＡオフセットとに基づいて、第１アップリンク・キャリアのアップリンク送信タイミングを調整することができる。
【００４３】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００４４】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００４５】
第６態様によれば、本願の実施形態はアップリンク同期方法を提供する。方法は：第１ネットワーク・デバイスにより送信されたタイミング・アドバンス・コマンドを通信デバイスにより受信するステップであって、タイミング・アドバンス・コマンドは第１タイミング・アドバンスＴＡリファレンス値を含み、第１ＴＡリファレンス値は第１タイミング・アドバンス・グループＴＡＧ内の第１キャリアに対応し、第１ＴＡリファレンス値は第２アップリンク・キャリアの第２ＴＡオフセットと第２ＴＡリファレンス値とに基づいて決定され、第１ＴＡＧは第１通信規格の第１ネットワーク・デバイスに対応し、第２ＴＡＧは第２通信規格の第２ネットワーク・デバイスに対応する、ステップ；及び通信デバイスにより、第１ＴＡリファレンス値に基づいて第１アップリンク・キャリアのアップリンク送信タイミングを調整するステップを含む。
【００４６】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００４７】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００４８】
第７態様によれば、本願の実施形態は装置を更に提供する。装置は、第５態様の方法例におけるネットワーク・デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００４９】
可能な設計において、装置の構造は送信ユニットと処理ユニットとを含む。送信ユニットは、リクエストを第２ネットワーク・デバイスに送信するように構成され、送信されるリクエストは、第２ＴＡＧ内の第２アップリンク・キャリアの第２ＴＡオフセットと第２ＴＡリファレンス値とを取得することを要求するために使用され、第２ＴＡＧは第２通信規格の第２ネットワーク・デバイスに対応する。処理ユニットは、第２ＴＡリファレンス値と第２ＴＡオフセットとに基づいて、第１ＴＡＧ内の第１アップリンク・キャリアの第１ＴＡリファレンス値を決定するように構成され、第１ＴＡＧは第１通信規格の第１ネットワーク・デバイスに対応する。送信ユニットは、第１ＴＡリファレンス値を含むタイミング・アドバンス・コマンドを通信デバイスに送信するように更に構成されている。
【００５０】
従って、第１処理ユニットによって決定される第１ＴＡリファレンス値は、第１アップリンク・キャリアの第１ＴＡオフセットと第２ＴＡオフセットとの間の差分以上である。このように、処理ユニットに対応するネットワーク・デバイスが第１ＴＡリファレンス値を含むタイミング・アドバンス・コマンドを通信デバイスに送信した後、通信デバイスは、第１ＴＡリファレンス値と第１ＴＡオフセットとに基づいて、第１アップリンク・キャリアのアップリンク送信タイミングを調整することができる。
【００５１】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００５２】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００５３】
第８態様によれば、本願の実施形態は装置を更に提供する。装置は、第６態様の方法例における通信デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００５４】
可能な設計において、装置の構造は受信ユニットと処理ユニットとを含む。受信ユニットは、第１ネットワーク・デバイスにより送信されたタイミング・アドバンス・コマンドを受信するように構成され、タイミング・アドバンス・コマンドは第１タイミング・アドバンスＴＡリファレンス値を含み、第１ＴＡリファレンス値は第１タイミング・アドバンス・グループＴＡＧ内の第１アップリンク・キャリアに対応し、第１ＴＡリファレンス値は第２アップリンク・キャリアの第２ＴＡオフセットと第２ＴＡリファレンス値とに基づいて決定され、第１ＴＡＧは第１通信規格の前記第１ネットワーク・デバイスに対応し、第２ＴＡＧは第２通信規格の第２ネットワーク・デバイスに対応する。処理ユニットは、第１ＴＡリファレンス値に基づいて第１アップリンク・キャリアのアップリンク送信タイミングを調整するように構成されている。
【００５５】
従って、第１ネットワーク・デバイスユニットによって決定される第１ＴＡリファレンス値は、第１アップリンク・キャリアの第１ＴＡオフセットと第２ＴＡオフセットとの間の差分以上である。このように、第１ネットワーク・デバイスが第１ＴＡリファレンス値を含むタイミング・アドバンス・コマンドを通信デバイスに送信した後、通信デバイスは、第１ＴＡリファレンス値と第１ＴＡオフセットとに基づいて、第１アップリンク・キャリアのアップリンク送信タイミングを調整することができる。
【００５６】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００５７】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００５８】
第９態様によれば、本願の実施形態は、少なくとも１つのプロセッサと少なくとも１つのメモリとを含む装置を提供する。プロセッサは、第１態様、第２態様、又は第１態様及び第２態様の可能な設計のうちの任意の１つにおけるアップリンク同期方法を実行するように構成される。メモリはプロセッサに結合される。
【００５９】
第１０態様によれば、本願の実施形態は、少なくとも１つのプロセッサと少なくとも１つのメモリとを含む装置を提供する。少なくとも１つのメモリは少なくとも１つのプロセッサに結合され、少なくとも１つのメモリはコンピュータ・プログラム・コードを格納するように構成され、コンピュータ・プログラム・コードはコンピュータ命令を含み、１つ以上のプロセッサがコンピュータ命令を実行すると、装置は、第１態様、第２態様、又は第１態様及び第２態様の可能な設計のうちの任意の１つにおけるアップリンク同期方法、又は、第５態様、第２態様、又は第５態様及び第２態様の可能な設計のうちの任意の１つにおけるアップリンク同期方法を実行する。
【００６０】
第１１態様によれば、本願の実施形態は、少なくとも１つのプロセッサを含む装置を提供する。プロセッサは、第１態様、第２態様、又は第１態様及び第２態様の可能な設計のうちの任意の１つにおけるアップリンク同期方法、又は、第５態様、第６態様、又は第５態様及び第６態様の可能な設計のうちの任意の１つにおけるアップリンク同期方法を実行するように構成される。
【００６１】
第１２態様によれば、本願の実施形態はチップを提供する。チップは装置の形態で存在し、チップは前述の態様における任意の装置であってもよい。
【００６２】
本願の実施形態で提供されるアップリンク同期方法は、ＮＲシステムに適用可能である。その理由は、ＮＲシステムでキャリア・アグリゲーションが実行される際の様々なキャリアが、複数の異なるＴＡオフセットに対応する場合、１つのキャリアにおける異なるユーザーからのアップリンク送信は同期していない可能性があるためである。本願の実施形態によれば、ＴＡＧ内の各キャリアのＴＡオフセットは、ＴＡＧ内のキャリアのキャリア情報に基づいて決定され、ＴＡＧ内の各キャリアのアップリンク送信タイミングは、ＴＡＧ内のキャリアのＴＡオフセットとＴＡリファレンス値とに基づいて調整される。更に、ＴＡＧが第１タイプＴＡＧである場合に、ＴＡＧ内のどの２つのキャリアのＴＡオフセットの差分も第１差分であり、あるいはＴＡＧが第２タイプＴＡＧである場合に、ＴＡＧ内のどの２つのキャリアのＴＡオフセットの差分も第２差分であり、第１差分は第２差分と同じである。第１差分は第２差分と同じであるので、ＴＡＧにおける通信デバイスからのアップリンク送信が、別のＴＡＧにおける、通信デバイスと同じセルに位置する別の通信デバイスからのアップリンク送信と同期することを保証することが可能であり、それにより、ＮＲにおいてアップリンク同期外れに起因する信号干渉を回避する。
【００６３】
更に、本願の実施形態で提供されるアップリンク同期方法は、デュアル・コネクティビティ・システムに適用可能である。デュアル・コネクティビティ・システムでは、異なる通信規格のネットワーク・デバイスが互いに相互作用することが可能である。従って、ＬＴＥ基地局は、ＮＲ基地局のＴＡオフセットとＴＡリファレンスとに基づいてＬＴＥアップリンク・キャリアのＴＡリファレンス値を決定することが可能であり；あるいは、ＮＲ基地局は、基地局のＴＡオフセットとＴＡリファレンス値とに基づいてＮＲアップリンク・キャリアのＴＡリファレンス値を決定することが可能である。通信デバイスによって受信されるＴＡリファレンス値は、指定された条件を充足するので、アップリンク同期が実現され、それによりアップリンク同期外れに起因する信号干渉を回避する。
【図面の簡単な説明】
【００６４】
【図１】従来技術におけるアップリンク同期の概略図である。
【００６５】
【図２】本願の実施形態による通信システムのアーキテクチャ・フローチャートである。
【００６６】
【図３】本願の実施形態によるキャリア・アグリゲーションにおけるマルチ端末アップリンク伝送の概略図である。
【００６７】
【図４】本願の実施形態による通信デバイスによって実行されるアップリンク同期方法の概略フローチャートである。
【００６８】
【図５】本願の実施形態によるネットワーク・デバイスによって実行されるアップリンク同期方法の概略フローチャートである。
【００６９】
【図６】本願の実施形態による装置の概略構造図である。
【００７０】
【図７】本願の実施形態による別の装置の概略構造図１である。
【００７１】
【図８】本願の実施形態による通信デバイスの概略構造図１である。
【００７２】
【図９】本願の実施形態によるデュアル・コネクティビティ・システムの概略構造図である。
【００７３】
【図１０】本願の実施形態によるイントラ周波数キャリアの概略図である。
【００７４】
【図１１】本願の実施形態によるネットワーク・デバイス側におけるアップリンク同期方法の概略図である。
【００７５】
【図１２】本願の実施形態による通信デバイス側におけるアップリンク同期方法の概略図である。
【００７６】
【図１３】本願の実施形態による装置の概略構造図２である。
【００７７】
【図１４】本願の実施形態による別の装置の概略構造図２である。
【００７８】
【図１５】本願の実施形態による通信デバイスの概略構造図である。
【発明を実施するための形態】
【００７９】
以下、添付図面を参照して本願を更に詳細に説明する。
【００８０】
本願の実施形態は、移動通信用グローバル・システム（ｇｌｏｂａｌ  ｓｙｓｔｅｍ  ｆｏｒ  ｍｏｂｉｌｅ  ｃｏｍｍｕｎｉｃａｔｉｏｎ，ＧＳＭ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ，ＷＣＤＭＡ）システム、及びロング・ターム・エボリューション（ｌｏｎｇ  ｔｅｒｍ  ｅｖｏｌｕｔｉｏｎ，ＬＴＥ）システムなどの既存のセルラー通信システムに適用されることが可能である。本願の実施形態は、将来の通信システム、例えばＮＲアクセス・ネットワークを使用する通信システム、クラウド無線アクセス・ネットワーク（ｃｌｏｕｄ  ｒａｄｉｏ  ａｃｃｅｓｓ  ｎｅｔｗｏｒｋ，ＣＲＡＮ）などの５Ｇ（第５世代移動通信システム）のシステムにも適用可能であり、また、ワイヤレス・フィデリティ（ｗＩｒｅｌｅｓｓ−ｆｉｄｅｌｉｔｙ，ｗｉｆｉ）システム、マイクロ波アクセスの全世界相互運用（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，ＷｉＭＡＸ）システム、及び３ＧＰＰに関連するセルラー・システムなどの同様のワイヤレス通信システムにも適用可能である。
【００８１】
図２は、本願が適用可能なアプリケーション・シナリオの概略図である。本発明の実施形態で説明されるネットワーク・アーキテクチャ及びサービス・シナリオは、本発明の実施形態の技術的解決策をより明確に説明するために使用されるが、本発明の実施形態で提供される技術的解決策を制限するものではない。本発明の実施形態で提供される技術的解決策は、ネットワーク・アーキテクチャが進化し且つ新しいサービス・シナリオが現れる場合に、同様な技術的問題に適用可能であることを、当業者は分かっているであろう。
【００８２】
図２は本発明における可能な適用シナリオの概略図である。アプリケーション・シナリオでは、少なくとも１つの端末１０は、無線アクセス・ネットワーク（ｒａｄｉｏ  ａｃｃｅｓｓ  ｎｅｔｗｏｒｋ，ＲＡＮ）と通信する。ＲＡＮは、少なくとも１つの基地局２０（ｂａｓｅ  ｓｔａｔｉｏｎ，ＢＳ）を含む。明確化のために、ただ１つの基地局と１つのＵＥが図面に示されている。ＲＡＮはコア・ネットワーク（ｃｏｒｅ  ｎｅｔｗｏｒｋ，ＣＮ）に接続される。オプションとして、ＣＮは、インターネット及び公衆交換電話網（ｐｕｂｌｉｃ  ｓｗｉｔｃｈｅｄ  ｔｅｌｅｐｈｏｎｅ  ｎｅｔｗｏｒｋ，ＰＳＴＮ）のような１つ以上の外部ネットワーク（ｅｘｔｅｒｎａｌ  ｎｅｔｗｏｒｋ）に結合されてもよい。
【００８３】
明確化のために、以下、本願で使用される幾つかの名詞を説明する。
【００８４】
（１）通信デバイスは、端末、ユーザー装置（Ｕｓｅｒ  Ｅｑｕｉｐｍｅｎｔ，ＵＥ）、又はユーザーに音声及び／又はデータ接続を提供するデバイス、例えばハンドヘルド・デバイス又は無線接続機能を有する車載デバイスとも言及される。一般の端末は、例えば、携帯電話、タブレット・コンピュータ、ノートブック・コンピュータ、パームトップ・コンピュータ、モバイル・インターネット・デバイス（ｍｏｂｉｌｅ  ｉｎｔｅｒｎｅｔ  ｄｅｖｉｃｅ，ＭＩＤ）、又は、スマート・ウォッチ、スマート・バンド及び歩数計などのウェアラブル・デバイスを含む。通信デバイスは、チップを利用することによって実現されてもよい。以下、説明を簡単にするために、通信デバイスはまとめてＵＥと言及される。
【００８５】
（２）ネットワーク・デバイスは、例えば、基地局であってもよい。基地局はまた、無線アクセス・ネットワーク（Ｒａｄｉｏ  Ａｃｃｅｓｓ  Ｎｅｔｗｏｒｋ，ＲＡＮ）装置とも言及され、端末をワイヤレス・ネットワークに接続する装置であり、エボルブド・ノードＢ（ｅｖｏｌｖｅｄ  Ｎｏｄｅ  Ｂ，ｅＮＢ）、無線ネットワーク・コントローラ（ｒａｄｉｏ  ｎｅｔｗｏｒｋ  ｃｏｎｔｒｏｌｌｅｒ，ＲＮＣ）、ノードＢ（Ｎｏｄｅ  Ｂ，ＮＢ）、基地局コントローラ（Ｂａｓｅ  Ｓｔａｔｉｏｎ  Ｃｏｎｔｒｏｌｌｅｒ，ＢＳＣ）、ベース・トランシーバ・ステーション（Ｂａｓｅ  Ｔｒａｎｓｃｅｉｖｅｒ  Ｓｔａｔｉｏｎ，ＢＴＳ）、ホーム基地局（例えば、ホーム・エボルブド・ノードＢ又はホーム・ノードＢ、略称ＨＮＢ）、ベースバンド・ユニット（ＢａｓｅＢａｎｄ  Ｕｎｉｔ，ＢＢＵ）、ＮｏｄｅＢ  （ｇ  ＮｏｄｅＢ，ｇＮＢ）、送受信ポイント（Ｔｒａｎｓｍｉｔｔｉｎｇ  ａｎｄ  ｒｅｃｅｉｖｉｎｇ  ｐｏｉｎｔ，ＴＲＰ）及び送信ポイント（Ｔｒａｎｓｍｉｔｔｉｎｇ  ｐｏｉｎｔ，ＴＰ）を含むが、これらに限定されない。更に、基地局は、Ｗｉ−Ｆｉアクセス・ポイント（Ａｃｃｅｓｓ  Ｐｏｉｎｔ，ＡＰ）などを更に含むことができる。以下では、簡単に説明するために、ネットワーク・デバイスはまとめて基地局と言及される。
【００８６】
ＬＴＥでは、ＴＡリファレンス値とＴＡオフセットとは以下のように定義される：ＵＥがアップリンク送信を送るｉ番目のアップリンク無線フレームは、ＵＥの対応するダウンリンク無線フレームの（ＮＴＡ＋ＮＴＡｏｆｆｓｅｔ）×Ｔｓ数秒前であるべきである。ＳＣＧがＵＥに設定されている場合は、０≦ＮＴＡ≦４０９６であり；又はＳＣＧがＵＥに設定されていない場合は、０≦ＮＴＡ≦２０５１２である。ＦＤＤフレーム構造タイプの場合、ＮＴＡｏｆｆｓｅｔ＝０であり；ＴＤＤフレーム構造タイプの場合、ＮＴＡｏｆｆｓｅｔ＝６２４である。
【００８７】
言い換えれば、ＵＥは、ＮＴＡ及びＮＴＡｏｆｆｓｅｔに基づいて、アップリンク信号が送信される時間を決定する必要がある。具体的には、アップリンク・タイミング・アドバンスの絶対時間は、アップリンク・タイミング・アドバンス（即ち、数式におけるＮＴＡ＋ＮＴＡｏｆｆｓｅｔ）と時間粒度単位Ｔｓとの積に等しい。アップリンク・タイミング・アドバンス値は、２つの部分を含み：１つの部分はＮＴＡ、即ち本願の実施形態において言及されるＴＡリファレンス値であり；別の部分はＮＴＡｏｆｆｓｅｔ、即ち本願の実施形態で言及されるＴＡオフセットである。
【００８８】
ＬＴＥにおけるものと同様の定義が現在のＮＲプロトコルにも存在する。具体的には、ＵＥがアップリンク送信を送るｉ番目のアップリンク無線フレームは、ＵＥの対応するダウンリンク無線フレームの（ＮＴＡ＋ＮＴＡｏｆｆｓｅｔ）×Ｔｃ数秒前であるべきである。
【００８９】
主な相違は、ＮＲにおけるタイミング・アドバンスの時間粒度単位Ｔｃが、ＬＴＥにおけるＴｓと相違することである。ＬＴＥにおける時間粒度は、Ｔｓ＝１／２０４８／１５０００秒として定義される一方、ＮＲにおける時間粒度は、Ｔｃ＝１／４０９６／４８００００秒として定義される。時間単位はＬＴＥ及びＮＲにおいて異なって定義されるが、アップリンク・タイミング・アドバンス調整値は、ＴＡリファレンス値ＮＴＡ及びＴＡオフセットＮＴＡｏｆｆｓｅｔという同じ部分を有する。
【００９０】
更に、ＬＴＥ及びＮＲ双方において、複数のＴＡＧがサポートされ、各ＴＡＧ内の全てのキャリアは同じＴＡリファレンス値に対応し、各ＴＡＧ内の全てのキャリアは同じアップリンク・タイミング・アドバンス調整値に対応する。タイミング・アドバンス調整値の構成及び定義に基づき、ＬＴＥ及びＮＲのキャリア・アグリゲーションのシナリオにおいて、ＴＡオフセットＮＴＡｏｆｆｓｅｔが各キャリアに使用されるか否か、又はどのＴＡオフセットが各キャリアに使用されるかは、キャリア情報にも依存する。
【００９１】
ＬＴＥでは、プライマリ・サービング・セル（ＰＣｅｌｌ）又はプライマリ・セカンダリ・サービング・セル（ＰＳＣｅｌｌ）を含むＴＡＧに関し、タイミング・アドバンス調整が実行される場合、ＰＣｅｌｌ又はＰＳＣｅｌｌに対応するＴＡオフセットＮＴＡｏｆｆｓｅｔが、ＴＡＧ内の全てのキャリアに対して使用され、タイミング・アドバンス調整値を計算する。ここで、プライマリ・コンポーネント・キャリアに対応するＴＡオフセットＮＴＡｏｆｆｓｅｔは、ＰＣｅｌｌ又はＰＳＣｅｌｌがシングル・キャリアモードで動作する場合、ＰＣｅｌｌ又はＰＳＣｅｌｌに使用されるＴＡオフセットＮＴＡｏｆｆｓｅｔである。ＰＣｅｌｌ又はＰＳＣｅｌｌを除くＴＡＧに関し、ＴＡＧ内の全てのセルが同じデュプレックス・モードを使用する場合、即ち、ＴＡＧ内の全てのキャリアがＴＤＤキャリアであるか、又はＴＡＧ内の全てのキャリアがＦＤＤキャリアである場合、タイミング・アドバンス調整値を計算するために、グループ内の全てのキャリアに対してＮＴＡｏｆｆｓｅｔ＝０が使用される。ＰＣｅｌｌ又はＰＳＣｅｌｌを除くＴＡＧに関し、ＴＡＧ内のセルが２つのデュプレックス・モードを使用し、ＴＡＧがＦＤＤセル及びＴＤＤセルの両方を含む場合、タイミング・アドバンス調整値を計算するために、ＴＡＧ内の全てのキャリアに対してＴＡオフセットＮＴＡｏｆｆｓｅｔ＝６２４が使用される。メカニズム全体の観点から、このメカニズムは、任意のＵＥに対して、任意のＴＡＧ内の異なるアップリンク・キャリアにおけるアップリンク送信が同期することを保証する。本願における同期は、具体的には、２つのキャリアに対応する時間整合したサブフレームに関し、１つのキャリアに対応するアップリンク・サブフレームが、他のキャリアに対応するものと同じ時点であることを意味する。
【００９２】
しかしながら、ＮＲシステムでは、複数の異なるＴＡオフセットが存在する可能性がある。ＬＴＥの上記メカニズムが依然として使用される場合、問題が生じる可能性がある。主な理由は、ＰＣｅｌｌ又はＰＳＣｅｌｌを除くＴＡＧに関し、ＴＡＧがＴＤＤセル及びＦＤＤセルの両方を含む場合、ＴＤＤキャリアのＴＡオフセットがＬＴＥで使用されるためである。しかしながら、ＮＲでは、異なるＴＤＤキャリアが異なるＴＡオフセットに対応している可能性がある。従って、ＵＥはＴＡオフセットをどのように選択するのか分からない。その結果、ＬＴＥのＴＡオフセット調整メカニズムを使用することは、各ＴＡＧ内の全てのキャリアが同じＴＡに対応することを保証することができず、１つのキャリアにおける異なるユーザーからのアップリンク信号は同期しない可能性がある。
【００９３】
ＬＴＥ及びＮＲにおいて、セルは上位レイヤの概念であり、キャリアは物理レイヤの概念であることは指摘されるべきである。セルとキャリアとの間には対応関係が存在する。例えば、ＬＴＥにおいて、１つのセルは、アップリンク及びダウンリンク・キャリアのペア、又は唯１つのダウンリンク・キャリアを含むように構成される。ＮＲにおいて、１つのセルは、アップリンク及びダウンリンク・キャリアのペア、又は唯１つのダウンリンク・キャリア、又は１つのアップリンク・キャリア、及び１つの補助アップリンク・キャリア（ｓｕｐｐｌｅｍｅｎｔａｒｙ  ｕｐｌｉｎｋ，ＳＵＬ）を含むように構成されることが可能である。キャリアとセルとの間の対応関係に起因して、１つのキャリアは１つのセルのみに対応し、いったんセルが設定されると対応するキャリアを見出すことが可能であり、あるいはいったんキャリアが設定されると対応するセルを見出すことが可能である。従って、セルとキャリアは、本発明において互いに厳密には区別されず、混同することなく可換に使用されてよい。
【００９４】
本願で提供される実施形態は、アップリンク同期を実現するために使用される。様々なＵＥと基地局との間の距離は決定されておらず、１つのセル内の異なるＵＥからのアップリンク送信は時間的に整合させる必要がある。そうでなければ、１つのセル内の異なる端末からのアップリンク送信は、互いに干渉する。現在、ＵＥは、ランダム・アクセス手順を使用することによって、基地局とのアップリンク同期を確立することができる。基地局は、ＵＥがプリアンブル（ｐｒｅａｍｂｌｅ）信号を送信したことを検出し、受信したプリアンブル信号を利用することによりＴＡリファレンス値を推定し、ランダム・アクセス・レスポンスを利用することによりＴＡリファレンス値をＵＥに送信し；ＵＥは、ランダム・アクセス・レスポンスを受信した後にＴＡを計算し、その結果、１つのキャリアにおける１つのセル内の異なるＵＥによって送信されるアップリンク信号は同時に基地局に到達する。ＲＲＣ接続を確立した後、ＵＥは、基地局によって送信されたパイロット信号を測定及び追跡することによって、小さなエリアの中で同期を更に追跡及び調整することが可能であり；基地局はまた、ＵＥからのアップリンク信号を測定することによって、ＵＥのタイミング・アドバンスを推定及び調整し、ＴＡＣを利用することによりＵＥに通知することも可能である。ＵＥが同期外れであるかもしれないことを考慮する場合、基地局は、タイミング・アドバンスを測定及び調整するために、プリアンブル信号を送信するようにＵＥをトリガする可能性がある。従って、アップリンク同期の意義は、１つのキャリアにおける複数のＵＥからのアップリンク信号が基地局に到着するまでの遅延の間の差が、特定のレンジに収まることを確実にし、その結果、複数のＵＥからのアップリンク信号は互いに重大な干渉を与えず、基地局による複数のアップリンク信号の正確な受信が影響を受けないようにすることである。アップリンク・タイミング・アドバンスの技術的特徴は、ＵＥが、タイミング・アドバンスを使用することによって、送信信号の空間的な伝送遅延を事前に補償することである。
【００９５】
本願で提供される実施形態は、キャリア・アグリゲーションのシナリオに適用可能である。キャリア・アグリゲーションにより、少なくとも２つのコンポーネント・キャリア（Ｃｏｍｐｏｎｅｎｔ  Ｃａｒｒｉｅｒ，ＣＣ）が、より大きな伝送帯域幅をサポートするように集約される。コンポーネント・キャリアはまた、キャリアと呼ばれてもよい。例えば、キャリア・アグリゲーションにおけるセルは、プライマリ・サービング・セル（Ｐｒｉｍａｒｙ  Ｃｏｍｐｏｎｅｎｔ  Ｃｅｌｌ，ＰＣｅｌｌ）及びセカンダリ・サービング・セル（Ｓｅｃｏｎｄａｒｙ  Ｃｏｍｐｏｎｅｎｔ  Ｃｅｌｌ，ＳＣｅｌｌ）を含んでもよい。具体的には、Ｐｃｅｌｌは、端末が初期接続確立中に基地局と通信するセル、ＲＲＣ接続又は再設定が実行されるセル、又は、ハンドオーバ・プロセスにおいて基地局又は端末によって決定されるセルであって、基地局と端末との間のＲＲＣ通信を実現するために主に使用されるセルであってもよい。Ｓｃｅｌｌは、端末に応対するためにＲＲＣ再設定の際に基地局によって追加されるセルであってもよい。例えば、ＲＲＣ通信は、Ｓｃｅｌｌと端末との間で行われない場合がある。プライマリ・コンポーネント・キャリア（Ｐｒｉｍａｒｙ  ｃｏｍｐｏｎｅｎｔ  ｃａｒｒｉｅｒ，ＰＣＣ）はＰＣｅｌｌに対応するＣＣであり、セカンダリ・コンポーネント・キャリア（Ｓｅｃｏｎｄａｒｙ  ｃｏｍｐｏｎｅｎｔ  ｃａｒｒｉｅｒ，ＳＣＣ）はＳｃｅｌｌに対応するＣＣである。
【００９６】
キャリア・アグリゲーションのシナリオでは、複数のアップリンク・キャリアがＵＥのために設定される場合、複数のアップリンク・キャリアはネットワーク側で共存しないかもしれず、異なるキャリアのビーム方向は異なる等に起因して、異なるアップリンク・キャリアにおけるＵＥからの送信のタイミング・アドバンスは異なる場合がある。従って、異なるキャリアは異なるタイミング・アドバンス・グループ（Ｔｉｍｉｎｇ  Ａｄｖａｎｃｅ  Ｇｒｏｕｐ，ＴＡＧ）に分類され、１つのＴＡＧ内の全てのキャリアは同じＴＡリファレンス値に対応し、異なるＴＡＧは異なるＴＡリファレンス値に対応する。ＴＡＧがＰＣｅｌｌ又はＰＳＣｅｌｌを含む場合、ＴＡＧは、本願の実施態様においてｐＴＡＧと称される。ＴＡＧが如何なるＰＣｅｌｌ又はＰＳＣｅｌｌも含まない場合、即ち、ＴＡＧがＳＣｅｌｌのみを含む場合、ＴＡＧは、本願の実施態様においては、ｓＴＡＧと称される。
【００９７】
また、タイミング・アドバンスとキャリアのデュプレックス・モードとの間にも関係が存在する。
【００９８】
周波数分割複信（Ｆｒｅｑｕｅｎｃｙ  Ｄｉｖｉｓｉｏｎ  Ｄｕｐｌｅｘｉｎｇ，ＦＤＤ）キャリアの場合、アップリンク信号とダウンリンク信号のキャリア周波数は異なり、アップリンクとダウンリンクの両方が常に存在するので、アップリンク−ダウンリンクの切り替えは必要とされない。具体的には、基地局によって送信されるダウンリンク・フレーム／スロットの開始点は、基地局によって受信されるダウンリンク・フレーム／スロットの開始点と同じであってもよく、あるいは、基地局側におけるダウンリンク・フレーム／スロット境界は、基地局側におけるアップリンク・フレーム／スロット境界と整合していてもよい。従って、ＵＥにより送信されるアップリンク送信の実際のアップリンク・タイミング・アドバンスは、ＴＡＣにおけるＴＡリファレンス値に等しい。
【００９９】
時分割複信（Ｔｉｍｅ  Ｄｉｖｉｓｉｏｎ  Ｄｕｐｌｅｘｉｎｇ，ＴＤＤ）キャリアの場合、アップリンクとダウンリンクに対して異なるスロットが占められる。従って、基地局とＵＥとの間の伝送方向が変化する場合、即ち、伝送方向が上り伝送から下り伝送へ、又は下り伝送から上り伝送へ変化する場合には、切り替えを行うためにある時間期間が必要とされる。従って、ＴＤＤシステムでは、アップリンクのための十分なスイッチング時間を保証するために、十分なガード・インターバルがスイッチング中に確保されることを必要とする。厳密には、ガード・インターバルは２つの部分を含み、１つの部分はアップリンクからダウンリンクに切り替えるための時間であり、もう１つの部分はダウンリンクからアップリンクに切り替えるための時間である。ガード・インターバルは２つの部分を含む必要があり、後者はＴＡオフセットに密接に関係している。従って、送信方向がアップリンク送信からダウンリンク送信に変わった場合、ＵＥはＴＡリファレンス値に基づいてＴＡを調整する必要がある。実際に調整されたＴＡは、ＴＡリファレンス値とＴＡオフセットとの和に等しい。このように、ＵＥがアップリンク送信を完了した後、ＵＥと基地局の両方は、スイッチングを完了するのに十分な時間を有し、基地局は、スイッチング後にダウンリンク信号を通常的に送信することができ、ＵＥは、スイッチング後にダウンリンク信号を通常的に受信することができる。従って、ＴＤＤキャリアの場合、ＵＥのアップリンク・タイミング・アドバンスは、ＴＡＣとＴＡオフセットのＴＡリファレンス値の和に等しい。
【０１００】
ＬＴＥでは、各ＴＡＧ内のキャリアは同じＴＡリファレンス値に対応し、各ＴＡＧ内の全てのキャリアは同じＴＡオフセットに対応するので、ＴＡＧ内の全てのキャリアはまた、同じ実際のＴＡ調整値（ＴＡリファレンス値とＴＡオフセットとの和）に対応する。このように、適切なＴＡリファレンス値が異なるユーザーに対して設定されることが可能であり、その結果、各キャリアにおける様々なＵＥからのアップリンク信号は同期する。しかしながら、ＮＲシステムにおいて、ＬＴＥでのＴＡ調整メカニズムに完全に従う場合、複数の異なるＴＡオフセット値が存在する可能性があるので、各ＴＡＧ内の全てのキャリアは、異なるアップリンク・タイミング・アドバンスに対応する可能性がある。異なるキャリアが異なるＴＡオフセット値に対応する場合において、ＴＡＧ内の全てのキャリアが異なる実際のＴＡ調整値に対応する場合、１つのキャリアにおける異なるユーザーからのアップリンク信号は同期しない可能性がある。
【０１０１】
例えば、１つのサイトでサービス提供を受けるユーザー装置ＵＥ１とＵＥ２に関し、キャリア・アグリゲーションがＵＥ１とＵＥ２の両方に設定され、ＵＥ１とＵＥ２は両方とも共存するセル１、セル２、セル３によって応対される。セル１、セル２、セル３は、それぞれアップリンク・キャリアに対応する。セル１、セル２及びセル３がそれぞれ１つのアップリンク・キャリアに対応すると仮定すると、セル１、セル２及びセル３に対応するアップリンク・キャリアは、それぞれキャリアＣＣ１、キャリアＣＣ２及びキャリアＣＣ３である。セル１は、ＵＥ１のプライマリ・サービング・セルであり、セル２及びセル３は、ＵＥ１のセカンダリ・サービング・セルであり；セル１、セル２及びセル３は、全て、ＵＥ２のセカンダリ・サービング・セルであると仮定する。ＵＥ１及びＵＥ２については、キャリアＣＣ１、キャリアＣＣ２、及びキャリアＣＣ３は、より大きな伝送帯域幅をサポートするために一緒に集約される。３つのキャリアは、共存関係に基づいてネットワーク側で分類され、ＴＡＧは、ＵＥ１及びＵＥ２の各々に対して設定される。ＵＥ１の場合、セル１がＵＥ１のプライマリ・サービング・セルであるので、ＵＥ１はｐＴＡＧに対応する。同様に、セル１、セル２、及びセル３は全て、ＵＥ２のセカンダリ・サービング・セルであるため、ＵＥ２は、ｓＴＡＧに対応する。セル１とセル２の両方がＴＤＤモードを使用し、セル３がＦＤＤモードを使用すると仮定する。ＴＤＤキャリアは、ＴＡリファレンス値に基づいて調整される必要がある。従って、ＴＡオフセットが存在する。表１に列挙されるように、ｐＴＡＧに関する基地局によって設定されるＴＡリファレンス値は１μｓであり、セル１に対応するＴＡオフセット１は０．１μｓであり、セル２に対応するＴＡオフセット２は０．２μｓであり、セル３に対応するＴＡオフセット３は０．０μｓであり；ｓＴＡＧに関する基地局によって設定されるＴＡリファレンス値は０．６μｓであり、セル１に対応するＴＡオフセット１は０．０５μｓであり、セル２に対応するＴＡオフセット２は０．２μｓであり、セル３に対応するＴＡオフセット３は０．０μｓであることが分かる。
【０１０２】
ＬＴＥプロトコルに規定されているように、通信デバイスは、プライマリ・コンポーネント・キャリアのＴＡオフセットとＴＡリファレンス値とに基づいて、ＴＡＧ内の各キャリアのアップリンク送信タイミングを調整する。従って、ｐＴＡＧでは、各キャリアに対して実際に使用されるＴＡオフセットは、プライマリ・コンポーネント・キャリアのＴＡオフセットと同じである。プライマリ・コンポーネント・キャリアがキャリアＣＣ１であると仮定すると、キャリアＣＣ２のＴＡオフセット２の実際に使用される値は０．１μｓであり、キャリアＣＣ３のＴＡオフセット３の実際に使用される値は０．１μｓである。言い換えれば、キャリアＣＣ１の実際のＴＡ調整値は１．１μｓであり、キャリアＣＣ２の実際のＴＡ調整値は１．１μｓであり、キャリアＣＣ３の実際のＴＡ調整値は１．１μｓである。
【０１０３】
マクロ基地局と小セルはキャリアＣＣ１、キャリアＣＣ２、キャリアＣＣ３をｓＴＡＧ内で共有するので、キャリアＣＣ１とキャリアＣＣ２もＴＤＤモードを使用し、キャリアＣＣ３もＦＤＤモードを使用する。ｓＴＡＧでは、ｓＴＡＧ内のＴＡリファレンス値は全て０．６μｓであり、キャリアＣＣ１とキャリアＣＣ２のＴＡオフセットは異なる値に対応することが分かる。表２に列挙されているように、キャリアＣＣ１のＴＡオフセット１は０．０５μｓであり、キャリアＣＣ２のＴＡオフセット２は０．２μｓである。言い換えれば、キャリアＣＣ１の実際のＴＡ調整値は０．６５μｓであり、キャリアＣＣ２の実際のＴＡ調整値は０．８μｓである。キャリアＣＣ３はＦＤＤモードを使用するので、キャリアＣＣ３の実際のＴＡ調整値は、ＴＡリファレンス値、即ち０．６μｓに等しい。
表１
【表１】
2021517442.tif 000003
表２
【表２】
2021517442.tif 000004
【０１０４】
このように、キャリアＣＣ１とキャリアＣＣ２の実際のＴＡ調整値は同じであるので、即ち、どちらも１．１μｓであるので、キャリアＣＣ１及びキャリアＣＣ２においてＵＥ１により送られるアップリンク送信は、マクロ基地局に同時に到達することが可能である。しかしながら、この場合において、ｓＴＡＧでは、キャリア１の実際の調整値は０．６５μｓであり、キャリアＣＣ２の実際の調整値は０．８μｓである。キャリアＣＣ１においてＵＥ２によって送信されるアップリンク送信が、ＵＥ１と同時にマクロ基地局に到着する場合、キャリアＣＣ２においてＵＥ２によって送信されるアップリンク信号は、０．１５秒前にマクロ基地局に到着する。明らかに、キャリアＣＣ２においてＵＥ１及びＵＥ２によって送信されるアップリンク送信は、同期しない。
【０１０５】
言い換えれば、ＵＥ１に対するキャリアＣＣ１の実際のＴＡ調整値１．１μｓとＵＥ１に対するキャリアＣＣ２の実際のＴＡ調整値１．１μｓとの差は０であり、ＵＥ２に対するキャリアＣＣ１の実際のＴＡ調整値０．６５μｓとＵＥ２に対するキャリアＣＣ２の実際のＴＡ調整値０．８μｓとの差は−０．１５μｓである。アップリンク同期は、１つのＣＣにおける異なるＵＥからのアップリンク信号が、マクロ基地局に同時に到達することを要求し、差分０は差分−０．１５μｓと等しくない。この場合、ＵＥ１及びＵＥ２がＣＣ１においてアップリンク同期を実現する場合、ＵＥ１及びＵＥ２は、キャリアＣＣ２においてアップリンク同期を実現しない。
【０１０６】
従って、ＮＲシステムにおいてキャリア・アグリゲーションが行われる異なるキャリアが、複数の異なるＴＡオフセットに対応する場合、１つのキャリアにおける異なるユーザーからのアップリンク送信は同期しない可能性がある。
【０１０７】
前述の問題を解決するために、本願の実施形態はアップリンク同期プロセスを提供する。概略フローチャートが図４に示されている。
【０１０８】
ステップ４０１：ネットワーク・デバイスが、タイミング・アドバンス・コマンドを通信デバイスに送信し、タイミング・アドバンス・コマンドはＴＡリファレンス値を含み、ＴＡリファレンス値はＴＡＧ内のキャリアに対応する。
【０１０９】
ステップ４０２：通信デバイスが、キャリアのキャリア情報に基づいてキャリアのＴＡオフセットを決定する。
【０１１０】
ステップ４０３：通信デバイスが、ＴＡリファレンス値とＴＡオフセットとに基づいて、ＴＡＧ内の各キャリアのアップリンク送信タイミングを調整する。
【０１１１】
具体的には、ステップ４０２において、通信デバイスによって決定されるＴＡＧ内の各キャリアのＴＡオフセットは以下の条件を充足する：ＴＡＧが第１タイプＴＡＧである場合にＴＡＧ内のどの２つのキャリアのＴＡオフセット間の差分も、ＴＡＧが第２タイプＴＡＧである場合にＴＡＧ内のどの２つのキャリアのＴＡオフセット間の差分と同じであること。通常、第１タイプＴＡＧはｐＴＡＧとも呼ばれ、第２タイプＴＡＧはｓＴＡＧとも呼ばれる。換言すれば、ＴＡＧがｐＴＡＧである場合、ｐＴＡＧ内の第１キャリアのＴＡオフセットとｐＴＡＧ内の第２キャリアのＴＡオフセットとの間の差分は第１差分であり；又はＴＡＧがｓＴＡＧである場合、ｓＴＡＧ内の第１キャリアのＴＡオフセットとｓＴＡＧ内の第２キャリアのＴＡオフセットとの間の差分は第２差分であり、第１差分は第２差分と同じである。ここで、第１キャリア及び第２キャリアは、ＴＡＧ内の任意の２つのキャリアである。
【０１１２】
１つの通信デバイスに対して、通信デバイスに対応するＴＡＧは、ｐＴＡＧ又はｓＴＡＧである可能性があることは指摘されるすべきである。換言すれば、通信デバイスは、ｐＴＡＧ及びｓＴＡＧのうちの一方のみに対応することが可能である。確かに、ＴＡＧがｐＴＡＧである場合に通信デバイスに対応するＴＡＧに含まれるキャリアは、ＴＡＧがｓＴＡＧである場合に通信デバイスに対応するＴＡＧに含まれるキャリアと同じである。ｐＴＡＧ内のどの２つのキャリアのＴＡオフセット間の差分も、ｓＴＡＧ内のどの２つのキャリアのＴＡオフセット間の差分と同じであるので、１つのＣＣにおける異なるＵＥからのアップリンク信号は、基地局に同時に到達することが可能である。
【０１１３】
例えば、図３に示すように、ＵＥ２はマイクロ基地局からＴＡＣを受信し、ＴＡＣはｓＴＡＧに対応する０．６μｓのリファレンス値を含む。ＴＡオフセットが充足することを要する条件に基づいて、ＵＥ２は、以下の設定を実行する：ｓＴＡＧにおいて、表３に示されるように、キャリアＣＣ１のＴＡオフセット１が０．０５μｓであり、キャリアＣＣ２のＴＡオフセット２が０．２μｓであり、キャリアＣＣ３のＴＡオフセット３が０μｓであること；又はｐＴＡＧにおいて、表４に示されるように、キャリアＣＣ１のＴＡオフセット１が０．１μｓであり、キャリアＣＣ２のＴＡオフセット２が０．２５μｓであり、キャリアＣＣ３のＴＡオフセット３が０．０５μｓであること。ｓＴＡＧにおいてキャリアＣＣ１のＴＡオフセット１とキャリアＣＣ２のＴＡオフセット２との間の差分は−０．１５μｓであり、ｐＴＡＧにおいてキャリアＣＣ１のＴＡオフセット１とキャリアＣＣ２のＴＡオフセット２との間の差も−０．１５μｓであり；ｓＴＡＧにおいてキャリアＣＣ２のＴＡオフセット２とキャリアＣＣ３のＴＡオフセット３との間の差分は０．２μｓであり、ｐＴＡＧにおいてキャリアＣＣ１のＴＡオフセット１とキャリアＣＣ２のＴＡオフセット２との間の差分も０．２であり；ｓＴＡＧにおいてキャリアＣＣ１のＴＡオフセット１とキャリアＣＣ３のＴＡオフセット３との間の差分は０．０５μｓであり、ｐＴＡＧにおいてキャリアＣＣ１のＴＡオフセット１とキャリアＣＣ３のＴＡオフセット３との間の差も０．０５であることを学ぶことができる。
表３
【表３】
2021517442.tif 000005
表４
【表４】
2021517442.tif 000006
【０１１４】
ＬＴＥプロトコルの規定を考慮すると、通信デバイスは、プライマリ・コンポーネント・キャリアのＴＡオフセットとＴＡリファレンス値とに基づいて、ＴＡＧ内の各キャリアのアップリンク送信タイミングを調整する。従って、ｐＴＡＧにおいて、各キャリアに対して実際に使用されるＴＡオフセットは、プライマリ・コンポーネント・キャリアのＴＡオフセットと同じである。表４のｐＴＡＧが依然としてＬＴＥプロトコルの規定に従う場合、アップリンク同期は依然として実現することができない。従って、本願のこの実施形態では、ＴＡＧ内の全てのキャリアのＴＡオフセットが別々に設定されることが規定される。ＴＡオフセットを別々に設定することは以下を意味する：キャリアＡとキャリアＢという２つのキャリアがｐＴＡＧ内に存在する場合、端末は、キャリアＢのオフセットを参照することなくキャリアＡのＴＡオフセットを決定するか、又は端末は、キャリアＢのＴＡオフセットとは異なるキャリアＡのＴＡオフセットを決定する。簡易な個別設定方法は、ｐＴＡＧとｓＴＡＧで１つのキャリアに同じＴＡオフセットを設定することである。別の例として、表４において、ｐＴＡＧにおいて、各キャリアに対して実際に使用されるＴＡオフセットは、プライマリ・コンポーネント・キャリアのＴＡオフセットと同じではない。プライマリ・コンポーネント・キャリアがキャリアＣＣ１であると仮定すると、キャリアＣＣ２のＴＡオフセット２の実際に使用される値は、依然として０．２５μｓであり、ｓＴＡＧのキャリアＣＣ２に使用されるＴＡオフセットと同じであり；キャリアＣＣ３のＴＡオフセット３の実際に使用される値は、依然として０．０５μｓである。
【０１１５】
本願のこの実施形態では、１つのアップリンク・キャリアにおける異なるユーザー間の信号同期は、代替的に、別の方法で実現されてもよい。例えば、あるＵＥがｐＴＡＧ及びｓＴＡＧ内の異なるアップリンク・キャリアで信号を送信するフレーム／スロット境界は同じであることが規定される。ここで、幾つかのフレーム／スロット境界が同じであることの主な理由は、異なる数に関するスロット長（キャリア情報）が異なることを考慮することである。例えば、キャリアＣＣ１のサブキャリア間隔は１５ｋＨｚであり、スロットの持続時間は１ｍｓであり；キャリアＣＣ２のサブキャリア間隔は３０ｋＨｚであり、スロットの持続時間は０．５ｍｓである。この場合、ＣＣ１における１つのスロットは、ＣＣ２における２つのスロットに対応し、ＣＣ１におけるスロットは、ＣＣ２における２つの連続するスロットにおける第１スロットと同じ開始点を有し、ＣＣ２における２つの連続するスロットにおける第２スロットと同じ終点を有する。この解決策では、本願のこの実施形態において解決される必要がある問題は、ＴＡＧ内の異なるキャリアが異なるＴＡオフセットに対応する場合に、ＴＡＧのＴＡオフセットをどのようにして決定するかであり、その結果、タイミング・アドバンスが実行される場合に、タイミング・アドバンスを調整するために、全てのキャリアに対して同じＴＡオフセットが使用される。現在のｐＴＡＧでは、ＴＡオフセットはＰＣｅｌｌ又はＰＳＣｅｌｌに対応するＴＡオフセットである。従って、本発明は、主に、ｓＴＡＧ内の全てのキャリアに対して実際に使用されるＴＡオフセットを決定する方法を論じる。オプションとして、この方法はｐＴＡＧにも適用されてもよい。
【０１１６】
ある方法において、通信デバイスは、ＴＡリファレンス値と最大ＴＡオフセットとに基づいて、ＴＡＧ内の各キャリアのアップリンク送信タイミングを調整し、ＴＡオフセットの最大値は、ＴＡＧ内の全てのキャリアのＴＡオフセットの最大値である。例えば、図３において、表１及び表２に現在存在する問題点は：ＵＥ１に対するキャリアＣＣ１の実際のＴＡ調整値１．１μｓとＵＥ１に対するキャリアＣＣ２の実際のＴＡ調整値１．１μｓとの間の差分は０であり、そして、ＵＥ２に対するキャリアＣＣ１の実際のＴＡ調整値０．６５μｓとＵＥ２に対するキャリアＣＣ２の実際のＴＡ調整値０．８μｓとの間の差分は−０．１５μｓである、ということである。２つの差分は等しくないので、ＵＥ１とＵＥ２はキャリアＣＣ２においてアップリンク同期を実現しない。この問題を解決するために、ＵＥは、ｓＴＡＧ内の３つのキャリアのアップリンク送信タイミングを調整するために、ｓＴＡＧ内で最大のＴＡオフセット０．２μｓを使用することを選択することができる。具体的には、表５に列挙されるように、ｓＴＡＧにおいて、キャリアＣＣ１の実際の調整値は０．８μｓであり、キャリアＣＣ２の実際の調整値は０．８μｓであり、キャリアＣＣ３の実際の調整値は０．８μｓである。このように、ＵＥ１に対するキャリアＣＣ１の実際のＴＡ調整値１．１μｓとＵＥ１に対するキャリアＣＣ２の実際のＴＡ調整値１．１μｓとの間の差分は０であり、ＵＥ２に対するキャリアＣＣ２の実際のＴＡ調整値０．８μｓとＵＥ２に対するキャリアＣＣ２の実際のＴＡ調整値０．８μｓとの間の差分も０である。従って、ＵＥ１とＵＥ２がＣＣ１においてアップリンク同期を実現する場合、ＵＥ１とＵＥ２もキャリアＣＣ２においてアップリンク同期を実現する。
表５
【表５】
2021517442.tif 000007
【０１１７】
全てのキャリアに対して実際に使用されるＴＡオフセットを決定する上記の方法に加えて、最小番号のＳＣｅｌｌＩｎｄｅｘ、即ち最小のＳＣｅｌｌＩｎｄｅｘに対応するＴＡオフセットが、ｓＴＡＧ内の全てのキャリアに対して実際に使用されるＴＡオフセットとして選択されることが可能である。セル１のＳＣｅｌｌＩｎｄｅｘが５であり、セル２のＳＣｅｌｌＩｎｄｅｘが３であり、セル３のＳＣｅｌｌＩｎｄｅｘが６であると仮定すると、セル２のＴＡオフセット０．２μｓが、セル１、セル２、セル３に実際に使用されるＴＡオフセットとして選択される。最終的な調整結果が更に図５に列挙されている。
【０１１８】
予め設定されたルールに加えて、基地局は、ユーザーに対して、ｓＴＡＧで使用されるＴＡオフセットを設定することにより、ＴＡＧ内の全てのキャリアに使用される実際のＴＡオフセットを示すことが可能である。
【０１１９】
本願のこの実施形態では、キャリアの様々なＴＡオフセットが、キャリアの様々なキャリア情報に基づいて、通信デバイスによって決定されることが可能である。キャリア情報は、通常、数であり、その数は通信システムで使用されるパラメータである。通信システム（例えば、５Ｇ）は、複数の数をサポートすることが可能である。数は、サブキャリア間隔、サイクリック・プレフィックス（ｃｙｃｌｉｃ  ｐｒｅｆｉｘ，ＣＰ）、時間単位、帯域幅などの１つ以上のパラメータ情報を使用することにより定義されることが可能である。
【０１２０】
例えば、数はサブキャリア間隔とＣＰとを利用することにより定義されることが可能である。サブキャリア間隔は、１５ｋＨｚ、３０ｋＨｚ、６０ｋＨｚ、１２０ｋＨｚ、２４０ｋＨｚ、４８０ｋＨｚ等とすることが可能である。例えば、異なるサブキャリア間隔は、１５ｋＨｚの整数倍であってもよい。サブキャリア間隔は、代替的に、別の値に設計されてもよいことを理解することができる。ＣＰ情報は、ＣＰ長及び／又はＣＰタイプを含んでもよい。例えば、ＣＰは、ノーマルＣＰ（ｎｏｒｍａｌ  ＣＰ，ＮＣＰ）又は拡張ＣＰ（ｅｘｔｅｎｄｅｄ  ＣＰ，ＥＣＰ）であってもよい。
【０１２１】
時間単位は、時間ドメインにおける時間単位を表すために使用される。例えば、時間単位は、サンプリング・ポイント、シンボル、ミニ・スロット、スロット、サブフレーム、無線フレームなどであってもよい。時間単位情報は、時間単位のタイプ、長さ、又は構造などを含んでもよい。帯域幅（ｂａｎｄｗｉｄｔｈ）は、周波数ドメインにおいて連続するリソースであってもよい。しばしば、帯域幅は、帯域幅部分（ｂａｎｄｗｉｄｔｈ  ｐａｒｔ，ＢＷＰ）、キャリア帯域幅部分（ｃａｒｒｉｅｒ  ｂａｎｄｗｉｄｔｈ  ｐａｒｔ）、サブバンド（ｓｕｂｂａｎｄ）帯域幅、狭帯域（ｎａｒｒｏｗｂａｎｄ）帯域幅、又は別の名称で呼ばれることがある。名称は本願において限定されない。例えば、１つのＢＷＰは、Ｋ（Ｋ＞０）個の連続するサブキャリアを含み；ＢＷＰは、Ｎ個の重複しない連続するリソース・ブロック（ｒｅｓｏｕｒｃｅ  ｂｌｏｃｋ，ＲＢ）に対応する周波数ドメイン・リソースであり、ＲＢのサブキャリア間隔は、１５ｋＨｚ、３０ｋＨｚ、６０ｋＨｚ、１２０ｋＨｚ、２４０ｋＨｚ、４８０ｋＨｚ、又は別の値であってもよい。あるいは、ＢＷＰは、Ｍ個の重複しない連続するリソース・ブロック・グループ（ｒｅｓｏｕｒｃｅ  ｂｌｏｃｋ  ｇｒｏｕｐ，ＲＢＧ）に対応する周波数ドメイン・リソースであり、１つのＲＢＧはＰ個の連続するＲＢを含み、ＲＢのサブキャリア間隔は、１５ｋＨｚ、３０ｋＨｚ、６０ｋＨｚ、１２０ｋＨｚ、２４０ｋＨｚ、４８０ｋＨｚ、又は別の値、例えば２の整数倍であってもよい。
【０１２２】
キャリア情報は、サブキャリア間隔又は帯域幅などのパラメータを利用することによって定義されることが可能であるので、異なるＴＡオフセットは、異なるパラメータに基づいて決定されることが可能である。以下、具体的に幾つかの実装を説明する。
【０１２３】
実装１において、通信デバイスは、キャリアのサブキャリア間隔に基づいて各キャリアのＴＡオフセットを決定する。例えば、サブキャリア間隔が１５ｋＨｚ、３０ｋＨｚ及び６０ｋＨｚであるキャリアは、同じＴＡオフセットに対応し、サブキャリア間隔が１２０ｋＨｚであるキャリアと、サブキャリア間隔が１２０ｋＨｚより大きい他のキャリアとは、同じＴＡオフセットに対応する。一般に、サブキャリア間隔が６０ｋＨｚ以下のキャリアと、サブキャリア間隔が６０ｋＨｚ以上のキャリアは、１つのＴＡＧ内に共存できないことが規定される。換言すれば、１つのＴＡＧは、サブキャリア間隔が６０ｋＨｚ以下である複数のキャリアのみを含むか、あるいはサブキャリア間隔が６０ｋＨｚより大きい複数のキャリアのみを含む。
【０１２４】
実装２において、何らかのキャリアに関し、通信デバイスは、キャリアの周波数バンドが特定の周波数値未満であるか否かを判断し、キャリアの周波数バンドが特定の周波数値未満である場合、通信デバイスは、キャリアのＴＡオフセットは第１閾値であると判断し；あるいはキャリアの周波数バンドが特定の周波数値未満ではない場合、通信デバイスは、キャリアのＴＡオフセットは第２閾値であると判断し、ここで、第１閾値は第２閾値より大きい。例えば、６ＧＨｚを境界点として使用すると、周波数バンドが６ＧＨｚ未満であるキャリアのＴＡオフセットは約１３μｓであり、周波数バンドが６ＧＨｚ以上であるキャリアのＴＡオフセットは約７μｓである。
【０１２５】
図５は本願による別のアップリンク同期プロセスの一例を示す。方法は、ネットワーク・デバイスによって実行される。
【０１２６】
ステップ５０１：ネットワーク・デバイスが、通信デバイスにより送信されたアップリンク信号に基づいて、アップリンク・タイミング・アドバンスとＴＡオフセットとを決定し、アップリンク・タイミング・アドバンスとＴＡオフセットとはタイミング・アドバンス・グループＴＡＧ内のキャリアに対応し、キャリアはアップリンク信号を搬送するために使用される。
【０１２７】
ステップ５０２：ネットワーク・デバイスが、アップリンク・タイミング・アドバンスとＴＡオフセットとに基づいて、ＴＡＧのＴＡリファレンス値を決定し、ＴＡリファレンス値は、アップリンク・タイミング・アドバンスとＴＡオフセットとの間の差分である。
【０１２８】
ステップ５０３：ネットワーク・デバイスが、タイミング・アドバンス・コマンドを通信デバイスに送信し、タイミング・アドバンス・コマンドはＴＡリファレンス値を含む。
【０１２９】
ネットワーク・デバイスにより決定されるＴＡＧのＴＡリファレンス値は、ＴＡＧ内の各キャリアのアップリンク・タイミング・アドバンスとキャリアのＴＡオフセットとの間の差分であり、ＴＡオフセットは以下の条件：ｐＴＡＧ内のどの２つのキャリアのＴＡオフセット間の差分も、ｓＴＡＧ内のどの２つのキャリアのＴＡオフセット間の差分と同じであること；を充足する。
【０１３０】
換言すると、ネットワーク・デバイスは、１つのセルにおいて通信デバイスにより送信されたアップリンク信号を受信し、ＵＥがプリアンブル（ｐｒｅａｍｂｌｅ）信号を送信していることを検出し、受信したプリアンブル信号を利用することによりＴＡリファレンス値を推定する。また、ＴＡＧを形成する場合に、基地局は、同一のＴＡオフセット値を有するキャリアを、１つのグループに配置する。これは、端末からのアップリンク送信が非同期であるという問題を回避することができる。例えば、図２においてｐＴＡＧ及びｓＴＡＧを形成する場合に、基地局は、表６及び表７に列挙されるように、同じＴＡリファレンス値及び同じＴＡオフセットを有するキャリアＣＣ１及びキャリアＣＣ２を、１つのグループに分類する。
表６
【表６】
2021517442.tif 000008
表７
【表７】
2021517442.tif 000009
【０１３１】
基地局が積極的にＴＡＧグループ化を調整する方法に加えて、本発明のこの実施形態におけるＴＡオフセットを調整する別の方法については、通信デバイス側に関して提示された実装を参照されたい。詳細はここでは繰り返さない。
【０１３２】
通信デバイスによって実行される伝送方法プロセスに関し、本願は装置を提供する。装置によって実行される具体的な内容については、前述の方法の実施形態を参照されたい。図６は、本願で提供される装置の概略的な構造図である。装置は、受信ユニット６０１及び処理ユニット６０２を含む。
【０１３３】
受信ユニット６０１は、ネットワーク・デバイスによって送信されたタイミング・アドバンス・コマンドを受信するように構成され、タイミング・アドバンス・コマンドはタイミング・アドバンスＴＡリファレンス値を含み、ＴＡリファレンス値はタイミング・アドバンス・グループＴＡＧ内のキャリアに対応する。
【０１３４】
処理ユニット６０２は：キャリアのキャリア情報に基づいてキャリアのＴＡオフセットを決定し、キャリアのＴＡオフセットとＴＡリファレンス値とに基づいてキャリアのアップリンク送信タイミングを調整するように構成される。
【０１３５】
ＴＡＧが複数のキャリアを含む場合、ＴＡオフセットは以下の条件：  
ＴＡＧが第１タイプＴＡＧである場合には、ＴＡＧ内のどの２つのキャリアのＴＡオフセット間の差分も第１差分であり；又はＴＡＧが第２タイプＴＡＧである場合には、ＴＡＧ内のどの２つのキャリアのＴＡオフセット間の差分も第２差分であり；第１差分は第２差分と同じであり、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳｃｅｌｌに対応すること；
を充足する。
【０１３６】
実施形態において、ＴＡＧが複数のキャリアを含む場合、処理ユニット６０２は、ＴＡリファレンス値と最大ＴＡオフセットとに基づいて、ＴＡ内の複数のキャリアのアップリンク送信タイミングを調整するように構成され、最大ＴＡオフセットは、複数のキャリアのＴＡオフセットの最大値である。例えば、キャリアＡに対応するＴＡオフセットは０．１であり、キャリアＢに対応するＴＡオフセットは０．２である。この場合、キャリアＡに対応するＴＡオフセットは０．２μｓであり、且つキャリアＢに対応するＴＡオフセットは０．２μｓであると最終的に決定される。
【０１３７】
別の実施形態では、処理ユニット６０２は、キャリアの周波数バンドに基づいてキャリアのＴＡオフセットを決定するように構成され、ここで、
キャリアの周波数バンドが特定の周波数値未満である場合に決定されるＴＡオフセットは、キャリアの周波数バンドが特定の周波数値以上である場合に決定されるＴＡオフセットよりも大きい。
【０１３８】
別の可能な実施において、処理ユニット６０２は、キャリアのサブキャリア間隔に基づいて各キャリアのＴＡオフセットを決定し、ここで、
キャリアのサブキャリア間隔が特定の値未満である場合に決定されるＴＡオフセットは、キャリアのサブキャリア間隔が特定の値以上である場合に決定されるＴＡオフセットより大きい。
【０１３９】
可能な実装において、ＴＡＧ内のキャリアに対応するサブキャリア間隔は６０ｋＨｚ以下であるか、又はＴＡＧ内のキャリアに対応するサブキャリア間隔は６０ｋＨｚ以上である。代替的に、ＴＡＧ内の全てのキャリアのＴＡオフセットは別々に設定される。
【０１４０】
本願の実装の際に、これらのユニットは第１態様の方法例における対応する機能を実行することが可能である。詳細については、方法例の詳細な説明を参照されたい。詳細はここでは繰り返さない。
【０１４１】
本願において、通信デバイスは前述の方法例に基づいて機能モジュールに区分されることが可能である。例えば、種々の機能に対応する機能モジュールが区分けによって得られてもよいし、あるいは少なくとも２つの機能が１つの処理モジュールに統合されてもよい。統合されたモジュールは、ハードウェアの形式で実装されてもよいし、あるいはソフトウェア機能モジュールの形式で実装されてもよい。本願において、モジュールの区分けは一例であり、単なる論理な機能の区分けに過ぎないことに留意すべきである。実際の実装の際には別の区分け方法が使用されてもよい。
【０１４２】
ネットワーク・デバイスによって実行される上記アップリンク同期方式に関し、本願は装置を提供する。装置によって実行される具体的な内容については、前述の方法の実施形態を参照されたい。図７は、本願で提供される装置の概略構造図である。装置は、処理ユニット７０１と送信ユニット７０２とを含む。
【０１４３】
処理ユニット７０１は：通信デバイスによって送信されたアップリンク信号に基づいて、アップリンク・タイミング・アドバンスとＴＡオフセットとを判定し、アップリンク・タイミング・アドバンスに基づいてＴＡリファレンス値を判定するように構成されており、ＴＡリファレンス値は、タイミング・アドバンス・グループＴＡＧ内のキャリアに対応し、ＴＡリファレンス値は、アップリンク・タイミング・アドバンスとＴＡオフセットとの間の差分である。
【０１４４】
送信ユニット７０２は、タイミング・アドバンス・コマンドを通信デバイスに送信するように構成されており、タイミング・アドバンス・コマンドはＴＡリファレンス値を含む。
【０１４５】
ＴＡＧが複数のキャリアを含む場合、ＴＡオフセットは以下の条件：
ＴＡＧが第１タイプＴＡＧである場合、ＴＡＧ内のどの２つのキャリアのＴＡオフセット間の差分も第１差分であり、ＴＡＧが第２タイプＴＡＧである場合、ＴＡＧ内のどの２つのキャリアのＴＡオフセット間の差分も第２差分であり、第１差分は第２差分と同じであり、第１タイプＴＡＧ内の少なくとも１つのキャリアは、プライマリ・サービング・セルＰＣｅｌｌ又はプライマリ・セカンダリ・サービング・セルＰＳＣｅｌｌに対応し、第２タイプＴＡＧ内の全てのキャリアは、セカンダリ・サービング・セルＳＣｅｌｌに対応する；
を充足することに留意すべきである。
【０１４６】
可能な設計において、処理ユニット７０１は、アップリンク・タイミング・アドバンスと最大ＴＡオフセットとに基づいてＴＡリファレンス値を決定するように具体的に構成され、最大ＴＡオフセットは、通信デバイスに応対するＴＡＧ内の複数のキャリアのＴＡオフセットの最大値である。
【０１４７】
ＴＡＧにおける各キャリアのアップリンク送信タイミングは、ＴＡリファレンス値と最大ＴＡオフセットとを利用することにより調整されることを学ぶことが可能である。従って、第１差分及び第２差分は両方とも０であり、なぜなら、これは他のＴＡＧにおける通信デバイスと同じセル内に位置する別の通信デバイスからのアップリンク送信とのアップリンク同期を保証できるからである。
【０１４８】
可能な設計において、処理ユニット７０１は、キャリアの周波数バンドに基づいてキャリアのＴＡオフセットを決定するように具体的に構成され、ここで、
キャリアの周波数バンドが特定の周波数値未満である場合に決定されるＴＡオフセットは、キャリアの周波数バンドが特定の周波数値以上である場合に決定されるＴＡオフセットよりも大きい。
【０１４９】
別の可能な設計において、処理ユニット７０１は、キャリアのサブキャリア間隔に基づいて各キャリアのＴＡオフセットを決定するように具体的に構成され、ここで、
キャリアのサブキャリア間隔が特定の値未満である場合に決定されるＴＡオフセットは、キャリアのサブキャリア間隔が特定の値以上である場合に決定されるＴＡオフセットより大きい。
【０１５０】
可能な実装において、ＴＡＧ内のキャリアに対応するサブキャリア間隔は６０ｋＨｚ以下である、又はＴＡＧ内のキャリアに対応するサブキャリア間隔は６０ｋＨｚ以上である。代替的に、ＴＡＧ内の全てのキャリアのＴＡオフセットは別々に設定される。
【０１５１】
装置は、本願で提供されるアップリンク同期方法において、ネットワーク・デバイスにより実行されるステップを実現するように構成されてもよいことを理解すべきである。関連する機能については、前述の説明を参照されたい。詳細はここでは繰り返さない。
【０１５２】
本願において、ネットワーク・デバイスは前述の方法例に基づいて機能モジュールに区分されることが可能である。例えば、種々の機能に対応する機能モジュールが区分けによって得られてもよいし、あるいは少なくとも２つの機能が１つの処理モジュールに統合されてもよい。統合されたモジュールは、ハードウェアの形式で実装されてもよいし、あるいはソフトウェア機能モジュールの形式で実装されてもよい。本願において、モジュールの区分けは一例であり、単なる論理な機能の区分けに過ぎないことに留意すべきである。実際の実装の際には別の区分け方法が使用されてもよい。
【０１５３】
本願において記憶することは、１つ以上のメモリに記憶することを意味する可能性がある。１つ以上のメモリは、別々に配置されてもよいし、あるいはエンコーダ又はデコーダ、プロセッサ、チップ、通信装置、又は端末に統合されてもよい。代替的に、１つ以上のうちの幾つかのメモリは別々に配置されてもよいし、あるいはデコーダ、プロセッサ、チップ、通信装置、又は端末に統合されてもよい。メモリは任意の形式の記憶媒体であってもよい。これは本願において限定されない。
【０１５４】
本願の実施形態は通信装置を更に提供する。通信装置はプロセッサとメモリとを含む。メモリはコンピュータ・プログラムを記憶する。プロセッサがメモリに記憶されたコンピュータ・プログラムを読み出して実行する場合に、通信装置は、図４に示されるプロセスにおいて通信デバイスにより実行される方法、又は図５に示されるプロセスにおいてネットワーク・デバイスにより実行される方法を実現することが可能である。図８は、通信装置８００の概略構造図である。装置８００は、前述の方法の実施形態で説明される方法を実現するように構成されることが可能である。詳細については、前述の方法の実施形態における説明を参照されたい。通信装置８００は、チップ、基地局、端末、又は他のネットワーク・デバイスであってもよい。
【０１５５】
通信装置８００は１つ以上のプロセッサ８０１を含む。プロセッサ８０１は、汎用プロセッサ、専用プロセッサなどであってもよい。例えば、プロセッサ８０１は、ベースバンド・プロセッサ又は中央処理ユニットであってもよい。ベースバンド・プロセッサは、通信プロトコルと通信データとを処理するように構成されることが可能であり、中央処理ユニットは：通信装置（基地局、端末、又はチップなど）を制御し、ソフトウェア・プログラムを実行し、ソフトウェア・プログラムのデータを処理するように構成されることが可能である。
【０１５６】
可能な設計において、図６及び図７に示される１つ以上のモジュールは、１つ以上のプロセッサ、又は１つ以上のプロセッサ及びメモリを利用することによって実現されてもよい。
【０１５７】
可能な設計において、通信装置８００は１つ以上のプロセッサ８０１を含み、１つ以上のプロセッサ８０１は、前述のアップリンク同期方法を実現することが可能である。例えば、通信装置は基地局であってもよい。アップリンク・アドバンス・リファレンス値及びオフセットの決定については、図４及び図５の関連する部分の説明を参照されたい。詳細はここでは繰り返さない。
【０１５８】
オプションとして、設計において、プロセッサ８０１は命令８０３（場合によっては、コード又はプログラムとも呼ばれる）を含んでもよい。命令は、通信装置８００が前述の実施形態で説明された方法を実行するように、プロセッサ上で動作することが可能である。別の可能な設計において、通信デバイス８００は回路を更に含む可能性があり、回路は、前述の実施形態におけるアップリンク同期機能を実現することが可能である。
【０１５９】
オプションとして、設計において、通信装置８００は１つ以上のメモリ８０２を含んでもよい。メモリ８０２は命令８０４を記憶し、命令は、通信装置８００が前述の方法の実施形態で説明された方法を実行するように、プロセッサ上で動作することが可能である。
【０１６０】
オプションとして、メモリは更にデータを格納することが可能である。オプションとして、プロセッサは、命令及び／又はデータを格納することも可能である。プロセッサ及びメモリは、別々に配置されてもよいし、あるいは一緒に統合されてもよい。
【０１６１】
オプションとして、前述の実施形態において「記憶すること」は、メモリ８０２に記憶すること、又は他の周辺メモリ又は記憶装置に記憶することを意味する可能性がある。
【０１６２】
オプションとして、通信装置８００は、トランシーバ８０５とアンテナ８０６とを更に含んでもよい。プロセッサ８０１は、処理ユニットと言及されてもよく、通信装置（端末又は基地局）を制御することができる。トランシーバ８０５は、トランシーバ・ユニット、トランシーバ、トランシーバ回路、トランシーバなどと呼ばれ、アンテナ８０６を利用することにより通信装置の送信及び受信の機能を実現するように構成される。
【０１６３】
前述の装置の実施形態の具体的な実装は、方法の実施形態のものに対応する。装置の実施形態の具体的な実装及び有益な効果については、方法の実施形態の関連する説明を参照されたい。
【０１６４】
本願の実施形態はチップを更に提供する。チップはメモリに接続され、メモリはコンピュータ・プログラムを記憶し、チップは、メモリに記憶されたコンピュータ・プログラムを読み出して実行し、図４に示されるプロセスにおいて通信デバイスによって実行される方法、又は図５に示されるプロセスにおいてネットワーク・デバイスによって実行される方法を実現するように構成される。
【０１６５】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図４に示されるプロセスにおいて通信デバイスによって実行される方法を実現するために使用される。
【０１６６】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図５に示されるプロセスにおいてネットワーク・デバイスによって実行される方法を実現するために使用される。
【０１６７】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされ、本願の図４に示されるプロセスにおいて通信デバイスによって実行される方法を実現することができる。
【０１６８】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされて、本願の図５に示されるプロセスにおいてネットワーク・デバイスによって実行される方法を実現することができる。
【０１６９】
本願の実施形態は、更に、アップリンク同期方法を提供する。アップリンク同期法は、デュアル・コネクティビティ技術が導入される通信システムに適用可能である。デュアル・コネクティビティ技術では、複数の基地局が同時に端末に応対する。代替的に、アップリンク同期方法もまた、非理想的なバックホールの前提の下でキャリア・アグリゲーションに適用可能である。例えば、１つの端末が２つの基地局に接続されることが可能であり、それらはデータ通信のために非理想的なバックホールを介して接続される。典型的なシナリオは：１つの基地局がマクロ・セルであり、もう１つの基地局がスモール・セル、マイクロ・セル、又はピコ・セルであるというものである。例えば、マクロ・セルとスモール・セルは、標準的なＸ２インターフェースを介して接続される。図９は、デュアル・コネクティビティの制御プレーン・アーキテクチャ・トポロジーである。９０１は、マスター基地局ＭｅＮＢを表し、ＭｅＮＢはマクロ・セルであってもよく；９０２は、セカンダリ基地局ＳｅＮＢを表し、ＳｅＮＢは代替的にスモール・セルであってもよく；９０３は、コア・ネットワーク・デバイス、例えばモビリティ制御エンティティ（Ｍｏｂｉｌｉｔｙ  Ｍａｎａｇｅｍｅｎｔ  Ｅｎｔｉｔｙ，ＭＭＥ）を表す。端末、ＭｅＮＢ、及びＭＭＥの間のシグナリング接続は次のようであってもよい：例えば、端末は１つの無線リソース制御シグナリング（Ｒａｄｉｏ  Ｒｅｓｏｕｒｃｅ  Ｃｏｎｔｒｏｌ，ＲＲＣ）リンクと１つのＳ１シグナリング・リンクとを有する。ＳｅＮＢとＭｅＮＢは、Ｘ２インターフェース又は拡張Ｘ２インターフェースを介して接続される。
【０１７０】
キャリア・アグリゲーションは、図９のＭｅＮＢ及びＳｅＮＢの両方に設定されることが可能である。地上無線アクセス・ネットワーク（Ｔｅｒｒｅｓｔｒｉａｌ  Ｒａｄｉｏ  Ａｃｃｅｓｓ  Ｎｅｔｗｏｒｋ，Ｅ−ＵＴＲＡＮ）−ニュー・ラジオ（ｎｅｗ  ｒａｄｉｏ，ＮＲ）デュアル接続モード（略称ＥＮ−ＤＣモード）において、ネットワークの発展段階を考慮して、現在デフォルトではＥ−ＵＴＲＡＮはマスター・セル・グループに対応し、ＮＲはセカンダリ・セル・グループに対応する。ＮＲはまた、新世代ネットワークとも呼ばれてもよい。現在サポートされているＥＮ−ＤＣバンド（ｂａｎｄｗｉｄｔｈ）の組み合わせは、以下のいずれかのバンドの組み合わせを含む：
【０１７１】
ＬＴＥ：例えばバンド３であり、ここで、ダウンリンク帯域幅は１８０５ＭＨｚ〜１８８０ＭＨｚである可能性があり、アップリンク帯域幅は１７１０ＭＨｚ〜１７８５ＭＨｚであり（これは、ＦＤＤバンド周波数分割複信帯域幅である）、アップリンク（ｕｐｌｉｎｋ，ＵＬ）キャリアを含む。
【０１７２】
ＮＲバンド７８：例えばバンド７８であり、ここで、アップリンクとダウンリンク帯域幅の両方が３３００ＭＨｚ〜３８００ＭＨｚである可能性がある。
【０１７３】
ＮＲ：例えばバンド８０であり、ここで、アップリンク帯域幅は１７１０ＭＨｚ〜１７８５ＭＨｚである可能性があり、補助アップリンク・キャリア（ｓｕｐｐｌｅｍｅｎｔａｒｙ  ｕｐｌｉｎｋ，ＳＵＬ）を含む。
【０１７４】
ＮＲ  ＳＵＬキャリアとＬＴＥ  ＵＬ（アップリンク）キャリアとは同じスペクトル・リソースを共有することを学ぶことができる。例えば、ＳＵＬキャリアに対応する１つのＬＴＥ１．８Ｇセル及び１つのＮＲセルはＥＮ−ＤＣを形成する。オプションとして、ＮＲ  ＳＵＬキャリアとＬＴＥ  ＵＬキャリアとが同じ動作周波数である場合、ＵＥはＬＴＥバンド３の１．８Ｇキャリア上で動作するだけでなく、ＮＲ  ＳＵＬバンド８０の１．８Ｇ  ＳＵＬキャリア上でも動作することが可能である。この場合、ＬＴＥ  ＵＬキャリア及びＮＲ  ＳＵＬキャリアは、ＴＤＭ時分割多重モード又はＦＤＭ周波数分割多重モードにおいて１．８Ｇアップリンク周波数ドメイン・リソースで多重化されることが可能である。図１０は、ＴＤＭ時分割多重化の例示的な図である。本発明のこの実施形態では、ＮＲ  ＳＵＬキャリア及びＮＲ  ＵＬキャリアは、１つのＴＡＧに属する可能性があり、ＮＲ  ＳＵＬキャリアのＴＡオフセットは、ＮＲ  ＵＬキャリアのＴＡオフセットに基づいて決定される。
【０１７５】
本発明のこの実施形態では、アップリンク・リソースは、アップリンク送信に使用されるキャリアの一部（非ＣＡシナリオのキャリア及びＣＡシナリオのＣＣを含む）又はアップリンク送信に使用されるサービング・セルの一部（ＣＡシナリオのサービング・セル及び非ＣＡシナリオのサービング・セルを含む）として理解されることが可能である。ＣＡシナリオにおけるＣＣは、プライマリＣＣ又はセカンダリＣＣである可能性があり、ＣＡシナリオにおけるサービング・セルは、プライマリ・サービング・セル（ｐｒｉｍａｒｙ  ｃｅｌｌ，Ｐｃｅｌｌ）又はセカンダリ・サービング・セル（Ｓｅｃｏｎｄａｒｙ  ｃｅｌｌ，Ｓｃｅｌｌ）である可能性がある。アップリンク・リソースは、アップリンク・キャリアと言及される可能性もある。相応して、ダウンリンク伝送に使用されるキャリア又はサービング・セルの一部は、ダウンリンク・リソース又はダウンリンク・キャリアとして理解されることが可能である。例えば、周波数分割複信（ＦＤＤ）において、キャリアでアップリンク送信に使用される周波数リソースは、アップリンク・リソース又はアップリンク・キャリアとして理解されることが可能であり、ダウンリンク送信に使用される周波数リソースは、ダウンリンク・リソース又はダウンリンク・キャリアとして理解されることが可能である。別の例として、時分割複信（ｔｉｍｅ  ｄｉｖｉｓｉｏｎ  ｄｕｐｌｅｘ，ＴＤＤ）システムにおいて、キャリアでアップリンク送信に使用される時間ドメイン・リソースは、アップリンク・リソース又はアップリンク・キャリアとして理解されることが可能であり、ダウンリンク送信に使用される時間ドメイン・リソースは、ダウンリンク・リソース又はダウンリンク・キャリアとして理解されることが可能である。
【０１７６】
ＬＴＥ及びＮＲにおいて、セルは上位レイヤの概念であり、キャリアは物理レイヤの概念であることは指摘されるべきである。セルとキャリアとの間には対応がある。例えば、ＬＴＥでは、１つのセルは、１対のアップリンク及びダウンリンク・キャリア、又は唯１つのダウンリンク・キャリアを含むように設定されることが可能である。ＮＲにおいて、１つのセルは、１対のアップリンク及びダウンリンク・キャリア、又は唯１つのダウンリンク・キャリア、又は１つのダウンリンク・キャリア、１つのアップリンク・キャリア、及び１つの補助アップリンク・キャリア（ｓｕｐｐｌｅｍｅｎｔａｒｙ  ｕｐｌｉｎｋ，ＳＵＬ）を含むように設定されてもよい。キャリアとセルとの間の対応関係に起因して、１つのキャリアは１つのセルのみに対応し、いったんセルが設定されると、対応するキャリアを見出すことが可能であり、あるいはいったんキャリアが設定されると、対応するセルを見出すことが可能である。従って、セルとキャリアは、本発明において互いに厳密には区別されず、混同することなく可換に使用されることが可能である。
【０１７７】
前述のＥＮ−ＤＣデュアル・コネクティビティのシナリオでは、ＬＴＥ  ＦＤＤキャリアに対応するＮＴＡ−ｏｆｆｓｅｔ１は０であるので、ＵＥによって調整されるＬＴＥ  ＵＬキャリアのタイミング・アドバンスは、ＴＡリファレンス値、即ちＮＴＡ１＝ＴＡ１＋ＮＴＡ−ｏｆｆｓｅｔ１に基づいて決定されることが可能である。しかしながら、ＮＲ３．５Ｇ  ＴＤＤキャリアのＮＴＡ−ｏｆｆｓｅｔ２は１３μｓであり、ＵＥによって調整されるＳＵＬのタイミング・アドバンスは、ＴＡリファレンス値及びＴＡオフセット、即ちＮＴＡ２＝ＴＡ２＋ＮＴＡ−ｏｆｆｓｅｔ２に基づいて決定されることが可能である。ＮＲ  ＳＵＬとＬＴＥ  ＵＬは、ＬＴＥ  ＵＬの時間−周波リソースを共有するので、時間ドメインにおける直交性を保証するために、ＬＴＥ  ＵＬのタイミング・アドバンスは、ＮＲ  ＳＵＬのタイミング・アドバンス、即ち、ＴＡ１＋ＮＴＡ−ｏｆｆｓｅｔ１＝ＴＡ２＋ＮＴＡ−ｏｆｆｓｅｔ２に等しいことを必要とする。ここで、ＬＴＥはＦＤＤキャリアを使用し、即ちＮＴＡ−ｏｆｆｓｅｔ１＝０である一方、ＬＴＥネットワーク及びＮＲネットワークにより送信されるＴＡ調整値ＴＡ１及びＴＡ２はともに０以上である。従って、２つのＴＡ調整値が等しいことを保証するために、ＬＴＥ  ＵＬキャリアのＴＡ１はＳＵＬキャリアのＴＡオフセット値以上、即ちＴＡ１≧ＮＴＡ−ｏｆｆｓｅｔ２であることが少なくとも保証されることを必要とする。ＵＥにより受信されるＬＴＥ  ＵＬのＴＡコマンドは、取得したＴＡ１がＳＵＬキャリアのＴＡオフセット値以上であることを前提とする。本発明のこの実施形態では、オプションとして、ＬＴＥの場合において、受信したＴＡ１がＮＴＡ−ｏｆｆｓｅｔ２以上であると判断した場合、ＵＥは、アップリンク同期を実現するために、ＬＴＥ  ＵＬと同じ周波数のＳＵＬセルをＰＳＣｅｌｌとして追加することができる。ＮＲの場合において、受信したＴＡ２がＮＴＡ−ｏｆｆｓｅｔ１−ＮＴＡ−ｏｆｆｓｅｔ２以上であると判断した場合、ＵＥは、アップリンク同期を実現するために、ＬＴＥ  ＵＬと同じ周波数のＳＵＬセルをＰＳＣｅｌｌとして追加する。
【０１７８】
以上の理由から、本願の実施形態は、図１１に示すように、アップリンク同期方法の概略フローチャートを提供する。
【０１７９】
ステップ１１０１：第１ネットワーク・デバイスが、リクエストを第２ネットワーク・デバイスへ送信する。
【０１８０】
このステップでは、第１ネットワーク・デバイスは、第２ネットワーク・デバイスから上記の情報を取得するために、第２ＴＡＧ内の第２アップリンク・キャリアの第２ＴＡオフセット及び／又は第２ＴＡリファレンス値を、第２ネットワーク・デバイスから要求することができる。
【０１８１】
ステップ１１０２：第１ネットワーク・デバイスが、第２ＴＡＧ内の第２アップリンク・キャリアの第２ＴＡオフセットと第２ＴＡリファレンス値とに基づいて、第１ＴＡＧ内の第１アップリンク・キャリアの第１ＴＡリファレンス値を決定する。
【０１８２】
ステップ１１０３：第１ネットワーク・デバイスが、第１ＴＡリファレンス値を含むタイミング・アドバンス・コマンドを通信デバイスに送信する。
【０１８３】
前述のステップにおいて、第１ＴＡＧは第１通信規格の第１ネットワーク・デバイスに対応し、第２ＴＡＧは第２通信規格の第２ネットワーク・デバイスに対応する。第２ＴＡオフセットは、予め定義された固定値であってもよい。この場合、第１ネットワーク・デバイスは、第２ネットワーク・デバイスから第２ＴＡオフセットを要求しないかもしれない。例えば、ＥＮ−ＤＣシナリオにおいて、第１通信規格はＬＴＥであってもよく、第２通信規格はＮＲである；又は第１通信規格はＮＲであってもよく、第２通信規格はＬＴＥである。
【０１８４】
以下、２つのシナリオを別々に説明する。
【０１８５】
シナリオ１
【０１８６】
第１通信規格がＬＴＥであり、第２通信規格がＮＲである場合、第１ネットワーク・デバイスはＬＴＥ基地局である可能性があり、第２ネットワーク・デバイスはＮＲ基地局である可能性があり、第１アップリンク・キャリアはＬＴＥ  ＵＬキャリアである可能性があり、第２アップリンク・キャリアはＮＲ  ＳＵＬキャリアである可能性がある。このシナリオでは、ＬＴＥ基地局は、ＮＲ基地局から、ＮＲ  ＳＵＬキャリアのＴＡオフセットとＴＡリファレンス値とを取得し、ＮＲ  ＳＵＬキャリアのＴＡオフセットとＴＡリファレンス値とに基づいてＬＴＥ  ＵＬキャリアのＴＡリファレンス値を決定する。ＬＴＥ基地局は、決定されたＴＡリファレンス値を、タイミング・アドバンス・コマンド（ｔｉｍｉｎｇ  ａｄｖａｎｃｅ  ｃｏｍｍａｎｄ，ＴＡＣ）を利用することにより、通信デバイスに送信することが可能であり、通信デバイスは、ＵＬキャリアのＴＡリファレンス値とＵＬのＴＡオフセットとに基づいて、ＵＬキャリアのアップリンク送信タイミングを調整する。
【０１８７】
例えば、ＮＲアップリンク・タイミング・アドバンスについては、ＮＴＡ２＝ＴＡ２＋ＮＴＡ−ｏｆｆｓｅｔ２であり、ここで、ＴＡ２は図１１の第２リファレンス値を表し、ＮＴＡ−ｏｆｆｓｅｔ２は図１１の第２オフセットを表す。ＬＴＥアップリンク・タイミング・アドバンスについては、ＮＴＡ１＝ＴＡ１＋ＮＴＡ−ｏｆｆｓｅｔ１であり、ここで、ＴＡ１は図１１の第１リファレンス値を表し、ＮＴＡ−ｏｆｆｓｅｔ１は図１１の第１オフセットを表す。従って、アップリンク同期を実現するために、ＮＴＡ２はＮＴＡ１に等しいことを必要とし、ＬＴＥ基地局は、ＮＲ基地局のＴＡ２とＮＴＡ−ｏｆｆｓｅｔ２とをＮＲ基地局から取得することを必要とする。
【０１８８】
可能な実装において、ＬＴＥ基地局は、ＴＡ１が、少なくともＮＲ基地局のＮＴＡ−ｏｆｆｓｅｔ２とＬＴＥ基地局のＮＴＡ−ｏｆｆｓｅｔ１との間の差分より少なくとも大きいか又は等しいことを判定する。例えば、ＴＡ１はＴＡ２＋ＮＴＡ−ｏｆｆｓｅｔ２−ＮＴＡ−ｏｆｆｓｅｔ１に等しい。
【０１８９】
別の可能な実装において、第１アップリンク・キャリアがＦＤＤキャリアである場合、通常、ＮＴＡ−ｏｆｆｓｅｔ１は０に等しく、ＬＴＥ基地局によって配信されるＴＡ１は、ＮＲ基地局のＮＴＡ−ｏｆｆｓｅｔ２より少なくとも大きいか又は等しい。ＮＲ基地局のＳＵＬキャリアのＮＴＡ−ｏｆｆｓｅｔ２は、通常、ＳＵＬキャリアと同じサービング・セルに対応するＮＲ  ＵＬキャリアのＴＡオフセットに等しいことに留意すべきである。従って、ＮＴＡ−ｏｆｆｓｅｔ２は、ＳＵＬキャリアと同じサービング・セルに対応するＮＲ  ＵＬキャリアのＴＡオフセットに等しい。
【０１９０】
更に別の可能な実装において、ＬＴＥ  ＵＬキャリアが属するＴＡＧが更に少なくとも１つのＬＴＥ  ＴＤＤキャリアを有する場合、ＴＡＧは第２ネットワーク・デバイスに対応する第２ＴＡＧであり、ＬＴＥ  ＵＬキャリアのＮＴＡ−ｏｆｆｓｅｔ１は０からＬＴＥ  ＴＤＤキャリアのＴＡオフセットに等しい値に変化する。この場合、ＴＡ１は、少なくとも、ＮＲ基地局のＮＴＡ−ｏｆｆｓｅｔ２とＬＴＥ基地局のＮＴＡ−ｏｆｆｓｅｔ１との間の差分以上である。
【０１９１】
シナリオ２
【０１９２】
第１通信規格がＮＲであり、第２通信規格がＬＴＥである場合、第１ネットワーク・デバイスはＮＲ基地局である可能性があり、第２ネットワーク・デバイスはＬＴＥ基地局である可能性があり、第１アップリンク・キャリアはＮＲ  ＳＵＬキャリアである可能性があり、第２のアップリンク・キャリアはＬＴＥ  ＵＬキャリアである可能性がある。この場合、第１アップリンク・キャリア及び第２アップリンク・キャリアは、イントラ周波数キャリアであってもよい。このシナリオでは、ＮＲ基地局は、ＬＴＥ基地局から、ＬＴＥ  ＵＬキャリアのＴＡオフセットとＴＡリファレンス値とを取得し、ＬＴＥ  ＵＬキャリアのＴＡオフセットとＴＡリファレンス値とに基づいてＮＲ  ＳＵＬキャリアのＴＡリファレンス値を決定し、ここで、ＴＡオフセットはプロトコルで予め定められていてもよい。ＮＲ基地局は、ＴＡＣコマンドを利用することにより、決定したＴＡリファレンス値を通信デバイスに配信することができる。このように、通信デバイスは、ＳＵＬキャリアのＴＡリファレンス値とＳＵＬのＴＡオフセットとに基づいて、ＳＵＬキャリアのアップリンク送信タイミングを調整することができる。
【０１９３】
例えば、ＮＲアップリンク・タイミング・アドバンスについては、ＮＴＡ２＝ＴＡ２＋ＮＴＡ−ｏｆｆｓｅｔ２であり、ここで、ＴＡ２は図１１の第１リファレンス値を表し、ＮＴＡ−ｏｆｆｓｅｔ２は図１１の第１オフセットを表す。ＬＴＥアップリンク・タイミング・アドバンスについては、ＮＴＡ１＝ＴＡ１＋ＮＴＡ−ｏｆｆｓｅｔ１であり、ここで、ＴＡ１は図１１の第２リファレンス値を表し、ＮＴＡ−ｏｆｆｓｅｔ１は図１１の第２オフセットを表す。従って、アップリンク同期を実現するために、ＮＴＡ２はＮＴＡ１と等しいことを必要とする。可能な実装において、ＮＲ基地局は、ＬＴＥ基地局と相互作用し、ＬＴＥ基地局のＴＡ１及びＮＴＡ−ｏｆｆｓｅｔ１を積極的に取得し、ＴＡ２が、ＬＴＥ基地局のＮＴＡ−ｏｆｆｓｅｔ１とＮＲ基地局のＮＴＡ−ｏｆｆｓｅｔ２との間の差分以上であることを判定する。例えば、ＴＡ２はＴＡ１＋ＮＴＡ−ｏｆｆｓｅｔ１−ＮＴＡ−ｏｆｆｓｅｔ２に等しい。
【０１９４】
可能な実装において、第１アップリンク・キャリア、即ちＮＲ  ＳＵＬキャリアのＮＴＡ−ｏｆｆｓｅｔ２は、通常、ＳＵＬキャリアと同じサービング・セルに対応するＮＲ  ＵＬキャリアのＴＡオフセットに等しい。従って、ＮＴＡ−ｏｆｆｓｅｔ２は、ＳＵＬキャリアと同じサービング・セルに対応するＮＲ  ＵＬキャリアのＴＡオフセットに等しい。第２アップリンク・キャリア、即ちＬＴＥ  ＵＬキャリアは、通常、ＦＤＤキャリアである。従って、ＮＴＡ−ｏｆｆｓｅｔ１は通常０に等しく、ＬＴＥ基地局により配信されるＴＡ１は、ＮＲ基地局のＮＴＡ−ｏｆｆｓｅｔ２以上である。
【０１９５】
可能な実装において、ＬＴＥ  ＵＬキャリアが属するＴＡＧが更に少なくとも１つのＬＴＥ  ＴＤＤキャリアを有する場合、ＴＡＧは第２ネットワーク・デバイスに対応する第２ＴＡＧであり、ＴＡＧはｓＴＡＧ又はｐＴＡＧである可能性があり、ＬＴＥ  ＵＬキャリアのＮＴＡ−ｏｆｆｓｅｔ１は０からＬＴＥ  ＴＤＤキャリアのＴＡオフセットに等しい値に変化する。例えば、ＴＡ２は、ＬＴＥ基地局のＮＴＡ−ｏｆｆｓｅｔ１とＮＲ基地局のＮＴＡ−ｏｆｆｓｅｔ２との間の差分以上である。
【０１９６】
図１１の第１アップリンク・キャリア及び第２アップリンク・キャリアは、イントラ周波数キャリアであってもよいし、あるいは別の周波数ドメイン関係を充足するキャリアであってもよいことに留意すべきである。これは、本願のこの実施態様において特に限定されない。
【０１９７】
更に、本願の実施形態は、図１２に示すように、通信デバイス側からのアップリンク同期方法の概略フローチャートを更に提供する。
【０１９８】
ステップ１２０１：通信デバイスが、第１ネットワークにより送信されたタイミング・アドバンス・コマンドを受信する。
【０１９９】
ステップ１２０２：通信デバイスが、タイミング・アドバンス・コマンドにおける第１ＴＡリファレンス値に基づいて、第１アップリンク・キャリアのアップリンク送信タイミングを調整する。
【０２００】
本発明のこの実施形態では、通信デバイスはデュアル・コネクティビティ・モードで動作する。デュアル接続モードでは、通信デバイスは、第１ＴＡＧ内の第１アップリンク・キャリアに対応するセルと、第２ＴＡＧ内の第２アップリンク・キャリアに対応するセルとの両方への接続を確立することができる。
【０２０１】
オプションとして、通信デバイスは、タイミング・アドバンス・コマンドにおける第１ＴＡリファレンス値と、第１アップリンク・キャリアの第１ＴＡオフセットとに基づいて、第１アップリンク・キャリアのアップリンク送信タイミングを調整する。第１ＴＡオフセットはプロトコルで予め定められていてもよい。
【０２０２】
更に、第１ＴＡＧは第１通信規格の第１ネットワーク・デバイスに対応し、第２ＴＡＧは第２通信規格の第２ネットワーク・デバイスに対応する。例えば、ＥＮ−ＤＣシナリオでは、第１通信規格はＬＴＥである可能性があり、第２通信規格はＮＲであり；あるいは第１通信規格はＮＲである可能性があり、第２通信規格はＬＴＥである。
【０２０３】
以下、２つのシナリオを別々に説明する。
【０２０４】
シナリオ１
【０２０５】
第１通信規格がＬＴＥであり、第２通信規格がＮＲである場合、第１ネットワーク・デバイスはＬＴＥ基地局である可能性があり、第２ネットワーク・デバイスはＮＲ基地局である可能性があり、第１アップリンク・キャリアはＬＴＥ  ＵＬキャリアであり、第２アップリンク・キャリアはＮＲ  ＳＵＬキャリアである。このシナリオでは、通信デバイスは、ＬＴＥ基地局からＴＡＣコマンドを受信し、ＬＴＥ基地局は、ＮＲ基地局と相互作用した後に、ＬＴＥ  ＵＬキャリアのＴＡリファレンス値を決定する。可能な実装において、ＴＡリファレンス値は、ＳＵＬキャリアのＴＡオフセットとＬＴＥ基地局のＵＬキャリアのＴＡオフセットとの間の差分以上である。このように、ＬＴＥ  ＵＬキャリアのＴＡオフセットを受信した後に、通信デバイスは、ＵＬキャリアのＴＡリファレンス値がＳＵＬキャリアのＴＡオフセット以上であることを判定する。その後、アップリンク同期調整を実行することができる。
【０２０６】
可能な実装において、ＬＴＥ  ＵＬキャリアがＦＤＤキャリアである場合、ＬＴＥ  ＵＬキャリアのＴＡオフセットは０に等しい。ＮＲ  ＳＵＬキャリアのＴＡオフセットが１３μｓであると仮定すると、通信デバイスが、ＵＬキャリアのＴＡリファレンス値が１３μｓ以上であると判断した場合に、アップリンク同期調整を実行することが可能である。
【０２０７】
図１２の第１アップリンク・キャリア及び第２アップリンク・キャリアは、イントラ周波数キャリアであってもよいし、あるいは別の周波数ドメイン関係を充足するキャリアであってもよいことに留意すべきである。これは、本願のこの実施態様において特に限定されない。
【０２０８】
シナリオ２
【０２０９】
第１通信規格がＮＲであり、第２通信規格がＬＴＥである場合、第１ネットワーク・デバイスはＮＲ基地局である可能性があり、第２ネットワーク・デバイスはＬＴＥ基地局である可能性があり、第１アップリンク・キャリアはＮＲ  ＳＵＬキャリアであり、第２アップリンク・キャリアはＬＴＥ  ＵＬキャリアである。このシナリオでは、通信デバイスは、ＮＲ基地局からＴＡＣコマンドを受信する。ＮＲ基地局は、ＬＴＥ基地局と相互作用した後、ＮＲ  ＳＵＬキャリアのＴＡリファレンス値を決定するので、通信デバイスは、ＴＡリファレンス値を受信した後、アップリンク同期を実現することができる。
【０２１０】
可能な実装において、ＴＡリファレンス値は、ＵＬキャリアのＴＡオフセットとＮＲ基地局のＳＵＬキャリアのＴＡオフセットとの間の差分以上である。この場合、ＮＲ  ＳＵＬキャリアのＴＡオフセットを受信した後、通信デバイスは、ＳＵＬキャリアのＴＡリファレンス値がＵＬキャリアのＴＡオフセットとＮＲ基地局のＵＬキャリアのＴＡオフセットとの間の差異以上であることを判定する。その後、アップリンク同期調整を実行することが可能である。
【０２１１】
可能な実装において、ＮＲ  ＳＵＬキャリアのＴＡオフセットは、ＮＲ  ＳＵＬキャリアと同じサービング・セルに対応するＮＲ  ＵＬのＴＡオフセットに基づいて決定される。ＮＲ  ＵＬのＴＡオフセットが１３μｓであると仮定すると、ＬＴＥ  ＵＬキャリアが属するＴＡＧが更に少なくとも１つのＬＴＥ  ＴＤＤキャリアを有し、ＴＡＧが第２ネットワーク・デバイスに対応する第２ＴＡＧである場合、ＴＡＧはｓＴＡＧ又はｐＴＡＧである可能性があり、ＬＴＥ  ＵＬキャリアのＮＴＡ−ｏｆｆｓｅｔ１は、０からＬＴＥ  ＴＤＤキャリアのＴＡオフセットに等しい値に変化する。ＬＴＥ  ＴＤＤキャリアのＴＡオフセットが２０μｓであると仮定すると、ＮＲ基地局により通信デバイスへ配信されるＴＡリファレンス値は、２０μｓ−１３μｓ＝７μｓ以上である。
【０２１２】
第１ネットワーク・デバイスによって実行される前述の同期プロセスのために、本願の実施形態は装置を提供する。装置によって実行される具体的な内容については、図１１に示される方法の実施形態を参照されたい。図１３は、本願による装置の概略構造図である。装置は、送信ユニット１３０１と処理ユニット１３０２とを含む。本願の実装の際に、これらのユニットは、図１１の方法例における第１ネットワーク・デバイスの対応する機能を実行することができる。詳細については、方法例の詳細な説明を参照されたい。詳細はここでは繰り返さない。
【０２１３】
通信デバイスにより実行される前述のアップリンク同期方法プロセスに関し、本願は装置を提供する。装置によって実行される具体的な内容については、前述の方法の実施形態を参照されたい。図１４は、本願による装置の概略構造図である。装置は、受信ユニット１４０１と処理ユニット１４０２とを含む。本願の実装の際に、これらのユニットは、図１２の方法例における通信デバイスの対応する機能を実行することができる。詳細については、方法例の詳細な説明を参照されたい。詳細はここで繰り返さない。
【０２１４】
本願の実施形態は通信デバイスを更に提供する。通信装置はプロセッサとメモリとを含む。メモリはコンピュータ・プログラムを記憶する。プロセッサがメモリに記憶されたコンピュータ・プログラムを読み出して実行すると、通信装置は、図１１に示されるプロセスにおいて第１ネットワーク・デバイスによって実行される方法、又は図１２に示されるプロセスにおいて通信デバイスによって実行される方法を実現することができる。図１５は、通信装置１５００の概略構造図である。装置１５００は、前述の方法の実施形態に記載される方法を実現するように構成されることが可能である。詳細については、前述の方法の実施形態の説明を参照されたい。通信デバイス１５００は、チップ、基地局、端末、又は他のネットワーク・デバイスであってもよい。
【０２１５】
通信デバイス１５００は、１つ以上のプロセッサ１５０１を含む。プロセッサ１５０１は、汎用プロセッサ、専用プロセッサなどであってもよい。例えば、プロセッサ１５０１は、ベースバンド・プロセッサ又は中央処理ユニットであってもよい。ベースバンド・プロセッサは、通信プロトコル及び通信データを処理するように構成されることが可能であり、中央処理ユニットは：通信装置（基地局、端末、又はチップなど）を制御し、ソフトウェア・プログラムを実行し、ソフトウェア・プログラムのデータを処理するように構成されることが可能である。
【０２１６】
可能な設計において、図１３及び図１４に示される１つ以上のユニットは、１つ以上のプロセッサ、又は１つ以上のプロセッサ及びメモリを使用することにより実現されてもよい。
【０２１７】
可能な設計において、通信装置１５００は１つ以上のプロセッサ１５０１を含み、１つ以上のプロセッサ１５０１は、前述のアップリンク同期方法を実現することができる。例えば、通信装置は基地局であってもよい。アップリンク・アドバンス・リファレンス値及びオフセットの決定については、図１１及び図１２の関連する部分の説明を参照されたい。詳細はここでは繰り返さない。
【０２１８】
オプションとして、設計において、プロセッサ１５０１は命令１５０３（場合によってはコード又はプログラムとも呼ばれてもよい）を含む可能性がある。命令は、通信装置１５００が前述の実施形態で説明された方法を実行するように、プロセッサ上で動作することが可能である。別の可能な設計において、通信装置１５００は、回路を更に含む可能性があり、回路は、前述の実施形態においてアップリンク同期機能を実現する可能性がある。
【０２１９】
オプションとして、設計において、通信デバイス１５００は１つ以上のメモリ１５０２を含む可能性がある。メモリ１５０２は命令１５０４を記憶し、命令は、通信装置１５００が前述の方法の実施形態で説明された方法を実行するように、プロセッサ上で動作することが可能である。
【０２２０】
オプションとして、メモリは更にデータを格納することが可能である。オプションとして、プロセッサは、命令及び／又はデータを格納することも可能である。プロセッサ及びメモリは、別々に配置されてもよいし、あるいは一緒に統合されてもよい。
【０２２１】
オプションとして、前述の実施形態において「記憶すること」は、メモリ１５０２に記憶することを意味してもよいし、又は他の周辺メモリ又は記憶装置に記憶することを意味してもよい。
【０２２２】
オプションとして、通信装置１５００は、トランシーバ１５０５とアンテナ１５０６とを更に含んでもよい。プロセッサ１５０１は、処理ユニットと言及されてもよく、通信装置（端末又は基地局）を制御することができる。トランシーバ１５０５は、トランシーバ・ユニット、トランシーバ、トランシーバ回路、トランシーバなどと呼ばれ、アンテナ１５０６を利用することにより通信装置の送信及び受信の機能を実現するように構成される。
【０２２３】
前述の装置の実施形態の具体的な実装は、方法の実施形態のものに対応する。装置の実施形態の具体的な実装及び有益な効果については、方法の実施形態の関連する説明を参照されたい。
【０２２４】
本願の実施形態はチップを更に提供する。チップはメモリに接続され、メモリはコンピュータ・プログラムを記憶し、チップは、メモリに記憶されたコンピュータ・プログラムを読み出して実行し、図１１に示されるプロセスにおいて第１ネットワーク・デバイスによって実行される方法、又は図１２に示されるプロセスにおいて通信デバイスによって実行される方法を実現するように構成される。
【０２２５】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図１１に示されるプロセスにおいて第１ネットワーク・デバイスによって実行される方法を実現するために使用される。
【０２２６】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図１２に示されるプロセスにおいて通信デバイスによって実行される方法を実現するために使用される。
【０２２７】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされ、本願の図１１に示されるプロセスにおいて第１ネットワーク・デバイスによって実行される方法を実現することができる。
【０２２８】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされて、本願の図１２に示されるプロセスにおいて通信デバイスによって実行される方法を実現することができる。
【０２２９】
本願は実施形態に関連して説明されるが、保護を請求する本願を実施するプロセスにおいて、当業者は、添付図面、開示内容、及び添付の請求項を参照することによって、開示された実施形態の別の変形を理解し及び実施する可能性がある。特許請求の範囲において、「含む（ｃｏｍｐｒｉｓｉｎｇ）」は、別の構成要素又は別の工程を除外せず、「ある」又は「いずれかの」は、複数の場合を除外しない。単一のプロセッサ又は他のユニットは、特許請求の範囲に列挙される幾つかの機能を実現することができる。幾つかの手段は、互いに異なる従属請求項に記録されるが、これは、これらの手段がより良い効果を生み出すように組み合わせることができないことを意味しない。
【０２３０】
本願の実施形態は、方法、装置（デバイス）、又はコンピュータ・プログラム・プロダクトとして提供されてもよいことを、当業者は理解するはずである。従って、本願は、ハードウェアのみの実施形態、ソフトウェアのみの実施形態、又はソフトウェアとハードウェアの組み合わせによる実施形態の形態を使用することができる。これらはまとめて「モジュール」又は「システム」と言及される。更に、本願は、コンピュータで利用可能なプログラム・コードを含む、１つ以上のコンピュータ利用可能記憶媒体（ディスク・メモリ、ＣＤ−ＲＯＭ、光メモリなどを含むが、これらに限定されない）において実装されるコンピュータ・プログラム・プロダクトの形態を使用することができる。コンピュータ・プログラムは、適切な媒体に記憶／配信され、他のハードウェアと一緒にハードウェアの一部として提供又は使用され、例えば、インターネット又は他の有線若しくは無線通信システムを使用することによって、他の配信形態を使用することができる。
【０２３１】
本願は、本願の実施態様による方法、装置（デバイス）及びコンピュータ・プログラム・プロダクトのフローチャート及び／又はブロック図に関連して説明される。コンピュータ・プログラム命令は、フローチャート及び／又はブロック図における各プロセス及び／又は各ブロック、並びに、フローチャート及び／又はブロック図におけるプロセス及び／又はブロックの組み合わせを実現するために使用されてもよいことが理解されるべきである。これらのコンピュータ・プログラム命令は、汎用コンピュータ、専用コンピュータ、内蔵プロセッサ、又は他の任意のプログラマブル・データ処理デバイスに提供されることが可能であり、その結果、コンピュータ又は任意の他のプログラマブル・データ処理デバイスのプロセッサによって実行される命令は、フローチャートの１つ以上のプロセス及び／又はブロック図の１つ以上のブロックにおける特定の機能を実現するための装置を生成するように、マシンを生成する。
【０２３２】
これらのコンピュータ・プログラム命令は、特定の方法で動作するようにコンピュータ又は他の任意のプログラマブル・データ処理デバイスに命令することが可能なコンピュータ読み取り可能なメモリに格納されてもよく、その結果、コンピュータ読み取り可能なメモリに格納される命令は、命令装置を含む人工産物を生成する。命令装置は、フローチャートの１つ以上のプロセス及び／又はブロック図の１つ以上のブロックにおける特定の機能を実現する。
【０２３３】
これらのコンピュータ・プログラム命令はまた、コンピュータ又は別のプログラマブル・データ処理デバイスにロードされる可能性があり、その結果、一連の動作及びステップがコンピュータ又は別のプログラマブル・デバイスで実行され、それによって、コンピュータで実行される処理を生成する。従って、コンピュータ又は別のプログラマブル・デバイスで実行される命令は、フローチャートの１つ以上のプロセス及び／又はブロック図の１つ以上のブロックにおける特定の機能を実現するためのステップを提供する。
【０２３４】
本願は、特定の特徴及びその実施態様に関連して説明されるが、明らかに、様々な修正及び組み合わせが、本願の精神及び範囲から逸脱することなく、それらに対してなされる可能性がある。相応して、明細書及び添付図面は、添付の特許請求の範囲によって定義される本願の単なる例示的な説明であり、この出願の範囲をカバーする修正、変形、組み合わせ又は均等物のうちの何れか又は全てと考えられる。明らかに、当業者は、本願の精神及び範囲から逸脱することなく、本願に種々の修正及び変更を行うことが可能である。このように、本願は、以下の特許請求の範囲及びそれらの均等な技術によって定義される保護範囲内に該当することを条件として、本願のこれらの修正及び変形をカバーするように意図されている。
【図１】
2021517442.tif 000010
【図２】
2021517442.tif 000011
【図３】
2021517442.tif 000012
【図４】
2021517442.tif 000013
【図５】
2021517442.tif 000014
【図６】
2021517442.tif 000015
【図７】
2021517442.tif 000016
【図８】
2021517442.tif 000017
【図９】
2021517442.tif 000018
【図１０】
2021517442.tif 000019
【図１１】
2021517442.tif 000020
【図１２】
2021517442.tif 000021
【図１３】
2021517442.tif 000022
【図１４】
2021517442.tif 000023
【図１５】
2021517442.tif 000024
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
アップリンク同期方法であって：
ネットワーク・デバイスから、タイミング・アドバンス・コマンドを通信デバイスにより受信するステップであって、前記タイミング・アドバンス・コマンドはタイミング・アドバンスとＴＡリファレンス値とを含み、前記ＴＡリファレンス値はタイミング・アドバンス・グループＴＡＧ内のキャリアに対応する、ステップ；
前記通信デバイスにより、前記ＴＡＧ内の前記キャリアのうちの１つのキャリア情報に基づいて各キャリアのＴＡオフセットを決定するステップ；及び
前記通信デバイスにより、前記ＴＡリファレンス値と前記ＴＡオフセットのうちの１つとに基づいて前記ＴＡＧ内の各キャリアのアップリンク送信タイミングを調整するステップ；
を含み、前記１つのＴＡオフセットは、ＴＡオフセットの最大値である、方法。
【請求項２】
前記通信デバイスにより、前記ＴＡＧ内の前記キャリアのうちの１つのキャリア情報に基づいて各キャリアのＴＡオフセットを決定する前記ステップは：
前記通信デバイスにより、前記キャリア各々の周波数バンドに基づいて前記キャリア各々の前記ＴＡオフセットを決定するステップ；
を含み、前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項１に記載の方法。
【請求項３】
前記通信デバイスにより、前記ＴＡＧ内の前記キャリアのうちの１つのキャリア情報に基づいて各キャリアのＴＡオフセットを決定する前記ステップは：
前記通信デバイスにより、前記キャリア各々のサブキャリア間隔に基づいて前記キャリア各々の前記ＴＡオフセットを決定するステップ；
を含み、前記キャリアの前記サブキャリア間隔が或る値未満である場合に決定されるＴＡオフセットは、前記キャリアの前記サブキャリア間隔が前記値以上である場合に決定されるＴＡオフセットより大きい、請求項１又は２に記載の方法。
【請求項４】
アップリンク同期方法であって：
通信デバイスからのアップリンク信号に基づいてＴＡＧ内の各キャリアのＴＡオフセットとアップリンク・タイミング・アドバンスとをネットワーク・デバイスにより決定するステップ；
前記ネットワーク・デバイスにより、前記アップリンク・タイミング・アドバンスと最大ＴＡオフセットとに基づいてＴＡリファレンス値を決定するステップであって、前記最大ＴＡオフセットは前記通信デバイスに応対する前記ＴＡＧ内の複数のキャリアのＴＡオフセットの最大値であり、前記ＴＡリファレンス値は前記タイミング・アドバンス・グループＴＡＧ内のキャリアに対応し、前記ＴＡリファレンス値は前記アップリンク・タイミング・アドバンスと前記最大ＴＡオフセットとの間の差分である、ステップ；及び
前記ネットワーク・デバイスにより、タイミング・アドバンス・コマンドを前記通信デバイスに送信するステップであって、前記タイミング・アドバンス・コマンドは前記ＴＡリファレンス値を含む、ステップ；
を含む方法。
【請求項５】
通信デバイスからのアップリンク信号に基づいてＴＡＧ内の各キャリアのＴＡオフセットをネットワーク・デバイスにより決定する前記ステップは；
前記通信デバイスにより、前記キャリア各々の周波数バンドに基づいて前記キャリア各々の前記ＴＡオフセットを決定するステップ；
を含み、前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項４に記載の方法。
【請求項６】
通信デバイスからのアップリンク信号に基づいてＴＡＧ内の各キャリアのＴＡオフセットをネットワーク・デバイスにより決定する前記ステップは；
前記通信デバイスにより、前記キャリア各々のサブキャリア間隔に基づいて前記キャリア各々の前記ＴＡオフセットを決定するステップ；
を含み、前記キャリアの前記サブキャリア間隔が或る値未満である場合に決定されるＴＡオフセットは、前記キャリアの前記サブキャリア間隔が前記値以上である場合に決定されるＴＡオフセットより大きい、請求項４又は５に記載の方法。
【請求項７】
少なくとも１つのプロセッサと少なくとも１つのメモリとを含む装置であって、前記プロセッサは請求項１〜３のうちの何れか１項、請求項４〜６のうちの何れか１項に記載のアップリンク同期方法を実行するように構成されており、前記メモリは前記プロセッサに結合されている、装置。
【請求項８】
装置であって、前記装置は：
ネットワーク・デバイスからタイミング・アドバンス・コマンドを受信するように構成された受信ユニットであって、前記タイミング・アドバンス・コマンドはタイミング・アドバンスＴＡリファレンス値を含み、前記ＴＡリファレンス値はタイミング・アドバンス・グループＴＡＧ内のキャリアに対応する、受信ユニット；
前記ＴＡＧ内の前記キャリアのうちの１つのキャリア情報に基づいて各キャリアのＴＡオフセットを決定し、前記ＴＡリファレンス値と前記ＴＡオフセットのうちの１つとに基づいて前記キャリア各々のアップリンク送信タイミングを調整するように構成されている処理ユニット；
を含み、前記１つのＴＡオフセットは、ＴＡオフセットの最大値である、装置。
【請求項９】
前記処理ユニットは、更に：
前記キャリア各々の周波数バンドに基づいて前記キャリア各々の前記ＴＡオフセットを決定するように構成されており；
前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項８に記載の装置。
【請求項１０】
前記処理ユニットは、更に：
前記キャリア各々のサブキャリア間隔に基づいて前記キャリア各々の前記ＴＡオフセットを決定するように構成されており；
前記キャリアの前記サブキャリア間隔が或る値未満である場合に決定されるＴＡオフセットは、前記キャリアの前記サブキャリア間隔が前記値以上である場合に決定される前記ＴＡオフセットより大きい、請求項８又は９に記載の方法。
【請求項１１】
装置であって、前記装置は：
通信デバイスからのアップリンク信号に基づいてＴＡＧ内の各キャリアのＴＡオフセットとアップリンク・タイミング・アドバンスとを決定し；前記アップリンク・タイミング・アドバンスと最大ＴＡオフセットとに基づいてＴＡリファレンス値を決定するように構成された処理ユニットであって、前記最大ＴＡオフセットは前記通信デバイスに応対するＴＡＧ内の複数のキャリアのＴＡオフセットの最大値であり、前記ＴＡリファレンス値は前記タイミング・アドバンス・グループＴＡＧ内のキャリアに対応し、前記ＴＡリファレンス値は前記アップリンク・タイミング・アドバンスと前記最大ＴＡオフセットとの間の差分である、処理ユニット；及び
タイミング・アドバンス・コマンドを前記通信デバイスに送信するように構成された送信ユニットであって、前記タイミング・アドバンス・コマンドは前記ＴＡリファレンス値を含む、送信ユニット；
を含む装置。
【請求項１２】
前記処理ユニットは更に：
前記キャリア各々の周波数バンドに基づいて前記キャリア各々の前記ＴＡオフセットを決定するように構成されており；
前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項１１に記載の装置。
【請求項１３】
前記処理ユニットは更に：
前記キャリア各々のサブキャリア間隔に基づいて前記キャリア各々の前記ＴＡオフセットを決定するように構成されており；
前記キャリアの前記サブキャリア間隔が或る値未満である場合に決定されるＴＡオフセットは、キャリアの前記サブキャリア間隔が前記値以上である場合に決定される前記ＴＡオフセットより大きい、請求項１１又は１２に記載の装置。
【請求項１４】
アップリンク同期方法であって：
ネットワーク・デバイスから、タイミング・アドバンス・コマンドを通信デバイスにより受信するステップであって、前記タイミング・アドバンス・コマンドはタイミング・アドバンスＴＡリファレンス値を含み、前記ＴＡリファレンス値はタイミング・アドバンス・グループＴＡＧ内のキャリアに対応する、ステップ；
前記通信デバイスにより、前記キャリアのキャリア情報に基づいて前記キャリアのＴＡオフセットを決定するステップ；及び
前記通信デバイスにより、前記キャリアの前記ＴＡオフセットと前記ＴＡリファレンス値とに基づいて前記キャリアのアップリンク送信タイミングを調整するステップ；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、方法。
【請求項１５】
前記通信デバイスにより、前記キャリアのキャリア情報に基づいて前記キャリアのＴＡオフセットを決定する前記ステップは：
前記通信デバイスにより、前記キャリアの周波数バンドに基づいて前記キャリアの前記ＴＡオフセットを決定するステップ；
を含み、前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項１４に記載の方法。
【請求項１６】
前記通信デバイスにより、前記キャリアのキャリア情報に基づいて前記キャリアのＴＡオフセットを決定する前記ステップは：
前記通信デバイスにより、前記キャリアのサブキャリア間隔に基づいて前記キャリアの前記ＴＡオフセットを決定するステップ；
を含み、前記キャリアの前記サブキャリア間隔が或る値未満である場合に決定されるＴＡオフセットは、前記キャリアの前記サブキャリア間隔が前記値以上である場合に決定されるＴＡオフセットより大きい、請求項１４又は１５に記載の方法。
【請求項１７】
アップリンク同期方法であって：
通信デバイスからのアップリンク信号に基づいてアップリンク・タイミング・アドバンスとＴＡオフセットとをネットワーク・デバイスにより決定するステップ；
前記ネットワーク・デバイスにより、前記アップリンク・タイミング・アドバンスと前記ＴＡオフセットとに基づいてＴＡリファレンス値を決定するステップであって、前記ＴＡリファレンス値はタイミング・アドバンス・グループＴＡＧ内のキャリアに対応し、前記ＴＡリファレンス値は前記アップリンク・タイミング・アドバンスと前記ＴＡオフセットとの間の差分である、ステップ；及び
前記ネットワーク・デバイスにより、タイミング・アドバンス・コマンドを前記通信デバイスに送信するステップであって、前記タイミング・アドバンス・コマンドは前記ＴＡリファレンス値を含む、ステップ；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、方法。
【請求項１８】
通信デバイスからのアップリンク信号に基づいてＴＡオフセットをネットワーク・デバイスにより決定する前記ステップは；
前記ネットワーク・デバイスにより、前記キャリアの周波数バンドに基づいて前記アップリンク信号のキャリアのＴＡオフセットを決定するステップ；
を含み、前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項１７に記載の方法。
【請求項１９】
通信デバイスからのアップリンク信号に基づいてＴＡオフセットをネットワーク・デバイスにより決定する前記ステップは；
前記通信デバイスからの前記アップリンク信号におけるキャリアのサブキャリア間隔に基づいて各キャリアのＴＡオフセットを前記ネットワーク・デバイスにより決定するステップ；
を含み、前記キャリアの前記サブキャリア間隔が或る値未満である場合に決定されるＴＡオフセットは、前記キャリアの前記サブキャリア間隔が前記値以上である場合に決定されるＴＡオフセットより大きい、請求項１７又は１８に記載の方法。
【請求項２０】
少なくとも１つのプロセッサと少なくとも１つのメモリとを含む装置であって、前記プロセッサは請求項１４〜１６のうちの何れか１項、請求項１７〜１９のうちの何れか１項に記載のアップリンク同期方法を実行するように構成されており、前記メモリは前記プロセッサに結合されている、装置。
【請求項２１】
装置であって、前記装置は：
ネットワーク・デバイスから、タイミング・アドバンス・コマンドを受信するように構成された受信ユニットであって、前記タイミング・アドバンス・コマンドはタイミング・アドバンスＴＡリファレンス値を含み、前記ＴＡリファレンス値はタイミング・アドバンス・グループＴＡＧ内のキャリアに対応する、受信ユニット；
前記キャリアのキャリア情報に基づいて前記キャリアのＴＡオフセットを決定し、前記キャリアの前記ＴＡオフセットと前記ＴＡリファレンス値とに基づいて前記キャリアのアップリンク送信タイミングを調整するように構成された処理ユニット；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、装置。
【請求項２２】
前記処理ユニットは：
前記キャリアの周波数バンドに基づいて前記キャリアの前記ＴＡオフセットを決定するように構成されており、
前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項２１に記載の装置。
【請求項２３】
前記処理ユニットは：
前記キャリアのサブキャリア間隔に基づいて各キャリアの前記ＴＡオフセットを決定するように構成されており、
前記キャリアの前記サブキャリア間隔が或る値未満である場合に決定されるＴＡオフセットは、前記キャリアの前記サブキャリア間隔が前記値以上である場合に決定されるＴＡオフセットより大きい、請求項２１又は２２に記載の装置。
【請求項２４】
装置であって、前記装置は：
通信デバイスからのアップリンク信号に基づいてアップリンク・タイミング・アドバンスとＴＡオフセットとを決定し、前記アップリンク・タイミング・アドバンスと前記ＴＡオフセットとに基づいてＴＡリファレンス値を決定するように構成された処理ユニットであって、前記ＴＡリファレンス値はタイミング・アドバンス・グループＴＡＧ内のキャリアに対応し、前記ＴＡリファレンス値は前記アップリンク・タイミング・アドバンスと前記ＴＡオフセットとの間の差分である、処理ユニット；及び
タイミング・アドバンス・コマンドを前記通信デバイスに送信するように構成された送信ユニットであって、前記タイミング・アドバンス・コマンドは前記ＴＡリファレンス値を含む、送信ユニット；
を含み、前記ＴＡＧが複数のキャリアを含む場合に、前記ＴＡオフセットは、以下の条件：
前記ＴＡＧが第１タイプＴＡＧである場合に、前記ＴＡＧ内のどの２つのキャリアのＴＡオフセット間の差分も第１差分であり；又は前記ＴＡＧが第２タイプＴＡＧである場合に、前記ＴＡＧ内のどの２つのキャリアのＴＡオフセット間の差分も第２差分であり、前記第１差分は前記第２差分と同じであり、前記第１タイプＴＡＧ内の少なくとも１つのキャリアはプライマリ・サービング・セルＰＣｅｌｌ又はプライマリ・セカンダリ・サービング・セルＰＳＣｅｌｌに対応し、前記第２タイプＴＡＧ内の全てのキャリアはセカンダリ・サービング・セルＳＣｅｌｌに対応すること；
を充足する、装置。
【請求項２５】
前記処理ユニットは：
前記キャリアの周波数バンドに基づいて前記キャリアの前記ＴＡオフセットを決定するように構成されており、
前記キャリアの前記周波数バンドが或る周波数値未満である場合に決定されるＴＡオフセットは、前記キャリアの前記周波数バンドが前記周波数値以上である場合に決定されるＴＡオフセットより大きい、請求項２４に記載の装置。
【請求項２６】
前記処理ユニットは：
前記キャリアのサブキャリア間隔に基づいて各キャリアの前記ＴＡオフセットを決定するように構成されており、
前記キャリアの前記サブキャリア間隔が或る値未満である場合に決定されるＴＡオフセットは、前記キャリアの前記サブキャリア間隔が前記値以上である場合に決定されるＴＡオフセットより大きい、請求項２４又は２５に記載の装置。
【請求項２７】
アップリンク同期方法であって：
第２ＴＡＧ内の第２アップリンク・キャリアの第２ＴＡオフセットと第２ＴＡリファレンス値とを第２ネットワーク・デバイスから取得するように、第１ネットワーク・デバイスにより要求するステップであって、前記第２ＴＡＧは第２通信規格の前記第２ネットワーク・デバイスに対応する、ステップ；
前記第２ＴＡリファレンス値と前記第２ＴＡオフセットとに基づいて、第１ＴＡＧ内の第１アップリンク・キャリアの第１ＴＡリファレンス値を、前記第１ネットワーク・デバイスにより決定するステップであって、前記第１ＴＡＧは第１通信規格の前記第１ネットワーク・デバイスに対応する、ステップ；及び
前記第１ネットワーク・デバイスにより、前記第１ＴＡリファレンス値を含むタイミング・アドバンス・コマンドを通信デバイスに送信するステップ；
を含む方法。
【請求項２８】
前記第１ＴＡリファレンス値は、前記第２ＴＡオフセットと第１ＴＡオフセットとの間の差分以上である、請求項２７に記載の方法。
【請求項２９】
アップリンク同期方法であって：
第１ネットワーク・デバイスからのタイミング・アドバンス・コマンドを通信デバイスにより受信するステップであって、前記タイミング・アドバンス・コマンドは第１タイミング・アドバンスＴＡリファレンス値を含み、前記第１ＴＡリファレンス値は第１タイミング・アドバンス・グループＴＡＧ内の第１キャリアに対応し、前記第１ＴＡリファレンス値は第２アップリンク・キャリアの第２ＴＡオフセットと第２ＴＡリファレンス値とに基づいて決定され、前記第１ＴＡＧは第１通信規格の前記第１ネットワーク・デバイスに対応し、第２ＴＡＧは第２通信規格の第２ネットワーク・デバイスに対応する、ステップ；及び
前記通信デバイスにより、前記第１ＴＡリファレンス値に基づいて前記第１アップリンク・キャリアのアップリンク送信タイミングを調整するステップ；
を含む方法。
【請求項３０】
前記第１ＴＡリファレンス値は、前記第２ＴＡオフセットと第１ＴＡオフセットとの間の差分以上である、請求項２９に記載の方法。
【請求項３１】
少なくとも１つのプロセッサと少なくとも１つのメモリとを含む装置であって、前記プロセッサは請求項２７、２８、２９又は３０に記載のアップリンク同期方法を実行するように構成されており、前記メモリは前記プロセッサに結合されている、装置。
【請求項３２】
装置であって：
リクエストを第２ネットワーク・デバイスに送信するように構成された送信ユニットであって、前記リクエストは、第２ＴＡＧ内の第２アップリンク・キャリアの第２ＴＡオフセットと第２ＴＡリファレンス値とを取得することを要求するために使用され、前記第２ＴＡＧは第２通信規格の前記第２ネットワーク・デバイスに対応する、送信ユニット；
前記第２ＴＡリファレンス値と前記第２ＴＡオフセットとに基づいて、第１ＴＡＧ内の第１アップリンク・キャリアの第１ＴＡリファレンス値を決定するように構成された処理ユニットであって、前記第１ＴＡＧは第１通信規格の第１ネットワーク・デバイスに対応する、処理ユニット；及び
を含み、前記送信ユニットは、前記第１ＴＡリファレンス値を含むタイミング・アドバンス・コマンドを通信デバイスに送信するように更に構成されている、装置。
【請求項３３】
前記第１ＴＡリファレンス値は、前記第２ＴＡオフセットとＴＡオフセットとの間の差分以上である、請求項３２に記載の装置。
【請求項３４】
装置であって：
第１ネットワーク・デバイスからのタイミング・アドバンス・コマンドを受信するように構成された受信ユニットであって、前記タイミング・アドバンス・コマンドは第１タイミング・アドバンスＴＡリファレンス値を含み、前記第１ＴＡリファレンス値は第１タイミング・アドバンス・グループＴＡＧ内の第１アップリンク・キャリアに対応し、前記第１ＴＡリファレンス値は第２アップリンク・キャリアの第２ＴＡオフセットと第２ＴＡリファレンス値とに基づいて決定され、前記第１ＴＡＧは第１通信規格の前記第１ネットワーク・デバイスに対応し、前記第２ＴＡＧは第２通信規格の第２ネットワーク・デバイスに対応する、受信ユニット；及び
前記第１ＴＡリファレンス値に基づいて前記第１アップリンク・キャリアのアップリンク送信タイミングを調整するように構成された処理ユニット；
を含む装置。
【請求項３５】
前記第１ＴＡリファレンス値は、前記第２ＴＡオフセットと第１ＴＡオフセットとの間の差分以上である、請求項３４に記載の装置。
【請求項３６】
コンピュータ読み取り可能な記憶媒体であって、前記コンピュータ読み取り可能な記憶媒体は命令を含み、前記命令がコンピュータ上で動作すると、前記コンピュータは、請求項１〜３のうちの何れか１項、請求項４〜６のうちの何れか１項、請求項１４〜１６のうちの何れか１項、請求項１７〜１９のうちの何れか１項、請求項２７、２８、２９又は３０のうちの何れか１項に記載の方法を実行するように動作可能である、記憶媒体。
【請求項３７】
請求項１〜３のうちの何れか１項、請求項４〜６のうちの何れか１項、請求項１４〜１６のうちの何れか１項、請求項１７〜１９のうちの何れか１項、請求項２７、２８、２９又は３０のうちの何れか１項に記載の方法をコンピュータに実行させるコンピュータ・プログラム。
【手続補正２】
【補正対象書類名】明細書
【補正対象項目名】全文
【補正方法】変更
【補正の内容】
【発明の詳細な説明】
【背景技術】
【０００１】
本願は２０１８年２月１３日付で中国国家知識産権局に出願された「アップリンク同期方法及び装置」と題する中国特許出願番号第２０１８１０１５１０２８．３に対する優先権を主張しており、これは全体的に参照により本願に援用され、また本願は２０１８年４月４日付けで中国国家知識産権局に出願された「アップリンク同期方法及び装置」と題する中国特許出願番号第２０１８１０３０２３６６．２に対する優先権を主張し、これは全体的に参照により本願に援用されている。
【０００２】
技術分野
本願は、情報技術の分野、特にアップリンク同期方法及び装置に関連する。
【０００３】
背景
ワイヤレス通信システムでは、信号はエア・インターフェース経路を介して伝送され、信号が受信端に到達するまでに遅延が存在する。ワイヤレス通信システムでは、特定のフレーム構造が伝送に使用される。（端末からネットワーク側の送信ポイントへの）アップリンク伝送の場合、複数の端末は、アップリンク伝送中の様々な経路に起因する様々な伝送遅延を有する。送信端と受信端との間の一貫したタイミング関係を達成し、１つのセル内の様々な端末からのアップリンク送信間の干渉を回避するために、送信端はタイミング・アドバンス（Ｔｉｍｉｎｇ  Ａｄｖａｎｃｅ，ＴＡ）を有することを必要とする。図１はアップリンク同期の概略図である。図１に示すように、基地局がＴ０の時点でアップリンク送信を受信することを可能にするために、端末１はＴＡ１に従ってアップリンク送信を送る必要があり、端末２はＴＡ２に従ってアップリンク送信を送る必要がある。このようにして、基地局は、端末１からのアップリンク送信と、端末２からのアップリンク送信との両方をＴ０の時点で受信することができる。
【０００４】
ＴＡとキャリアの複信モードとの間に、ある関係が存在する。ロング・ターム・エボリューション（Ｌｏｎｇ  Ｔｅｒｍ  Ｅｖｏｌｕｔｉｏｎ，ＬＴＥ）システムを例に使用すると、ＴＡオフセット（ＴＡ  ｏｆｆｓｅｔ）は、時分割複信（Ｔｉｍｅ  Ｄｉｖｉｓｉｏｎ  Ｄｕｐｌｅｘｉｎｇ，ＴＤＤ）キャリアに対して更に設定される。この場合、ＴＤＤキャリアでは、アップリンク・タイミング・アドバンスの絶対時間は、アップリンク・タイミング・アドバンス（即ち、ＮＴＡ＋ＮＴＡｏｆｆｓｅｔ）の時間の粒度単位Ｔｓとの積である。換言すれば、アップリンク・タイミング・アドバンスは２つの部分を含み、１つはＴＡリファレンス値ＮＴＡであり、もう１つはＴＡオフセットＮＴＡｏｆｆｓｅｔである。ＬＴＥ及びＮＲの両方において、複数のタイミング・アドバンス・グループ（ＴＡＧ）がサポートされる。ＬＴＥでは、各ＴＡＧのキャリアのＴＡリファレンス値は同じであり、各ＴＡＧ内のキャリア全てのＴＡオフセットも同じである。
【０００５】
しかしながら、ＮＲシステムでは、各ＴＡＧ内のキャリアのＴＡリファレンス値は同じであるが、１つのＴＡＧ内のキャリアが異なるＴＡオフセットに対応する可能性がある。従って、ＮＲシステムでは、キャリアが異なるＴＡオフセットに対応する場合に、異なる端末間のアップリンク同期外れの問題が解決されることを要する。
【０００６】
この観点から、本願は、ＮＲシステムにおける端末間のアップリンク同期外れの問題を解決するように、アップリンク同期方法及び装置を提供する。
【０００７】
第１態様によれば、本願の実施形態はアップリンク同期方法を提供する。方法は：ネットワーク・デバイスにより送信されたタイミング・アドバンスＴＡコマンドを通信デバイスにより受信するステップであって、タイミング・アドバンス・コマンドはＴＡリファレンス値を含み、ＴＡリファレンス値はＴＡＧ内のキャリアに対応する、ステップ；ＴＡＧ内の任意のキャリアに関し、通信デバイスにより、キャリアのキャリア情報に基づいてキャリアのＴＡオフセットを決定するステップ；及びＴＡリファレンス値とキャリアのＴＡオフセットとに基づいてキャリアのアップリンク送信タイミングを調整するステップを含む。この場合において、ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又はＴＡＧが第２タイプＴＡＧである場合に、ＴＡＧ内のどの２つのキャリアのＴＡオフセット間の差分も第２差分であり、第１差分は第２差分と同じであること；
を充足する。
【０００８】
一般に、第１タイプＴＡＧ内の少なくとも１つのキャリアはプライマリ・セルＰＣｅｌｌ又はプライマリ・セカンダリ・セルＰＳＣｅｌｌに対応し、第２タイプＴＡＧ内の全てのキャリアはセカンダリ・セルＳＣｅｌｌに対応する。第１差分は第２差分と同じであるので、ＴＡＧにおける通信デバイスからのアップリンク送信が、別のＴＡＧにおける、通信デバイスと同じセルに位置する別の通信デバイスからのアップリンク送信と同期することを保証することが可能であり、それにより、ＮＲにおいてアップリンク同期外れに起因する信号干渉を回避する。
【０００９】
可能な設計において、通信デバイスは、先ずＴＡＧ内の複数のキャリアのＴＡオフセットの最大値を決定し、次いでＴＡリファレンス値と最大ＴＡオフセットとに基づいて、ＴＡＧ内の複数のキャリアのアップリンク送信タイミングを調整することができる。ＴＡＧ内の各キャリアのアップリンク送信タイミングはＴＡリファレンス値値と最大ＴＡオフセットとを利用することにより調整されることを学ぶことができる。従って、第１差分及び第２差分は両方とも０であり、なぜならこれは他のＴＡＧにおける通信デバイスと同じセルに位置する他の通信デバイスからのアップリンク送信とのアップリンク同期を保証することができるからである。
【００１０】
別の可能な設計において、通信デバイスは、キャリアの周波数バンドに基づいてキャリアのＴＡオフセットを決定することが可能であり、キャリアの周波数バンドが特定の周波数値未満である場合に決定されるＴＡオフセットは、キャリアの周波数バンドが特定の周波数値以上である場合に決定されるＴＡオフセットより大きい。例えば、６ＧＨｚを境界として使用すると、周波数バンドが６ＧＨｚ未満であるキャリアのＴＡオフセットは約１３μｓ（２５５６０Ｔｃに相当）であり、周波数バンドが６ＧＨｚ以上であるキャリアのＴＡオフセットは約７μｓ（１３７６３Ｔｃに相当）である。
【００１１】
別の可能な設計において、通信デバイスは、キャリアのサブキャリア間隔に基づいて各キャリアのＴＡオフセットを決定することが可能であり、キャリアのサブキャリア間隔が特定の値未満である場合に決定されるＴＡオフセットは、キャリアのサブキャリア間隔が特定の値以上である場合に決定されるＴＡオフセットより大きい。例えば、サブキャリア間隔が１５ｋＨｚ、３０ｋＨｚ及び６０ｋＨｚであるキャリアは同じＴＡオフセットに対応し、サブキャリア間隔が１２０ｋＨｚであるキャリアと、サブキャリア間隔が１２０ｋＨｚより大きい別のキャリアとは同じＴＡオフセットに対応する。
【００１２】
別の可能な設計において、通信デバイスのためにネットワーク側によって決定される対応するＴＡＧは、以下の特徴を有することが可能である：ＴＡＧ内のキャリアに対応するサブキャリア間隔は６０ｋＨｚ以下である、又はＴＡＧ内のキャリアに対応するサブキャリア間隔は６０ｋＨｚより大きい。言い換えると、一般に、サブキャリア間隔が１５ｋＨｚ、３０ｋＨｚ、６０ｋＨｚであるキャリアは同じＴＡオフセットに対応し、サブキャリア間隔が１２０ｋＨｚ以上である別のキャリアは同じＴＡオフセットに対応する。この場合、このようなグループ化方法で得られるＴＡＧ内のキャリアは、通常、同じＴＡオフセットに対応し、それによってアップリンク同期外れの問題を回避する。
【００１３】
また、更に別の可能な可能な設計において、ＮＲシステムでは、通信デバイスのためにネットワーク側によって設定されたＴＡＧが第１タイプＴＡＧであったとしても、通信デバイスはそれでもＴＡＧ内のキャリアのＴＡオフセットを異なる値に設定することが可能である。例えば、ＴＡＧ内に２つのキャリアが存在し、キャリアＡのＴＡオフセットは、キャリアＢのＴＡオフセットを参照せずに設定され、あるいはキャリアＡのＴＡオフセットは、キャリアＢのＴＡオフセットとは異なる。このように、ＴＡＧが第１タイプＴＡＧである場合、第１差分は第２差分と依然として等しくなり、１つのキャリアにおける１つのセル内で異なる通信デバイスからのアップリンク送信を同期させることを保証する。
【００１４】
前述の実施形態において、異なるアップリンク同期方法が組み合わされてもよいことに留意すべきである。換言すれば、通信デバイスは、前述の条件の少なくとも１つに基づいて、アップリンク同期を調整することを決定することができる。
【００１５】
第２態様によれば、本願の実施形態は、ネットワーク側からのアップリンク同期方法を更に提供する。方法は：通信デバイスにより送信されたアップリンク信号に基づいてアップリンクＴＡとＴＡオフセットとをネットワーク・デバイスにより決定するステップであって、アップリンクＴＡとＴＡオフセットとの間の差分はＴＡリファレンス値である、ステップ；ネットワーク・デバイスにより、ＴＡに基づいてＴＡリファレンス値を決定するステップであって、ＴＡリファレンス値はタイミング・アドバンス・グループＴＡＧ内のキャリアに対応する、ステップ；及びネットワーク・デバイスにより、タイミング・アドバンス・コマンドを通信デバイスに送信するステップであって、タイミング・アドバンス・コマンドはＴＡリファレンス値を含む、ステップを含む。このように、通信デバイスは、ネットワーク側と同様に、通信デバイスにより決定されるＴＡオフセットとＴＡリファレンス値とに基づいてアップリンク・タイミングを調整することができる。
【００１６】
ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又は前記ＴＡＧが第２タイプＴＡＧである場合に、ＴＡＧ内のどの２つのキャリアのＴＡオフセット間の差分も第２差分であり、第１差分は第２差分と同じであり、第１タイプＴＡＧ内の少なくとも１つのキャリアはプライマリ・セルＰＣｅｌｌ又はプライマリ・セカンダリ・セルＰＳＣｅｌｌに対応し、第２タイプＴＡＧ内の全てのキャリアはセカンダリ・セルＳＣｅｌｌに対応すること；
を充足することに留意すべきである。
【００１７】
このように、第１差分は第２差分と同じであるので、ＴＡＧにおける通信デバイスからのアップリンク送信が、別のＴＡＧにおける、通信デバイスと同じセルに位置する別の通信デバイスからのアップリンク送信と同期することを保証することが可能であり、それにより、ＮＲにおいてアップリンク同期外れに起因する信号干渉を回避する。
【００１８】
可能な設計において、ネットワーク・デバイスは、アップリンク・タイミング・アドバンスと最大ＴＡオフセットとに基づいてＴＡリファレンス値を決定し、最大ＴＡオフセットは通信デバイスに応対するＴＡＧ内の複数のキャリアのＴＡオフセットの最大値である。
【００１９】
可能な設計において、ネットワーク・デバイスは、キャリアの周波数バンドに基づいてキャリアのＴＡオフセットを決定することが可能であり、キャリアの周波数バンドが特定の周波数値未満である場合に決定されるＴＡオフセットは、キャリアの周波数バンドが特定の周波数値以上である場合に決定されるＴＡオフセットより大きい。例えば、６ＧＨｚを境界として使用すると、周波数バンドが６ＧＨｚ未満であるキャリアのＴＡオフセットは約１３μｓであり、周波数バンドが６ＧＨｚ以上であるキャリアのＴＡオフセットは約７μｓである。
【００２０】
別の可能な設計において、ネットワーク・デバイスは、キャリアのサブキャリア間隔に基づいて各キャリアのＴＡオフセットを決定することが可能であり、キャリアのサブキャリア間隔が特定の値未満である場合に決定されるＴＡオフセットは、キャリアのサブキャリア間隔が特定の値以上である場合に決定されるＴＡオフセットより大きい。例えば、サブキャリア間隔が１５ｋＨｚ、３０ｋＨｚ及び６０ｋＨｚであるキャリアは同じＴＡオフセットに対応し、サブキャリア間隔が１２０ｋＨｚであるキャリアと、サブキャリア間隔が１２０ｋＨｚより大きい別のキャリアとは同じＴＡオフセットに対応する。
【００２１】
別の可能な設計において、通信デバイスのためにネットワーク側によって決定される対応するＴＡＧは、以下の特徴を有することが可能である：ＴＡＧ内のキャリアに対応するサブキャリア間隔は６０ｋＨｚ以下である、又はＴＡＧ内のキャリアに対応するサブキャリア間隔は６０ｋＨｚより大きい。言い換えると、一般に、サブキャリア間隔が１５ｋＨｚ、３０ｋＨｚ、６０ｋＨｚであるキャリアは同じＴＡオフセットに対応し、サブキャリア間隔が１２０ｋＨｚより大きい別のキャリアは同じＴＡオフセットに対応する。この場合、このようなグループ化方法で得られるＴＡＧ内のキャリアは、通常、同じＴＡオフセットに対応し、それによって、アップリンク同期外れの問題を回避する。
【００２２】
また、更に別の可能な可能な設計において、ＮＲシステムでは、通信デバイスのためにネットワーク側によって設定されたＴＡＧが第１タイプＴＡＧであったとしても、通信デバイスはそれでもＴＡＧ内のキャリアのＴＡオフセットを異なる値に設定することが可能である。例えば、ＴＡＧ内に２つのキャリアが存在し、キャリアＡのＴＡオフセットは、キャリアＢのＴＡオフセットを参照せずに設定され、あるいはキャリアＡのＴＡ値は、キャリアＢのＴＡオフセットとは異なる。このように、ＴＡＧが第１タイプＴＡＧである場合、第１差分は第２差分と依然として等しくなり、１つのキャリアにおける１つのセル内で異なる通信デバイスからのアップリンク送信を同期させることを保証する。
【００２３】
前述の実施形態において、異なるアップリンク同期方法が組み合わされてもよいことに留意すべきである。換言すれば、ネットワーク・デバイスは、前述の条件の少なくとも１つに基づいて、アップリンク同期を調整することを決定することができる。
【００２４】
第３態様によれば、本願の実施形態は装置を更に提供する。装置は、第１態様の実施形態における通信デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００２５】
可能な設計において、装置の構造は受信ユニットと処理ユニットとを含む。受信ユニットは、ネットワーク・デバイスにより送信されたタイミング・アドバンス・コマンドを受信するように構成される。処理ユニットは、キャリアのキャリア情報に基づいてキャリアのＴＡオフセットを決定し、ＴＡリファレンス値とキャリアのＴＡオフセットとに基づいてキャリアのアップリンク送信タイミングを調整するように構成される。
【００２６】
ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又はＴＡＧが第２タイプＴＡＧである場合に、ＴＡＧ内のどの２つのキャリアのＴＡオフセット間の差分も第２差分であり、第１差分は第２差分と同じであり、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳＣｅｌｌに対応すること；
を充足することに留意すべきである。
【００２７】
削除
【００２８】
可能な設計において、ＴＡＧが複数のキャリアを含む場合に、処理ユニットは、具体的に：
ＴＡリファレンス値と最大ＴＡオフセットとに基づいて、ＴＡＧ内の複数のキャリアのアップリンク送信タイミングを調整するように構成されており、最大ＴＡオフセットは複数のキャリアのＴＡオフセットの最大値である。
【００２９】
別の可能な設計において、処理ユニットは、具体的に、キャリアの周波数バンドに基づいてキャリアのＴＡオフセットを決定するように構成されており；
キャリアの周波数バンドが特定の周波数値未満である場合に決定されるＴＡオフセットは、キャリアの周波数バンドが特定の周波数値以上である場合に決定されるＴＡオフセットより大きい。
【００３０】
第３の可能な設計において、処理ユニットは、具体的に、キャリアのサブキャリア間隔に基づいて各キャリアのＴＡオフセットを決定するように構成されており；
キャリアのサブキャリア間隔が特定の値未満である場合に決定されるＴＡオフセットは、キャリアのサブキャリア間隔が特定の値以上である場合に決定されるＴＡオフセットより大きい。
【００３１】
可能な実装において、ＴＡＧ内のキャリアに対応するサブキャリア間隔は６０ｋＨｚ以下である、又はＴＡＧ内のキャリアに対応するサブキャリア間隔は６０ｋＨｚより大きい。代替的に、可能な実装において、ＴＡＧ内のキャリア全てのＴＡオフセットは別々に設定されている。
【００３２】
本願のこの実施形態において、これらのユニットは、第１態様の実施形態における対応する機能を実行することが可能である。詳細については、実施形態の詳細な説明を参照されたい。詳細はここでは繰り返さない。
【００３３】
別の可能な設計において、装置が通信デバイス内のチップである場合、チップは、処理ユニットと通信ユニットとを含む。処理ユニットは例えばプロセッサであってもよい。通信ユニットは、例えば、入力／出力インターフェース、ピン、又は回路であってもよい。処理ユニットは、記憶ユニットに記憶されたコンピュータ実行可能命令を実行することが可能であり、その結果、第１態様又は可能な設計のうちの何れかにおけるアップリンク同期方法が実行される。オプションとして、記憶ユニットは、レジスタ又はキャッシュのようなチップ内の記憶ユニットであり、又は記憶ユニットは、リード・オンリ・メモリ、静的な情報及び命令を記憶することが可能な別のタイプの静的記憶装置、又はランダム・アクセス・メモリのような、通信デバイス内に位置するがチップ外に位置する記憶ユニットであってもよい。
【００３４】
第４態様によれば、本願の実施形態は装置を更に提供する。装置は、第２態様の実施形態におけるネットワーク・デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００３５】
可能な設計において、装置の構造は処理ユニットと送信ユニットとを含む。処理ユニットは：通信デバイスにより送信されたアップリンク信号に基づいてアップリンク・タイミング・アドバンスとＴＡオフセットとを決定し、アップリンク・タイミング・アドバンスに基づいてＴＡリファレンス値を決定するように構成され、ＴＡリファレンス値はタイミング・アドバンス・グループＴＡＧ内のキャリアに対応し、ＴＡリファレンス値はアップリンク・タイミング・アドバンスとＴＡオフセットとの間の差分である。送信ユニットは、タイミング・アドバンス・コマンドを通信デバイスに送信するように構成され、タイミング・アドバンス・コマンドはＴＡリファレンス値を含む。
【００３６】
ＴＡＧが複数のキャリアを含む場合に、ＴＡオフセットは、以下の条件：
ＴＡＧが第１タイプＴＡＧである場合に、ＴＡＧ内のどの２つのキャリアのＴＡオフセット間の差分も第１差分であり；又はＴＡＧが第２タイプＴＡＧである場合に、ＴＡＧ内のどの２つのキャリアのＴＡオフセット間の差分も第２差分であり、第１差分は第２差分と同じであり、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳＣｅｌｌに対応すること；
を充足することに留意すべきである。
可能な設計において、処理ユニットは、具体的に：
アップリンク・タイミング・アドバンスと最大ＴＡオフセットとに基づいて、ＴＡリファレンス値を決定するように構成されており、最大ＴＡオフセットは、通信デバイスに応対するＴＡＧ内の複数のキャリアのＴＡオフセットの最大値である。
【００３７】
別の可能な設計において、処理ユニットは、具体的に、キャリアの周波数バンドに基づいてキャリアのＴＡオフセットを決定するように構成されており、
キャリアの周波数バンドが特定の周波数値未満である場合に決定されるＴＡオフセットは、キャリアの周波数バンドが特定の周波数値以上である場合に決定されるＴＡオフセットより大きい。
【００３８】
別の可能な設計において、処理ユニットは、具体的に、キャリアのサブキャリア間隔に基づいて各キャリアのＴＡオフセットを決定するように構成されており、
キャリアのサブキャリア間隔が特定の値未満である場合に決定されるＴＡオフセットは、キャリアのサブキャリア間隔が特定の値以上である場合に決定されるＴＡオフセットより大きい。
【００３９】
可能な実装において、ＴＡＧ内のキャリアに対応するサブキャリア間隔は６０ｋＨｚ以下である、又はＴＡＧ内のキャリアに対応するサブキャリア間隔は６０ｋＨｚより大きい。代替的に、ＴＡＧ内のキャリア全てのＴＡオフセットは別々に設定されている。
【００４０】
本願のこの実施形態において、これらのユニットは、第２態様の実施形態における対応する機能を実行することが可能である。詳細については、実施形態の詳細な説明を参照されたい。詳細はここでは繰り返さない。
【００４１】
別の可能な設計において、装置がネットワーク・デバイス内のチップである場合、チップは、処理ユニットと通信ユニットとを含む。処理ユニットは例えばプロセッサであってもよい。通信ユニットは、例えば、入力／出力インターフェース、ピン、又は回路であってもよい。処理ユニットは、記憶ユニットに記憶されたコンピュータ実行可能命令を実行することが可能であり、その結果、第１態様又は可能な設計のうちの何れかにおけるアップリンク同期送信方法が実行される。オプションとして、記憶ユニットは、レジスタ又はキャッシュのようなチップ内の記憶ユニットであり、又は記憶ユニットは、リード・オンリ・メモリ、静的な情報及び命令を記憶することが可能な別のタイプの静的記憶装置、又はランダム・アクセス・メモリのような、ネットワーク・デバイス内に位置するがチップ外に位置する記憶ユニットであってもよい。
【００４２】
第５態様によれば、本願の実施形態はアップリンク同期方法を提供する。方法は：第２ＴＡＧ内の第２アップリンク・キャリアの第２ＴＡオフセットと第２ＴＡリファレンス値とを第２ネットワーク・デバイスから取得することを、第１ネットワーク・デバイスにより要求するステップ；及び第２ＴＡリファレンス値と第２ＴＡオフセットとに基づいて、第１ＴＡＧ内の第１アップリンク・キャリアの第１ＴＡリファレンス値を、第１ネットワーク・デバイスにより決定するステップを含む。第１ＴＡＧは第１通信規格の第１ネットワーク・デバイスに対応し、第２ＴＡＧは第２通信規格の第２ネットワーク・デバイスに対応する。従って、第１ネットワーク・デバイスによって決定される第１ＴＡリファレンス値は、第１アップリンク・キャリアの第１ＴＡオフセットと第２ＴＡオフセットとの間の差分以上である。このように、第１ネットワーク・デバイスが第１ＴＡリファレンス値を含むタイミング・アドバンス・コマンドを通信デバイスに送信した後、通信デバイスは、第１ＴＡリファレンス値と第１ＴＡオフセットとに基づいて、第１アップリンク・キャリアのアップリンク送信タイミングを調整することができる。
【００４３】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００４４】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００４５】
第６態様によれば、本願の実施形態はアップリンク同期方法を提供する。方法は：第１ネットワーク・デバイスにより送信されたタイミング・アドバンス・コマンドを通信デバイスにより受信するステップであって、タイミング・アドバンス・コマンドは第１タイミング・アドバンスＴＡリファレンス値を含み、第１ＴＡリファレンス値は第１タイミング・アドバンス・グループＴＡＧ内の第１キャリアに対応し、第１ＴＡリファレンス値は第２アップリンク・キャリアの第２ＴＡオフセットと第２ＴＡリファレンス値とに基づいて決定され、第１ＴＡＧは第１通信規格の第１ネットワーク・デバイスに対応し、第２ＴＡＧは第２通信規格の第２ネットワーク・デバイスに対応する、ステップ；及び通信デバイスにより、第１ＴＡリファレンス値に基づいて第１アップリンク・キャリアのアップリンク送信タイミングを調整するステップを含む。
【００４６】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００４７】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００４８】
第７態様によれば、本願の実施形態は装置を更に提供する。装置は、第５態様の実施形態における第１ネットワーク・デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００４９】
可能な設計において、装置の構造は送信ユニットと処理ユニットとを含む。送信ユニットは、リクエストを第２ネットワーク・デバイスに送信するように構成され、送信されるリクエストは、第２ＴＡＧ内の第２アップリンク・キャリアの第２ＴＡオフセットと第２ＴＡリファレンス値とを取得することを要求するために使用され、第２ＴＡＧは第２通信規格の第２ネットワーク・デバイスに対応する。処理ユニットは、第２ＴＡリファレンス値と第２ＴＡオフセットとに基づいて、第１ＴＡＧ内の第１アップリンク・キャリアの第１ＴＡリファレンス値を決定するように構成され、第１ＴＡＧは第１通信規格の第１ネットワーク・デバイスに対応する。送信ユニットは、第１ＴＡリファレンス値を含むタイミング・アドバンス・コマンドを通信デバイスに送信するように更に構成されている。
【００５０】
従って、第１処理ユニットによって決定される第１ＴＡリファレンス値は、第１アップリンク・キャリアの第１ＴＡオフセットと第２ＴＡオフセットとの間の差分以上である。このように、処理ユニットに対応する第１ネットワーク・デバイスが第１ＴＡリファレンス値を含むタイミング・アドバンス・コマンドを通信デバイスに送信した後、通信デバイスは、第１ＴＡリファレンス値と第１ＴＡオフセットとに基づいて、第１アップリンク・キャリアのアップリンク送信タイミングを調整することができる。
【００５１】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００５２】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００５３】
第８態様によれば、本願の実施形態は装置を更に提供する。装置は、第６態様の実施形態における通信デバイスの動作を実現する機能を有する。機能は、ハードウェアによって実現されてもよいし、又は対応するソフトウェアを実行することによってハードウェアによって実現されてもよい。ハードウェア又はソフトウェアは、前述の機能に対応する１つ以上のモジュールを含む。
【００５４】
可能な設計において、装置の構造は受信ユニットと処理ユニットとを含む。受信ユニットは、第１ネットワーク・デバイスにより送信されたタイミング・アドバンス・コマンドを受信するように構成され、タイミング・アドバンス・コマンドは第１タイミング・アドバンスＴＡリファレンス値を含み、第１ＴＡリファレンス値は第１タイミング・アドバンス・グループＴＡＧ内の第１アップリンク・キャリアに対応し、第１ＴＡリファレンス値は第２アップリンク・キャリアの第２ＴＡオフセットと第２ＴＡリファレンス値とに基づいて決定され、第１ＴＡＧは第１通信規格の前記第１ネットワーク・デバイスに対応し、第２ＴＡＧは第２通信規格の第２ネットワーク・デバイスに対応する。処理ユニットは、第１ＴＡリファレンス値に基づいて第１アップリンク・キャリアのアップリンク送信タイミングを調整するように構成されている。
【００５５】
従って、第１ネットワーク・デバイスユニットによって決定される第１ＴＡリファレンス値は、第１アップリンク・キャリアの第１ＴＡオフセットと第２ＴＡオフセットとの間の差分以上である。このように、第１ネットワーク・デバイスが第１ＴＡリファレンス値を含むタイミング・アドバンス・コマンドを通信デバイスに送信した後、通信デバイスは、第１ＴＡリファレンス値と第１ＴＡオフセットとに基づいて、第１アップリンク・キャリアのアップリンク送信タイミングを調整することができる。
【００５６】
可能な設計において、第１通信規格がＬＴＥであり、第２通信規格がＮＲである場合、第１アップリンク・キャリアはＬＴＥ  ＵＬキャリアであり、第２アップリンク・キャリアはＮＲ  ＳＵＬキャリアであり；第２アップリンク・キャリアの第２ＴＡオフセットは、第２アップリンク・キャリアと同じサービング・セルに対応するＮＲ  ＵＬキャリアのＴＡオフセットに基づいて決定される。
【００５７】
別の可能な設計において、第１通信規格がＮＲであり、第２通信規格がＬＴＥである場合、第１アップリンク・キャリアはＮＲ  ＳＵＬキャリアであり、第２アップリンク・キャリアはＬＴＥ  ＵＬキャリアであり；第２アップリンク・キャリアの第２ＴＡオフセットは、第２アップリンク・キャリアと同じＴＡＧに属するＴＤＤキャリアのＴＡオフセットに基づいて決定される。
【００５８】
第９態様によれば、本願の実施形態は、少なくとも１つのプロセッサと少なくとも１つのメモリとを含む装置を提供する。プロセッサは、第１態様、第２態様、又は第１態様及び第２態様の可能な設計のうちの任意の１つにおけるアップリンク同期方法を実行するように構成される。メモリはプロセッサに結合される。
【００５９】
第１０態様によれば、本願の実施形態は、少なくとも１つのプロセッサと少なくとも１つのメモリとを含む装置を提供する。少なくとも１つのメモリは少なくとも１つのプロセッサに結合され、少なくとも１つのメモリはコンピュータ・プログラム・コードを格納するように構成され、コンピュータ・プログラム・コードはコンピュータ命令を含み、１つ以上のプロセッサがコンピュータ命令を実行すると、装置は、第１態様、第２態様、又は第１態様及び第２態様の可能な設計のうちの任意の１つにおけるアップリンク同期方法、又は、第５態様、第２態様、又は第５態様及び第２態様の可能な設計のうちの任意の１つにおけるアップリンク同期方法を実行する。
【００６０】
第１１態様によれば、本願の実施形態は、少なくとも１つのプロセッサを含む装置を提供する。プロセッサは、第１態様、第２態様、又は第１態様及び第２態様の可能な設計のうちの任意の１つにおけるアップリンク同期方法、又は、第５態様、第６態様、又は第５態様及び第６態様の可能な設計のうちの任意の１つにおけるアップリンク同期方法を実行するように構成される。
【００６１】
第１２態様によれば、本願の実施形態はチップを提供する。チップは装置の形態で存在し、チップは前述の態様における任意の装置であってもよい。
【００６２】
本願の実施形態で提供されるアップリンク同期方法は、ＮＲシステムに適用可能である。その理由は、ＮＲシステムでキャリア・アグリゲーションが実行される際の様々なキャリアが、複数の異なるＴＡオフセットに対応する場合、１つのキャリアにおける異なるユーザーからのアップリンク送信は同期していない可能性があるためである。本願の実施形態によれば、ＴＡＧ内の各キャリアのＴＡオフセットは、ＴＡＧ内のキャリアのキャリア情報に基づいて決定され、ＴＡＧ内の各キャリアのアップリンク送信タイミングは、ＴＡＧ内のキャリアのＴＡオフセットとＴＡリファレンス値とに基づいて調整される。更に、ＴＡＧが第１タイプＴＡＧである場合に、ＴＡＧ内のどの２つのキャリアのＴＡオフセットの差分も第１差分であり、あるいはＴＡＧが第２タイプＴＡＧである場合に、ＴＡＧ内のどの２つのキャリアのＴＡオフセットの差分も第２差分であり、第１差分は第２差分と同じである。第１差分は第２差分と同じであるので、ＴＡＧにおける通信デバイスからのアップリンク送信が、別のＴＡＧにおける、通信デバイスと同じセルに位置する別の通信デバイスからのアップリンク送信と同期することを保証することが可能であり、それにより、ＮＲにおいてアップリンク同期外れに起因する信号干渉を回避する。
【００６３】
更に、本願の実施形態で提供されるアップリンク同期方法は、デュアル・コネクティビティ・システムに適用可能である。デュアル・コネクティビティ・システムでは、異なる通信規格のネットワーク・デバイスが互いに相互作用することが可能である。従って、ＬＴＥ基地局は、ＮＲ基地局のＴＡオフセットとＴＡリファレンスとに基づいてＬＴＥアップリンク・キャリアのＴＡリファレンス値を決定することが可能であり；あるいは、ＮＲ基地局は、基地局のＴＡオフセットとＴＡリファレンス値とに基づいてＮＲアップリンク・キャリアのＴＡリファレンス値を決定することが可能である。通信デバイスによって受信されるＴＡリファレンス値は、指定された条件を充足するので、アップリンク同期が実現され、それによりアップリンク同期外れに起因する信号干渉を回避する。
【図面の簡単な説明】
【００６４】
【図１】従来技術におけるアップリンク同期の概略図である。
【００６５】
【図２】本願の実施形態による通信システムのアーキテクチャ・フローチャートである。
【００６６】
【図３】本願の実施形態によるキャリア・アグリゲーションにおけるマルチ端末アップリンク伝送の概略図である。
【００６７】
【図４】本願の実施形態による通信デバイスによって実行されるアップリンク同期方法の概略フローチャートである。
【００６８】
【図５】本願の実施形態によるネットワーク・デバイスによって実行されるアップリンク同期方法の概略フローチャートである。
【００６９】
【図６】本願の実施形態による装置の概略構造図である。
【００７０】
【図７】本願の実施形態による別の装置の概略構造図１である。
【００７１】
【図８】本願の実施形態による通信デバイスの概略構造図１である。
【００７２】
【図９】本願の実施形態によるデュアル・コネクティビティ・システムの概略構造図である。
【００７３】
【図１０】本願の実施形態によるイントラ周波数キャリアの概略図である。
【００７４】
【図１１】本願の実施形態によるネットワーク・デバイス側におけるアップリンク同期方法の概略図である。
【００７５】
【図１２】本願の実施形態による通信デバイス側におけるアップリンク同期方法の概略図である。
【００７６】
【図１３】本願の実施形態による装置の概略構造図２である。
【００７７】
【図１４】本願の実施形態による別の装置の概略構造図２である。
【００７８】
【図１５】本願の実施形態による通信デバイスの概略構造図である。
【発明を実施するための形態】
【００７９】
以下、添付図面を参照して本願を更に詳細に説明する。
【００８０】
本願の実施形態は、移動通信用グローバル・システム（ｇｌｏｂａｌ  ｓｙｓｔｅｍ  ｆｏｒ  ｍｏｂｉｌｅ  ｃｏｍｍｕｎｉｃａｔｉｏｎ，ＧＳＭ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ，ＷＣＤＭＡ）システム、及びロング・ターム・エボリューション（ｌｏｎｇ  ｔｅｒｍ  ｅｖｏｌｕｔｉｏｎ，ＬＴＥ）システムなどの既存のセルラー通信システムに適用されることが可能である。本願の実施形態は、将来の通信システム、例えばＮＲアクセス・ネットワークを使用する通信システム、クラウド無線アクセス・ネットワーク（ｃｌｏｕｄ  ｒａｄｉｏ  ａｃｃｅｓｓ  ｎｅｔｗｏｒｋ，ＣＲＡＮ）などの５Ｇ（第５世代移動通信）システムにも適用可能であり、また、ワイヤレス・フィデリティ（ｗＩｒｅｌｅｓｓ−ｆｉｄｅｌｉｔｙ，Ｗｉ−Ｆｉ）システム、マイクロ波アクセスの全世界相互運用（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，ＷｉＭＡＸ）、及び３ＧＰＰに関連するセルラー・システムなどの同様のワイヤレス通信システムにも適用可能である。
【００８１】
図２は、本願が適用可能なアプリケーション・シナリオの概略図である。本発明の実施形態で説明されるネットワーク・アーキテクチャ及びサービス・シナリオは、本発明の実施形態の技術的解決策をより明確に説明するために使用されるが、本発明の実施形態で提供される技術的解決策を制限するものではない。本発明の実施形態で提供される技術的解決策は、ネットワーク・アーキテクチャが進化し且つ新しいサービス・シナリオが現れる場合に、同様な技術的問題に適用可能であることを、当業者は分かっているであろう。
【００８２】
図２は本発明における可能な適用シナリオの概略図である。アプリケーション・シナリオでは、少なくとも１つの端末１０は、無線アクセス・ネットワーク（ｒａｄｉｏ  ａｃｃｅｓｓ  ｎｅｔｗｏｒｋ，ＲＡＮ）と通信する。ＲＡＮは、少なくとも１つの基地局２０（ｂａｓｅ  ｓｔａｔｉｏｎ，ＢＳ）を含む。明確化のために、ただ１つの基地局と１つのＵＥが図面に示されている。ＲＡＮはコア・ネットワーク（ｃｏｒｅ  ｎｅｔｗｏｒｋ，ＣＮ）に接続される。オプションとして、ＣＮは、インターネット及び公衆交換電話網（ｐｕｂｌｉｃ  ｓｗｉｔｃｈｅｄ  ｔｅｌｅｐｈｏｎｅ  ｎｅｔｗｏｒｋ，ＰＳＴＮ）のような１つ以上の外部ネットワーク（ｅｘｔｅｒｎａｌ  ｎｅｔｗｏｒｋ）に結合されてもよい。
【００８３】
明確化のために、以下、本願で使用される幾つかの名詞を説明する。
【００８４】
（１）通信デバイスは、端末、ユーザー装置（Ｕｓｅｒ  Ｅｑｕｉｐｍｅｎｔ，ＵＥ）、又はユーザーに音声及び／又はデータ接続を提供するデバイス、例えばハンドヘルド・デバイス又は無線接続機能を有する車載デバイスとも言及される。一般の端末は、例えば、携帯電話、タブレット・コンピュータ、ノートブック・コンピュータ、パームトップ・コンピュータ、モバイル・インターネット・デバイス（ｍｏｂｉｌｅ  ｉｎｔｅｒｎｅｔ  ｄｅｖｉｃｅ，ＭＩＤ）、又は、スマート・ウォッチ、スマート・バンド及び歩数計などのウェアラブル・デバイスを含む。通信デバイスは、チップを利用することによって実現されてもよい。以下、説明を簡単にするために、通信デバイスはまとめてＵＥと言及される。
【００８５】
（２）ネットワーク・デバイスは、例えば、基地局であってもよい。基地局はまた、無線アクセス・ネットワーク（Ｒａｄｉｏ  Ａｃｃｅｓｓ  Ｎｅｔｗｏｒｋ，ＲＡＮ）装置とも言及され、端末をワイヤレス・ネットワークに接続する装置であり、エボルブド・ノードＢ（ｅｖｏｌｖｅｄ  Ｎｏｄｅ  Ｂ，ｅＮＢ）、無線ネットワーク・コントローラ（ｒａｄｉｏ  ｎｅｔｗｏｒｋ  ｃｏｎｔｒｏｌｌｅｒ，ＲＮＣ）、ノードＢ（Ｎｏｄｅ  Ｂ，ＮＢ）、基地局コントローラ（Ｂａｓｅ  Ｓｔａｔｉｏｎ  Ｃｏｎｔｒｏｌｌｅｒ，ＢＳＣ）、ベース・トランシーバ・ステーション（Ｂａｓｅ  Ｔｒａｎｓｃｅｉｖｅｒ  Ｓｔａｔｉｏｎ，ＢＴＳ）、ホーム基地局（例えば、ホーム・エボルブド・ノードＢ又はホーム・ノードＢ、略称ＨＮＢ）、ベースバンド・ユニット（ＢａｓｅＢａｎｄ  Ｕｎｉｔ，ＢＢＵ）、ＮｏｄｅＢ  （ｇ  ＮｏｄｅＢ，ｇＮＢ）、送受信ポイント（Ｔｒａｎｓｍｉｔｔｉｎｇ  ａｎｄ  ｒｅｃｅｉｖｉｎｇ  ｐｏｉｎｔ，ＴＲＰ）及び送信ポイント（Ｔｒａｎｓｍｉｔｔｉｎｇ  ｐｏｉｎｔ，ＴＰ）を含むが、これらに限定されない。更に、基地局は、Ｗｉ−Ｆｉアクセス・ポイント（Ａｃｃｅｓｓ  Ｐｏｉｎｔ，ＡＰ）などを更に含むことができる。以下では、簡単に説明するために、ネットワーク・デバイスはまとめて基地局と言及される。
【００８６】
ＬＴＥでは、ＴＡリファレンス値とＴＡオフセットとは以下のように定義される：ＵＥがアップリンク送信を送るｉ番目のアップリンク無線フレームは、ＵＥの対応するダウンリンク無線フレームの（ＮＴＡ＋ＮＴＡｏｆｆｓｅｔ）×Ｔｓ数秒前であるべきである。ＳＣＧがＵＥに設定されている場合は、０≦ＮＴＡ≦４０９６であり；又はＳＣＧがＵＥに設定されていない場合は、０≦ＮＴＡ≦２０５１２である。ＦＤＤフレーム構造タイプの場合、ＮＴＡｏｆｆｓｅｔ＝０であり；ＴＤＤフレーム構造タイプの場合、ＮＴＡｏｆｆｓｅｔ＝６２４である。
【００８７】
言い換えれば、ＵＥは、ＮＴＡ及びＮＴＡｏｆｆｓｅｔに基づいて、アップリンク信号が送信される時間を決定する必要がある。具体的には、アップリンク・タイミング・アドバンスの絶対時間は、アップリンク・タイミング・アドバンス（即ち、数式におけるＮＴＡ＋ＮＴＡｏｆｆｓｅｔ）と時間粒度単位Ｔｓとの積に等しい。アップリンク・タイミング・アドバンス値は、２つの部分を含み：１つの部分はＮＴＡ、即ち本願の実施形態において言及されるＴＡリファレンス値であり；別の部分はＮＴＡｏｆｆｓｅｔ、即ち本願の実施形態で言及されるＴＡオフセットである。
【００８８】
ＬＴＥにおけるものと同様の定義が現在のＮＲプロトコルにも存在する。具体的には、ＵＥがアップリンク送信を送るｉ番目のアップリンク無線フレームは、ＵＥの対応するダウンリンク無線フレームの（ＮＴＡ＋ＮＴＡｏｆｆｓｅｔ）×Ｔｃ数秒前であるべきである。
【００８９】
主な相違は、ＮＲにおけるタイミング・アドバンスの時間粒度単位Ｔｃが、ＬＴＥにおけるＴｓと相違することである。ＬＴＥにおける時間粒度単位は、Ｔｓ＝１／２０４８／１５０００秒として定義される一方、ＮＲにおける時間粒度は、Ｔｃ＝１／４０９６／４８００００秒として定義される。時間単位はＬＴＥ及びＮＲにおいて異なって定義されるが、アップリンク・タイミング・アドバンス調整値は、ＴＡリファレンス値ＮＴＡ及びＴＡオフセットＮＴＡｏｆｆｓｅｔという同じ部分を有する。
【００９０】
更に、ＬＴＥ及びＮＲ双方において、複数のＴＡＧがサポートされ、各ＴＡＧ内の全てのキャリアは同じＴＡリファレンス値に対応し、各ＴＡＧ内の全てのキャリアは同じアップリンク・タイミング・アドバンス調整値に対応する。タイミング・アドバンス調整値の構成及び定義に基づき、ＬＴＥ及びＮＲのキャリア・アグリゲーションのシナリオにおいて、ＴＡオフセットＮＴＡｏｆｆｓｅｔが各キャリアに使用されるか否か、又はどのＴＡオフセットが各キャリアに使用されるかは、キャリア情報にも依存する。
【００９１】
ＬＴＥでは、プライマリ・サービング・セル（ＰＣｅｌｌ）又はプライマリ・セカンダリ・サービング・セル（ＰＳＣｅｌｌ）を含むＴＡＧに関し、タイミング・アドバンス調整が実行される場合、ＰＣｅｌｌ又はＰＳＣｅｌｌに対応するＴＡオフセットＮＴＡｏｆｆｓｅｔが、ＴＡＧ内の全てのキャリアに対して使用され、タイミング・アドバンス調整値を計算する。ここで、プライマリ・コンポーネント・キャリアに対応するＴＡオフセットＮＴＡｏｆｆｓｅｔは、ＰＣｅｌｌ又はＰＳＣｅｌｌがシングル・キャリアモードで動作する場合、ＰＣｅｌｌ又はＰＳＣｅｌｌに使用されるＴＡオフセットＮＴＡｏｆｆｓｅｔである。ＰＣｅｌｌ又はＰＳＣｅｌｌを除くＴＡＧに関し、ＴＡＧ内の全てのセルが同じデュプレックス・モードを使用する場合、即ち、ＴＡＧ内の全てのキャリアがＴＤＤキャリアであるか、又はＴＡＧ内の全てのキャリアがＦＤＤキャリアである場合、タイミング・アドバンス調整値を計算するために、グループ内の全てのキャリアに対してＮＴＡｏｆｆｓｅｔ＝０が使用される。ＰＣｅｌｌ又はＰＳＣｅｌｌを除くＴＡＧに関し、ＴＡＧ内のセルが２つのデュプレックス・モードを使用し、ＴＡＧがＦＤＤセル及びＴＤＤセルの両方を含む場合、タイミング・アドバンス調整値を計算するために、ＴＡＧ内の全てのキャリアに対してＴＡオフセットＮＴＡｏｆｆｓｅｔ＝６２４が使用される。メカニズム全体の観点から、このメカニズムは、任意のＵＥに対して、任意のＴＡＧ内の異なるアップリンク・キャリアにおけるアップリンク送信が同期することを保証する。本願における同期は、具体的には、２つのキャリアに対応する時間整合したサブフレームに関し、１つのキャリアに対応するアップリンク・サブフレームが、他のキャリアに対応するものと同じ時点を有することを意味する。
【００９２】
しかしながら、ＮＲシステムでは、複数の異なるＴＡオフセットが存在する可能性がある。ＬＴＥの上記メカニズムが依然として使用される場合、問題が生じる可能性がある。主な理由は次のとおりである：ＰＣｅｌｌ又はＰＳＣｅｌｌを除くＴＡＧに関し、ＴＡＧがＴＤＤセル及びＦＤＤセルの両方を含む場合、ＴＤＤキャリアのＴＡオフセットがＬＴＥで使用されるためである。しかしながら、ＮＲでは、異なるＴＤＤキャリアが異なるＴＡオフセットに対応している可能性がある。従って、ＵＥはＴＡオフセットをどのように選択するのか分からない。その結果、ＬＴＥのＴＡオフセット調整メカニズムを使用することは、各ＴＡＧ内の全てのキャリアが同じＴＡオフセットに対応することを保証することができず、１つのキャリアにおける異なるユーザーからのアップリンク信号は同期しない可能性がある。
【００９３】
ＬＴＥ及びＮＲにおいて、セルは上位レイヤの概念であり、キャリアは物理レイヤの概念であることは指摘されるべきである。セルとキャリアとの間には対応関係が存在する。例えば、ＬＴＥにおいて、１つのセルは、アップリンク及びダウンリンク・キャリアの１つのペア、又は唯１つのダウンリンク・キャリアを含むように構成される。ＮＲにおいて、１つのセルは、アップリンク及びダウンリンク・キャリアの１つのペア、又は唯１つのダウンリンク・キャリア、又は１つのアップリンク・キャリア、及び１つの補助アップリンク（ｓｕｐｐｌｅｍｅｎｔａｒｙ  ｕｐｌｉｎｋ，ＳＵＬ）キャリアを含むように構成されることが可能である。キャリアとセルとの間の対応関係に起因して、１つのキャリアは１つのセルのみに対応し、いったんセルが設定されると対応するキャリアを見出すことが可能であり、あるいはいったんキャリアが設定されると対応するセルを見出すことが可能である。従って、セルとキャリアは、本発明において互いに厳密には区別されず、混同が生じない場合には可換に使用されてよい。
【００９４】
本願で提供される実施形態は、アップリンク同期を実現するために使用される。様々なＵＥと基地局との間の距離は決定されておらず、１つのセル内の異なるＵＥからのアップリンク送信は時間的に整合させる必要がある。そうでなければ、１つのセル内の異なる端末からのアップリンク送信は、互いに干渉する。現在、ＵＥは、ランダム・アクセス手順を使用することによって、基地局とのアップリンク同期を確立することができる。基地局は、ＵＥがプリアンブル（ｐｒｅａｍｂｌｅ）信号を送信したことを検出し、受信したプリアンブル信号を利用することによりＴＡリファレンス値を推定し、ランダム・アクセス・レスポンスを利用することによりＴＡリファレンス値をＵＥに送信し；ＵＥは、ランダム・アクセス・レスポンスを受信した後にＴＡを計算し、その結果、１つのキャリアにおける１つのセル内の異なるＵＥによって送信されるアップリンク信号は同時に基地局に到達する。ＲＲＣ接続を確立した後、ＵＥは、基地局によって送信されたパイロット信号を測定及び追跡することによって、小さなエリアの中で同期を更に追跡及び調整することが可能であり；基地局はまた、ＵＥからのアップリンク信号を測定することによって、ＵＥのタイミング・アドバンスを推定及び調整し、ＴＡＣを利用することによりタイミング・アドバンスをＵＥに通知することも可能である。ＵＥが同期外れであるかもしれないことを考慮する場合、基地局は、タイミング・アドバンスを測定及び調整するために、プリアンブル信号を送信するようにＵＥをトリガする可能性がある。従って、アップリンク同期の意義は、１つのキャリアにおける複数のＵＥからのアップリンク信号が基地局に到着するまでの遅延の間の差が、特定のレンジに収まることを確実にし、その結果、複数のＵＥからのアップリンク信号は互いに重大な干渉を与えず、基地局による複数のアップリンク信号の正確な受信が影響を受けないようにすることである。アップリンク・タイミング・アドバンスの技術的特徴は、ＵＥが、タイミング・アドバンスを使用することによって、送信信号の空間的な伝送遅延を事前に補償することである。
【００９５】
本願で提供される実施形態は、キャリア・アグリゲーションのシナリオに適用可能である。キャリア・アグリゲーションにより、少なくとも２つのコンポーネント・キャリア（Ｃｏｍｐｏｎｅｎｔ  Ｃａｒｒｉｅｒ，ＣＣ）が、より大きな伝送帯域幅をサポートするように集約される。コンポーネント・キャリアはまた、キャリアと呼ばれてもよい。例えば、キャリア・アグリゲーションにおけるセルは、プライマリ・サービング・セル（Ｐｒｉｍａｒｙ  Ｃｏｍｐｏｎｅｎｔ  Ｃｅｌｌ，ＰＣｅｌｌ）及びセカンダリ・セル（Ｓｅｃｏｎｄａｒｙ  Ｃｏｍｐｏｎｅｎｔ  Ｃｅｌｌ，ＳＣｅｌｌ）を含んでもよい。具体的には、ＰＣｅｌｌは、端末が初期接続確立中に基地局と通信するセル、ＲＲＣ接続又は再設定が実行されるセル、又は、ハンドオーバ・プロセスにおいて基地局又は端末によって決定されるセルであって、基地局と端末との間のＲＲＣ通信を実現するために主に使用されるセルであってもよい。ＳＣｅｌｌは、端末に応対するためにＲＲＣ再設定の際に基地局によって追加されるセルであってもよい。例えば、ＲＲＣ通信は、ＳＣｅｌｌと端末との間で行われない場合がある。プライマリ・コンポーネント・キャリア（Ｐｒｉｍａｒｙ  ｃｏｍｐｏｎｅｎｔ  ｃａｒｒｉｅｒ，ＰＣＣ）はＰＣｅｌｌに対応するＣＣであり、セカンダリ・コンポーネント・キャリア（Ｓｅｃｏｎｄａｒｙ  ｃｏｍｐｏｎｅｎｔ  ｃａｒｒｉｅｒ，ＳＣＣ）はＳＣｅｌｌに対応するＣＣである。
【００９６】
キャリア・アグリゲーションのシナリオでは、複数のアップリンク・キャリアがＵＥのために設定される場合、複数のアップリンク・キャリアはネットワーク側で共存しないかもしれず、異なるキャリアのビーム方向は異なる等に起因して、異なるアップリンク・キャリアにおけるＵＥからの送信のタイミング・アドバンスは異なる場合がある。従って、異なるキャリアは異なるタイミング・アドバンス・グループ（Ｔｉｍｉｎｇ  Ａｄｖａｎｃｅ  Ｇｒｏｕｐ，ＴＡＧ）に分類され、１つのＴＡＧ内の全てのキャリアは同じＴＡリファレンス値に対応し、異なるＴＡＧは異なるＴＡリファレンス値に対応する。ＴＡＧがＰＣｅｌｌ又はＰＳＣｅｌｌを含む場合、ＴＡＧは、本願の実施態様においてｐＴＡＧと称される。ＴＡＧが如何なるＰＣｅｌｌ又はＰＳＣｅｌｌも含まない場合、即ち、ＴＡＧがＳＣｅｌｌのみを含む場合、ＴＡＧは、本願の実施態様においては、ｓＴＡＧと称される。
【００９７】
また、タイミング・アドバンスとキャリアのデュプレックス・モードとの間にも関係が存在する。
【００９８】
周波数分割複信（Ｆｒｅｑｕｅｎｃｙ  Ｄｉｖｉｓｉｏｎ  Ｄｕｐｌｅｘｉｎｇ，ＦＤＤ）キャリアの場合、アップリンク信号とダウンリンク信号のキャリア周波数は異なり、アップリンクとダウンリンクの両方が常に存在するので、アップリンク−ダウンリンクの切り替えは必要とされない。具体的には、基地局側によって送信されるダウンリンク・フレーム／スロットの開始点は、基地局側によって受信されるアップリンク・フレーム／スロットの開始点と同じであってもよく、あるいは、基地局側におけるダウンリンク・フレーム／スロット境界は、基地局側におけるアップリンク・フレーム／スロット境界と整合していてもよい。従って、ＵＥにより送信されるアップリンク送信の実際のアップリンク・タイミング・アドバンスは、ＴＡＣにおけるＴＡリファレンス値に等しい。
【００９９】
時分割複信（Ｔｉｍｅ  Ｄｉｖｉｓｉｏｎ  Ｄｕｐｌｅｘｉｎｇ，ＴＤＤ）キャリアの場合、アップリンクとダウンリンクに対して異なるスロットが占められる。従って、基地局とＵＥとの間の伝送方向が変化する場合、即ち、伝送方向が上り伝送から下り伝送へ、又は下り伝送から上り伝送へ変化する場合には、切り替えを行うためにある時間期間が必要とされる。従って、ＴＤＤシステムでは、アップリンクのための十分なスイッチング時間を保証するために、十分なガード・インターバルがスイッチング中に確保されることを必要とする。厳密には、ガード・インターバルは２つの部分を含み、１つの部分はアップリンクからダウンリンクに切り替えるための時間であり、もう１つの部分はダウンリンクからアップリンクに切り替えるための時間である。ガード・インターバルは２つの部分を含む必要があり、後者はＴＡオフセットに密接に関係している。従って、送信方向がアップリンク送信からダウンリンク送信に変わった場合、ＵＥはＴＡリファレンス値に基づいてＴＡを調整する必要がある。実際に調整されたＴＡは、ＴＡリファレンス値とＴＡオフセットとの和に等しい。このように、ＵＥがアップリンク送信を完了した後、ＵＥと基地局の両方は、スイッチングを完了するのに十分な時間を有し、基地局は、スイッチング後にダウンリンク信号を通常的に送信することができ、ＵＥは、スイッチング後にダウンリンク信号を通常的に受信することができる。従って、ＴＤＤキャリアの場合、ＵＥのアップリンク・タイミング・アドバンスは、ＴＡＣとＴＡオフセットのＴＡリファレンス値の和に等しい。
【０１００】
ＬＴＥでは、各ＴＡＧ内のキャリアは同じＴＡリファレンス値に対応し、各ＴＡＧ内の全てのキャリアは同じＴＡオフセットに対応するので、ＴＡＧ内の全てのキャリアはまた、同じ実際のＴＡ調整値（ＴＡリファレンス値とＴＡオフセットとの和）に対応する。このように、適切なＴＡリファレンス値が異なるユーザーに対して設定されることが可能であり、その結果、各キャリアにおける様々なＵＥからのアップリンク信号は同期する。しかしながら、ＮＲシステムにおいて、ＬＴＥでのＴＡ調整メカニズムに完全に従う場合、複数の異なるＴＡオフセットが存在する可能性があるので、各ＴＡＧ内の全てのキャリアは、異なるアップリンク・タイミング・アドバンスに対応する可能性がある。異なるキャリアが異なるＴＡオフセットに対応する場合において、ＴＡＧ内の全てのキャリアが異なる実際のＴＡ調整値に対応する場合、１つのキャリアにおける異なるユーザーからのアップリンク信号は同期しない可能性がある。
【０１０１】
例えば、１つのサイトでサービス提供を受けるユーザー装置ＵＥ１とＵＥ２に関し、キャリア・アグリゲーションがＵＥ１とＵＥ２の両方に設定され、ＵＥ１とＵＥ２は両方とも共存するセル１、セル２、セル３によって応対される。セル１、セル２、セル３は、それぞれアップリンク・キャリアに対応する。セル１、セル２及びセル３がそれぞれ１つのアップリンク・キャリアに対応すると仮定すると、セル１、セル２及びセル３に対応するアップリンク・キャリアは、それぞれキャリアＣＣ１、キャリアＣＣ２及びキャリアＣＣ３である。セル１は、ＵＥ１のプライマリ・サービング・セルであり、セル２及びセル３は、ＵＥ１のセカンダリ・サービング・セルであり；セル１、セル２及びセル３は、全て、ＵＥ２のセカンダリ・サービング・セルであると仮定する。ＵＥ１及びＵＥ２については、キャリアＣＣ１、キャリアＣＣ２、及びキャリアＣＣ３は、より大きな伝送帯域幅をサポートするために一緒に集約される。３つのキャリアは、共存関係に基づいてネットワーク側で分類され、ＴＡＧは、ＵＥ１及びＵＥ２の各々に対して設定される。ＵＥ１の場合、セル１がＵＥ１のプライマリ・サービング・セルであるので、ＵＥ１はｐＴＡＧに対応する。同様に、セル１、セル２、及びセル３は全て、ＵＥ２のセカンダリ・サービング・セルであるため、ＵＥ２は、ｓＴＡＧに対応する。セル１とセル２の両方がＴＤＤモードを使用し、セル３がＦＤＤモードを使用すると仮定する。ＴＤＤキャリアは、ＴＡリファレンス値に基づいて調整される必要がある。従って、ＴＡオフセットが存在する。表１に列挙されるように、ｐＴＡＧに関する基地局によって設定されるＴＡリファレンス値は１μｓであり、セル１に対応するＴＡオフセット１は０．１μｓであり、セル２に対応するＴＡオフセット２は０．２μｓであり、セル３に対応するＴＡオフセット３は０．０μｓであり；ｓＴＡＧに関する基地局によって設定されるＴＡリファレンス値は０．６μｓであり、セル１に対応するＴＡオフセット１は０．０５μｓであり、セル２に対応するＴＡオフセット２は０．２μｓであり、セル３に対応するＴＡオフセット３は０．０μｓであることが分かる。
【０１０２】
ＬＴＥプロトコルに規定されているように、通信デバイスは、プライマリ・コンポーネント・キャリアのＴＡオフセットとＴＡリファレンス値とに基づいて、ＴＡＧ内の各キャリアのアップリンク送信タイミングを調整する。従って、ｐＴＡＧでは、各キャリアに対して実際に使用されるＴＡオフセットは、プライマリ・コンポーネント・キャリアのＴＡオフセットと同じである。プライマリ・コンポーネント・キャリアがキャリアＣＣ１であると仮定すると、キャリアＣＣ２のＴＡオフセット２の実際に使用される値は０．１μｓであり、キャリアＣＣ３のＴＡオフセット３の実際に使用される値は０．１μｓである。言い換えれば、キャリアＣＣ１の実際のＴＡ値は１．１μｓであり、キャリアＣＣ２の実際のＴＡ調整値は１．１μｓであり、キャリアＣＣ３の実際のＴＡ調整値は１．１μｓである。
【０１０３】
マクロ基地局と小セルはキャリアＣＣ１、キャリアＣＣ２、キャリアＣＣ３をｓＴＡＧ内で共有するので、キャリアＣＣ１とキャリアＣＣ２もＴＤＤモードを使用し、キャリアＣＣ３もＦＤＤモードを使用する。ｓＴＡＧでは、ＴＡリファレンス値は全て０．６μｓであり、キャリアＣＣ１とキャリアＣＣ２のＴＡオフセットは異なる値に対応することが分かる。表２に列挙されているように、キャリアＣＣ１のＴＡオフセット１は０．０５μｓであり、キャリアＣＣ２のＴＡオフセット２は０．２μｓである。言い換えれば、キャリアＣＣ１の実際のＴＡ調整値は０．６５μｓであり、キャリアＣＣ２の実際のＴＡ調整値は０．８μｓである。キャリアＣＣ３はＦＤＤモードを使用するので、キャリアＣＣ３の実際のＴＡ調整値は、ＴＡリファレンス値、即ち０．６μｓに等しい。
【表１】
2021517442.tif 000025
【表２】
2021517442.tif 000026
【０１０４】
このように、キャリアＣＣ１とキャリアＣＣ２の実際のＴＡ調整値は同じであるので、即ち、どちらも１．１μｓであるので、キャリアＣＣ１においてＵＥ１により送られるアップリンク送信及びキャリアＣＣ２においてＵＥ１により送られるアップリンク送信は、マクロ基地局に同時に到達することが可能である。しかしながら、この場合において、ｓＴＡＧでは、キャリアＣＣ１の実際のＴＡ調整値は０．６５μｓであり、キャリアＣＣ２の実際のＴＡ調整値は０．８μｓである。キャリアＣＣ１においてＵＥ２によって送信されるアップリンク送信が、ＵＥ１と同時にマクロ基地局に到着する場合、キャリアＣＣ２においてＵＥ２によって送信されるアップリンク信号は、０．１５μｓ前にマクロ基地局に到着する。明らかに、ＵＥ１によって送信されるアップリンク送信及びキャリアＣＣ２においてＵＥ２によって送信されるアップリンク送信は、同期しない。
【０１０５】
言い換えれば、ＵＥ１に対するキャリアＣＣ１の実際のＴＡ調整値１．１μｓとＵＥ１に対するキャリアＣＣ２の実際のＴＡ調整値１．１μｓとの差は０μｓであり、ＵＥ２に対するキャリアＣＣ１の実際のＴＡ調整値０．６５μｓとＵＥ２に対するキャリアＣＣ２の実際のＴＡ調整値０．８μｓとの差は−０．１５μｓである。アップリンク同期は、１つのＣＣにおける異なるＵＥからのアップリンク信号が、マクロ基地局に同時に到達することを要求し、差分０は差分−０．１５μｓと等しくない。この場合、ＵＥ１及びＵＥ２がＣＣ１においてアップリンク同期を実現する場合、ＵＥ１及びＵＥ２は、キャリアＣＣ２においてアップリンク同期を実現しない。
【０１０６】
従って、ＮＲシステムにおいてキャリア・アグリゲーションが行われる異なるキャリアが、複数の異なるＴＡオフセットに対応する場合、１つのキャリアにおける異なるユーザーからのアップリンク送信は同期しない可能性がある。
【０１０７】
前述の問題を解決するために、本願の実施形態はアップリンク同期方法を提供する。概略フローチャートが図４に示されている。
【０１０８】
ステップ４０１：ネットワーク・デバイスが、タイミング・アドバンス・コマンドを通信デバイスに送信し、タイミング・アドバンス・コマンドはＴＡリファレンス値を含み、ＴＡリファレンス値はＴＡＧ内のキャリアに対応する。
【０１０９】
ステップ４０２：通信デバイスが、キャリアのキャリア情報に基づいてキャリアのＴＡオフセットを決定する。
【０１１０】
ステップ４０３：通信デバイスが、ＴＡリファレンス値とＴＡオフセットとに基づいて、ＴＡＧ内の各キャリアのアップリンク送信タイミングを調整する。
【０１１１】
具体的には、ステップ４０２において、通信デバイスによって決定されるＴＡＧ内の各キャリアのＴＡオフセットは以下の条件を充足する：ＴＡＧが第１タイプＴＡＧである場合にＴＡＧ内のどの２つのキャリアのＴＡオフセット間の差分も、ＴＡＧが第２タイプＴＡＧである場合にＴＡＧ内のどの２つのキャリアのＴＡオフセット間の差分と同じであること。通常、第１タイプＴＡＧはｐＴＡＧとも呼ばれ、第２タイプＴＡＧはｓＴＡＧとも呼ばれる。換言すれば、ＴＡＧがｐＴＡＧである場合、ｐＴＡＧ内の第１キャリアのＴＡオフセットとｐＴＡＧ内の第２キャリアのＴＡオフセットとの間の差分は第１差分であり；又はＴＡＧがｓＴＡＧである場合、ｓＴＡＧ内の第１キャリアのＴＡオフセットとｓＴＡＧ内の第２キャリアのＴＡオフセットとの間の差分は第２差分であり、第１差分は第２差分と同じである。ここで、第１キャリア及び第２キャリアは、ＴＡＧ内の任意の２つのキャリアである。
【０１１２】
１つの通信デバイスに対して、通信デバイスに対応するＴＡＧは、ｐＴＡＧ又はｓＴＡＧである可能性があることは指摘されるすべきである。換言すれば、通信デバイスは、ｐＴＡＧ及びｓＴＡＧのうちの一方のみに対応することが可能である。確かに、ＴＡＧがｐＴＡＧである場合に通信デバイスに対応するＴＡＧに含まれるキャリアは、ＴＡＧがｓＴＡＧである場合に通信デバイスに対応するＴＡＧに含まれるキャリアと同じである。ｐＴＡＧ内のどの２つのキャリアのＴＡオフセット間の差分も、ｓＴＡＧ内のどの２つのキャリアのＴＡオフセット間の差分と同じであるので、１つのＣＣにおける異なるＵＥからのアップリンク信号は、基地局に同時に到達することが可能である。
【０１１３】
例えば、図３に示すように、ＵＥ２はマクロ基地局からＴＡＣを受信し、ＴＡＣはｓＴＡＧに対応する０．６μｓのＴＡリファレンス値を含む。ＴＡオフセットが充足することを要する条件に基づいて、ＵＥ２は、以下の設定を実行する：ｓＴＡＧにおいて、表３に示されるように、キャリアＣＣ１のＴＡオフセット１が０．０５μｓであり、キャリアＣＣ２のＴＡオフセット２が０．２μｓであり、キャリアＣＣ３のＴＡオフセット３が０μｓであること；又はｐＴＡＧにおいて、表４に示されるように、キャリアＣＣ１のＴＡオフセット１が０．１μｓであり、キャリアＣＣ２のＴＡオフセット２が０．２５μｓであり、キャリアＣＣ３のＴＡオフセット３が０．０５μｓであること。ｓＴＡＧにおいてキャリアＣＣ１のＴＡオフセット１とキャリアＣＣ２のＴＡオフセット２との間の差分は−０．１５μｓであり、ｐＴＡＧにおいてキャリアＣＣ１のＴＡオフセット１とキャリアＣＣ２のＴＡオフセット２との間の差も−０．１５μｓであり；ｓＴＡＧにおいてキャリアＣＣ２のＴＡオフセット２とキャリアＣＣ３のＴＡオフセット３との間の差分は０．２μｓであり、ｐＴＡＧにおいてキャリアＣＣ２のＴＡオフセット１とキャリアＣＣ３のＴＡオフセット２との間の差分も０．２であり；ｓＴＡＧにおいてキャリアＣＣ１のＴＡオフセット１とキャリアＣＣ３のＴＡオフセット３との間の差分は０．０５μｓであり、ｐＴＡＧにおいてキャリアＣＣ１のＴＡオフセット１とキャリアＣＣ３のＴＡオフセット３との間の差も０．０５であることを学ぶことができる。
表３
【表３】
2021517442.tif 000027
表４
【表４】
2021517442.tif 000028
【０１１４】
ＬＴＥプロトコルの規定を考慮すると、通信デバイスは、プライマリ・コンポーネント・キャリアのＴＡオフセットとＴＡリファレンス値とに基づいて、ＴＡＧ内の各キャリアのアップリンク送信タイミングを調整する。従って、ｐＴＡＧにおいて、各キャリアに対して実際に使用されるＴＡオフセットは、プライマリ・コンポーネント・キャリアのＴＡオフセットと同じである。表４のｐＴＡＧが依然としてＬＴＥプロトコルの規定に従う場合、アップリンク同期は依然として実現することができない。従って、本願のこの実施形態では、ＴＡＧ内の全てのキャリアのＴＡオフセットが別々に設定されることが規定される。ＴＡオフセットを別々に設定することは以下を意味する：キャリアＡとキャリアＢという２つのキャリアがｐＴＡＧ内に存在する場合、端末は、キャリアＢのＴＡオフセットを参照することなくキャリアＡのＴＡオフセットを決定するか、又は端末は、キャリアＢのＴＡオフセットとは異なるキャリアＡのＴＡオフセットを決定する。簡易な個別設定方法は、ｐＴＡＧとｓＴＡＧの両方で１つのキャリアに同じＴＡオフセットを設定することである。別の例として、表４において、ｐＴＡＧにおいて、各キャリアに対して実際に使用されるＴＡオフセットは、プライマリ・コンポーネント・キャリアのＴＡオフセットと同じではない。プライマリ・コンポーネント・キャリアがキャリアＣＣ１であると仮定すると、キャリアＣＣ２のＴＡオフセット２の実際に使用される値は、依然として０．２５μｓであり、ｓＴＡＧのキャリアＣＣ２に使用されるＴＡオフセットと同じであり；キャリアＣＣ３のＴＡオフセット３の実際に使用される値は、依然として０．０５μｓである。
【０１１５】
本願のこの実施形態では、１つのアップリンク・キャリアにおける異なるユーザー間の信号同期は、代替的に、別の方法で実現されてもよい。例えば、あるＵＥがｐＴＡＧ及びｓＴＡＧ内の異なるアップリンク・キャリアで信号を送信するフレーム／スロット境界は同じであることが規定される。ここで、幾つかのフレーム／スロット境界が同じであることの主な理由は、異なる数に関するスロット長（キャリア情報）が異なることである。例えば、キャリアＣＣ１のサブキャリア間隔は１５ｋＨｚであり、スロットの持続時間は１ｍｓであり；キャリアＣＣ２のサブキャリア間隔は３０ｋＨｚであり、スロットの持続時間は０．５ｍｓである。この場合、ＣＣ１における１つのスロットは、ＣＣ２における２つのスロットに対応し、ＣＣ１におけるスロットは、ＣＣ２における２つの連続するスロットにおける第１スロットと同じ開始点を有し、ＣＣ２における２つの連続するスロットにおける第２スロットと同じ終点を有する。この解決策では、本願のこの実施形態において解決される必要がある問題は、ＴＡＧ内の異なるキャリアが異なるＴＡオフセットに対応する場合に、ＴＡＧのＴＡオフセットをどのようにして決定するかであり、その結果、タイミング・アドバンスが実行される場合に、タイミング・アドバンスを調整するために、全てのキャリアに対して同じＴＡオフセットが使用される。現在のｐＴＡＧでは、ＴＡオフセットはＰＣｅｌｌ又はＰＳＣｅｌｌに対応するＴＡオフセットである。従って、本発明は、主に、ｓＴＡＧ内の全てのキャリアに対して実際に使用されるＴＡオフセットを決定する方法を論じる。オプションとして、この方法はｐＴＡＧに適用されてもよい。
【０１１６】
ある方法において、通信デバイスは、ＴＡリファレンス値と最大ＴＡオフセットとに基づいて、ＴＡＧ内の各キャリアのアップリンク送信タイミングを調整し、ＴＡオフセットの最大値は、ＴＡＧ内の全てのキャリアのＴＡオフセットの最大値である。例えば、図３において、表１及び表２に現在存在する問題点は次のとおりである：ＵＥ１に対するキャリアＣＣ１の実際のＴＡ調整値１．１μｓとＵＥ１に対するキャリアＣＣ２の実際のＴＡ調整値１．１μｓとの間の差分は０であり、そして、ＵＥ２に対するキャリアＣＣ１の実際のＴＡ調整値０．６５μｓとＵＥ２に対するキャリアＣＣ２の実際のＴＡ調整値０．８μｓとの間の差分は−０．１５μｓである。２つの差分は等しくないので、ＵＥ１とＵＥ２はキャリアＣＣ２においてアップリンク同期を実現しない。この問題を解決するために、ＵＥ２は、ｓＴＡＧ内の３つのキャリアのアップリンク送信タイミングを調整するために、ｓＴＡＧ内で最大のＴＡオフセット０．２μｓを使用することを選択することができる。具体的には、表５に列挙されるように、ｓＴＡＧにおいて、キャリアＣＣ１の実際の調整値は０．８μｓであり、キャリアＣＣ２の実際の調整値は０．８μｓであり、キャリアＣＣ３の実際の調整値は０．８μｓである。このように、ＵＥ１に対するキャリアＣＣ１の実際のＴＡ調整値１．１μｓとＵＥ１に対するキャリアＣＣ２の実際のＴＡ調整値１．１μｓとの間の差分は０であり、ＵＥ２に対するキャリアＣＣ１の実際のＴＡ調整値０．８μｓとＵＥ２に対するキャリアＣＣ２の実際のＴＡ調整値０．８μｓとの間の差分も０である。従って、ＵＥ１とＵＥ２がＣＣ１においてアップリンク同期を実現する場合、ＵＥ１とＵＥ２もキャリアＣＣ２においてアップリンク同期を実現する。
表５
【表５】
2021517442.tif 000029
【０１１７】
全てのキャリアに対して実際に使用されるＴＡオフセットを決定する上記の方法に加えて、最小番号のＳＣｅｌｌＩｎｄｅｘ、即ち最小のＳＣｅｌｌＩｎｄｅｘに対応するＴＡオフセットが、ｓＴＡＧ内の全てのキャリアに対して実際に使用されるＴＡオフセットとして選択されることが可能である。セル１のＳＣｅｌｌＩｎｄｅｘが５であり、セル２のＳＣｅｌｌＩｎｄｅｘが３であり、セル３のＳＣｅｌｌＩｎｄｅｘが６であると仮定すると、セル２のＴＡオフセット０．２μｓが、セル１、セル２、セル３に実際に使用されるＴＡオフセットとして選択される。最終的な調整結果が更に表５に列挙されている。
【０１１８】
予め設定されたルールに加えて、基地局は、ユーザーに対して、ｓＴＡＧで使用されるＴＡオフセットを設定することにより、ＴＡＧ内の全てのキャリアに使用される実際のＴＡオフセットを示すことが可能である。
【０１１９】
本願のこの実施形態では、キャリアの様々なＴＡオフセットが、キャリアの様々なキャリア情報に基づいて、通信デバイスによって決定されることが可能である。キャリア情報は、通常、数であり、その数は通信システムで使用されるパラメータである。通信システム（例えば、５Ｇシステム）は、複数の数をサポートすることが可能である。数は、サブキャリア間隔、サイクリック・プレフィックス（ｃｙｃｌｉｃ  ｐｒｅｆｉｘ，ＣＰ）、時間単位、帯域幅などの１つ以上のパラメータ情報を使用することにより定義されることが可能である。
【０１２０】
例えば、数はサブキャリア間隔とＣＰとを利用することにより定義されることが可能である。サブキャリア間隔は、１５ｋＨｚ、３０ｋＨｚ、６０ｋＨｚ、１２０ｋＨｚ、２４０ｋＨｚ、４８０ｋＨｚ等とすることが可能である。例えば、異なるサブキャリア間隔は、１５ｋＨｚの整数倍であってもよい。サブキャリア間隔は、代替的に、別の値に設計されてもよいことを理解することができる。ＣＰ情報は、ＣＰ長及び／又はＣＰタイプを含んでもよい。例えば、ＣＰは、ノーマルＣＰ（ｎｏｒｍａｌ  ＣＰ，ＮＣＰ）又は拡張ＣＰ（ｅｘｔｅｎｄｅｄ  ＣＰ，ＥＣＰ）であってもよい。
【０１２１】
時間単位は、時間ドメインにおける時間単位を表すために使用される。例えば、時間単位は、サンプリング・ポイント、シンボル、ミニ・スロット、スロット、サブフレーム、又は無線フレームであってもよい。時間単位情報は、時間単位のタイプ、長さ、又は構造などを含んでもよい。帯域幅（ｂａｎｄｗｉｄｔｈ）は、周波数ドメインにおいて連続するリソースであってもよい。しばしば、帯域幅は、帯域幅部分（ｂａｎｄｗｉｄｔｈ  ｐａｒｔ，ＢＷＰ）、キャリア帯域幅部分（ｃａｒｒｉｅｒ  ｂａｎｄｗｉｄｔｈ  ｐａｒｔ）、サブバンド（ｓｕｂｂａｎｄ）帯域幅、狭帯域（ｎａｒｒｏｗｂａｎｄ）帯域幅、又は別の名称で呼ばれることがある。名称は本願において限定されない。例えば、１つのＢＷＰは、Ｋ（Ｋ＞０）個の連続するサブキャリアを含み；あるいは、１つのＢＷＰは、Ｎ個の重複しない連続するリソース・ブロック（ｒｅｓｏｕｒｃｅ  ｂｌｏｃｋ，ＲＢ）に対応する周波数ドメイン・リソースであり、ＲＢのサブキャリア間隔は、１５ｋＨｚ、３０ｋＨｚ、６０ｋＨｚ、１２０ｋＨｚ、２４０ｋＨｚ、４８０ｋＨｚ、又は別の値であってもよい。あるいは、１つのＢＷＰは、Ｍ個の重複しない連続するリソース・ブロック・グループ（ＲＢＧ）に対応する周波数ドメイン・リソースであり、１つのＲＢＧはＰ個の連続するＲＢを含み、ＲＢのサブキャリア間隔は、１５ｋＨｚ、３０ｋＨｚ、６０ｋＨｚ、１２０ｋＨｚ、２４０ｋＨｚ、４８０ｋＨｚ、又は別の値、例えば１５ｋＨｚ×２の整数倍であってもよい。
【０１２２】
キャリア情報は、サブキャリア間隔又は帯域幅などのパラメータを利用することによって定義されることが可能であるので、異なるＴＡオフセットは、異なるパラメータに基づいて決定されることが可能である。以下、具体的に幾つかの実装を説明する。
【０１２３】
実装１において、通信デバイスは、キャリアのサブキャリア間隔に基づいて各キャリアのＴＡオフセットを決定する。例えば、サブキャリア間隔が１５ｋＨｚ、３０ｋＨｚ及び６０ｋＨｚであるキャリアは、同じＴＡオフセットに対応し、サブキャリア間隔が１２０ｋＨｚであるキャリアと、サブキャリア間隔が１２０ｋＨｚより大きい他のキャリアとは、同じＴＡオフセットに対応する。一般に、サブキャリア間隔が６０ｋＨｚ以下のキャリアと、サブキャリア間隔が６０ｋＨｚ以上のキャリアは、１つのＴＡＧ内に共存できないことが規定される。換言すれば、１つのＴＡＧは、サブキャリア間隔が６０ｋＨｚ以下である複数のキャリアのみを含むか、あるいはサブキャリア間隔が６０ｋＨｚより大きい複数のキャリアのみを含む。
【０１２４】
実装２において、何らかのキャリアに関し、通信デバイスは、キャリアの周波数バンドが特定の周波数値未満であるか否かを判断し、キャリアの周波数バンドが特定の周波数値未満である場合、通信デバイスは、キャリアのＴＡオフセットは第１閾値であると判断し；あるいはキャリアの周波数バンドが特定の周波数値未満ではない場合、通信デバイスは、キャリアのＴＡオフセットは第２閾値であると判断し、ここで、第１閾値は第２閾値より大きい。例えば、６ＧＨｚを境界点として使用すると、周波数バンドが６ＧＨｚ未満であるキャリアのＴＡオフセットは約１３μｓであり、周波数バンドが６ＧＨｚ以上であるキャリアのＴＡオフセットは約７μｓである。
【０１２５】
図５は本願による別のアップリンク同期プロセスの一例を示す。方法は、ネットワーク・デバイスによって実行される。
【０１２６】
ステップ５０１：ネットワーク・デバイスが、通信デバイスにより送信されたアップリンク信号に基づいて、アップリンク・タイミング・アドバンスとＴＡオフセットとを決定し、アップリンク・タイミング・アドバンスとＴＡオフセットとはタイミング・アドバンス・グループＴＡＧ内のキャリアに対応し、キャリアはアップリンク信号を搬送するために使用される。
【０１２７】
ステップ５０２：ネットワーク・デバイスが、アップリンク・タイミング・アドバンスとＴＡオフセットとに基づいて、ＴＡＧのＴＡリファレンス値を決定し、ＴＡリファレンス値は、アップリンク・タイミング・アドバンスとＴＡオフセットとの間の差分である。
【０１２８】
ステップ５０３：ネットワーク・デバイスが、タイミング・アドバンス・コマンドを通信デバイスに送信し、タイミング・アドバンス・コマンドはＴＡリファレンス値を含む。
【０１２９】
ネットワーク・デバイスにより決定されるＴＡＧのＴＡリファレンス値は、ＴＡＧ内の各キャリアのアップリンク・タイミング・アドバンスとキャリアのＴＡオフセットとの間の差分であり、ＴＡオフセットは以下の条件：ｐＴＡＧ内のどの２つのキャリアのＴＡオフセット間の差分も、ｓＴＡＧ内のどの２つのキャリアのＴＡオフセット間の差分と同じであること；を充足する。
【０１３０】
換言すると、ネットワーク・デバイスは、１つのセルにおいて通信デバイスにより送信されたアップリンク信号を受信し、ＵＥがプリアンブル（ｐｒｅａｍｂｌｅ）信号を送信していることを検出し、受信したプリアンブル信号を利用することによりＴＡリファレンス値を推定する。また、ＴＡＧを形成する場合に、基地局は、同一のＴＡオフセット値を有するキャリアを、１つのグループに配置する。これは、端末からのアップリンク送信が非同期であるという問題を回避することができる。例えば、図２においてｐＴＡＧ及びｓＴＡＧを形成する場合に、基地局は、表６及び表７に列挙されるように、同じＴＡリファレンス値及び同じＴＡオフセットを有するキャリアＣＣ１及びキャリアＣＣ２を、１つのグループに分類する。
【表６】
2021517442.tif 000030
【表７】
2021517442.tif 000031
【０１３１】
基地局が積極的にＴＡＧグループ化を調整する方法に加えて、本発明のこの実施形態におけるＴＡオフセットを調整する別の方法については、通信デバイス側に関して提示された実装を参照されたい。詳細はここでは繰り返さない。
【０１３２】
通信デバイスによって実行されるアップリンク伝送方法に関し、本願は装置を提供する。装置によって実行される具体的な内容については、前述の方法の実施形態を参照されたい。図６は、本願で提供される装置の概略的な構造図である。装置は、受信ユニット６０１及び処理ユニット６０２を含む。
【０１３３】
受信ユニット６０１は、ネットワーク・デバイスによって送信されたタイミング・アドバンス・コマンドを受信するように構成され、タイミング・アドバンス・コマンドはタイミング・アドバンスＴＡリファレンス値を含み、ＴＡリファレンス値はタイミング・アドバンス・グループＴＡＧ内のキャリアに対応する。
【０１３４】
処理ユニット６０２は：キャリアのキャリア情報に基づいてキャリアのＴＡオフセットを決定し、キャリアのＴＡオフセットとＴＡリファレンス値とに基づいてキャリアのアップリンク送信タイミングを調整するように構成される。
【０１３５】
ＴＡＧが複数のキャリアを含む場合、ＴＡオフセットは以下の条件：  
ＴＡＧが第１タイプＴＡＧである場合には、ＴＡＧ内のどの２つのキャリアのＴＡオフセット間の差分も第１差分であり；又はＴＡＧが第２タイプＴＡＧである場合には、ＴＡＧ内のどの２つのキャリアのＴＡオフセット間の差分も第２差分であり；第１差分は第２差分と同じであり、第１タイプＴＡＧ内の少なくとも１つのキャリアはプライマリ・サービング・セルＰＣｅｌｌ又はプライマリ・セカンダリ・サービング・セルＰＳＣｅｌｌに対応し、第２タイプＴＡＧ内の全てのキャリアはセカンダリ・サービング・セルＳｃｅｌｌに対応すること；
を充足する。
【０１３６】
実施形態において、ＴＡＧが複数のキャリアを含む場合、処理ユニット６０２は、ＴＡリファレンス値と最大ＴＡオフセットとに基づいて、ＴＡ内の複数のキャリアのアップリンク送信タイミングを調整するように構成され、最大ＴＡオフセットは、複数のキャリアのＴＡオフセットの最大値である。例えば、キャリアＡに対応するＴＡオフセットは０．１μｓであり、キャリアＢに対応するＴＡオフセットは０．２μｓである。この場合、キャリアＡに対応するＴＡオフセットは０．２μｓであり、且つキャリアＢに対応するＴＡオフセットは０．２μｓであると最終的に決定される。
【０１３７】
別の実施形態では、処理ユニット６０２は、キャリアの周波数バンドに基づいてキャリアのＴＡオフセットを決定するように構成され、ここで、
キャリアの周波数バンドが特定の周波数値未満である場合に決定されるＴＡオフセットは、キャリアの周波数バンドが特定の周波数値以上である場合に決定されるＴＡオフセットよりも大きい。
【０１３８】
別の可能な実施において、処理ユニット６０２は、キャリアのサブキャリア間隔に基づいて各キャリアのＴＡオフセットを決定するように構成され、ここで、
キャリアのサブキャリア間隔が特定の値未満である場合に決定されるＴＡオフセットは、キャリアのサブキャリア間隔が特定の値以上である場合に決定されるＴＡオフセットより大きい。
【０１３９】
可能な実装において、ＴＡＧ内のキャリアに対応するサブキャリア間隔は６０ｋＨｚ以下であるか、又はＴＡＧ内のキャリアに対応するサブキャリア間隔は６０ｋＨｚ以上である。代替的に、ＴＡＧ内の全てのキャリアのＴＡオフセットは別々に設定される。
【０１４０】
本願のこの実施形態において、これらのユニットは図４の実施形態における対応する機能を実行することが可能である。詳細については、実施形態の詳細な説明を参照されたい。詳細はここでは繰り返さない。
【０１４１】
本願において、通信デバイスは前述の実施形態に基づいて機能モジュールに区分されることが可能である。例えば、種々の機能に対応する機能モジュールが区分けによって得られてもよいし、あるいは少なくとも２つの機能が１つの処理モジュールに統合されてもよい。統合されたモジュールは、ハードウェアの形式で実装されてもよいし、あるいはソフトウェア機能モジュールの形式で実装されてもよい。本願において、モジュールの区分けは一例であり、単なる論理な機能の区分けに過ぎないことに留意すべきである。実際の実装の際には別の区分け方法が使用されてもよい。
【０１４２】
ネットワーク・デバイスによって実行される上記アップリンク同期方法に関し、本願は装置を提供する。装置によって実行される具体的な内容については、前述の方法の実施形態を参照されたい。図７は、本願で提供される装置の概略構造図である。装置は、処理ユニット７０１と送信ユニット７０２とを含む。
【０１４３】
処理ユニット７０１は：通信デバイスによって送信されたアップリンク信号に基づいて、アップリンク・タイミング・アドバンスとＴＡオフセットとを判定し、アップリンク・タイミング・アドバンス及びＴＡオフセットに基づいてＴＡリファレンス値を判定するように構成されており、ＴＡリファレンス値は、タイミング・アドバンス・グループＴＡＧ内のキャリアに対応し、ＴＡリファレンス値は、アップリンク・タイミング・アドバンスとＴＡオフセットとの間の差分である。
【０１４４】
送信ユニット７０２は、タイミング・アドバンス・コマンドを通信デバイスに送信するように構成されており、タイミング・アドバンス・コマンドはＴＡリファレンス値を含む。
【０１４５】
ＴＡＧが複数のキャリアを含む場合、ＴＡオフセットは以下の条件：
ＴＡＧが第１タイプＴＡＧである場合、ＴＡＧ内のどの２つのキャリアのＴＡオフセット間の差分も第１差分であり、ＴＡＧが第２タイプＴＡＧである場合、ＴＡＧ内のどの２つのキャリアのＴＡオフセット間の差分も第２差分であり、第１差分は第２差分と同じであり、第１タイプＴＡＧ内の少なくとも１つのキャリアは、プライマリ・サービング・セルＰＣｅｌｌ又はプライマリ・セカンダリ・サービング・セルＰＳＣｅｌｌに対応し、第２タイプＴＡＧ内の全てのキャリアは、セカンダリ・サービング・セルＳＣｅｌｌに対応する；
を充足することに留意すべきである。
【０１４６】
可能な設計において、処理ユニット７０１は、アップリンク・タイミング・アドバンスと最大ＴＡオフセットとに基づいてＴＡリファレンス値を決定するように具体的に構成され、最大ＴＡオフセットは、通信デバイスに応対するＴＡＧ内の複数のキャリアのＴＡオフセットの最大値である。
【０１４７】
ＴＡＧにおける各キャリアのアップリンク送信タイミングは、ＴＡリファレンス値と最大ＴＡオフセットとを利用することにより調整されることを学ぶことが可能である。従って、第１差分及び第２差分は両方とも０であり、なぜなら、これは他のＴＡＧにおける通信デバイスと同じセル内に位置する別の通信デバイスからのアップリンク送信とのアップリンク同期を保証できるからである。
【０１４８】
可能な設計において、処理ユニット７０１は、キャリアの周波数バンドに基づいてキャリアのＴＡオフセットを決定するように具体的に構成され、ここで、
キャリアの周波数バンドが特定の周波数値未満である場合に決定されるＴＡオフセットは、キャリアの周波数バンドが特定の周波数値以上である場合に決定されるＴＡオフセットよりも大きい。
【０１４９】
別の可能な設計において、処理ユニット７０１は、キャリアのサブキャリア間隔に基づいて各キャリアのＴＡオフセットを決定するように具体的に構成され、ここで、
キャリアのサブキャリア間隔が特定の値未満である場合に決定されるＴＡオフセットは、キャリアのサブキャリア間隔が特定の値以上である場合に決定されるＴＡオフセットより大きい。
【０１５０】
可能な実装において、ＴＡＧ内のキャリアに対応するサブキャリア間隔は６０ｋＨｚ以下である、又はＴＡＧ内のキャリアに対応するサブキャリア間隔は６０ｋＨｚ以上である。代替的に、ＴＡＧ内の全てのキャリアのＴＡオフセットは別々に設定される。
【０１５１】
装置は、本願で提供されるアップリンク同期方法において、ネットワーク・デバイスにより実行されるステップを実現するように構成されてもよいことを理解すべきである。関連する機能については、前述の説明を参照されたい。詳細はここでは繰り返さない。
【０１５２】
本願において、ネットワーク・デバイスは前述の実施形態に基づいて機能モジュールに区分されることが可能である。例えば、種々の機能に対応する機能モジュールが区分けによって得られてもよいし、あるいは少なくとも２つの機能が１つの処理モジュールに統合されてもよい。統合されたモジュールは、ハードウェアの形式で実装されてもよいし、あるいはソフトウェア機能モジュールの形式で実装されてもよい。本願において、モジュールの区分けは一例であり、単なる論理な機能の区分けに過ぎないことに留意すべきである。実際の実装の際には別の区分け方法が使用されてもよい。
【０１５３】
本願において記憶することは、１つ以上のメモリに記憶することを意味する可能性がある。１つ以上のメモリは、別々に配置されてもよいし、あるいはエンコーダ又はデコーダ、プロセッサ、チップ、通信装置、又は端末に統合されてもよい。代替的に、１つ以上のうちの幾つかのメモリは別々に配置されてもよいし、１つ以上のうちの幾つかのメモリは、デコーダ、プロセッサ、チップ、通信装置、又は端末に統合されてもよい。メモリは任意の形式の記憶媒体であってもよい。これは本願において限定されない。
【０１５４】
本願の実施形態は通信装置を更に提供する。通信装置はプロセッサとメモリとを含む。メモリはコンピュータ・プログラムを記憶する。プロセッサがメモリに記憶されたコンピュータ・プログラムを読み出して実行する場合に、通信装置は、図４に示されるプロセスにおいて通信デバイスにより実行される方法、又は図５に示されるプロセスにおいてネットワーク・デバイスにより実行される方法を実現することが可能である。図８は、通信装置８００の概略構造図である。装置８００は、前述の方法の実施形態で説明される方法を実現するように構成されることが可能である。詳細については、前述の方法の実施形態における説明を参照されたい。通信装置８００は、チップ、基地局、端末、又は他のネットワーク・デバイスであってもよい。
【０１５５】
通信装置８００は１つ以上のプロセッサ８０１を含む。プロセッサ８０１は、汎用プロセッサ、専用プロセッサなどであってもよい。例えば、プロセッサ８０１は、ベースバンド・プロセッサ又は中央処理ユニットであってもよい。ベースバンド・プロセッサは、通信プロトコルと通信データとを処理するように構成されることが可能であり、中央処理ユニットは：通信装置（基地局、端末、又はチップなど）を制御し、ソフトウェア・プログラムを実行し、ソフトウェア・プログラムのデータを処理するように構成されることが可能である。
【０１５６】
可能な設計において、図６及び図７に示される１つ以上のモジュールは、１つ以上のプロセッサ、又は１つ以上のプロセッサ及びメモリを利用することによって実現されてもよい。
【０１５７】
可能な設計において、通信装置８００は１つ以上のプロセッサ８０１を含み、１つ以上のプロセッサ８０１は、前述のアップリンク同期方法を実現することが可能である。例えば、通信装置は基地局であってもよい。アップリンクＴＡリファレンス値及びＴＡオフセットの決定については、図４及び図５の関連する部分の説明を参照されたい。詳細はここでは繰り返さない。
【０１５８】
オプションとして、設計において、プロセッサ８０１は命令８０３（場合によっては、コード又はプログラムとも呼ばれる）を含んでもよい。命令は、通信装置８００が前述の実施形態で説明された方法を実行するように、プロセッサ上で動作することが可能である。別の可能な設計において、通信デバイス８００は回路を更に含む可能性があり、回路は、前述の実施形態におけるアップリンク同期機能を実現することが可能である。
【０１５９】
オプションとして、設計において、通信装置８００は１つ以上のメモリ８０２を含んでもよい。メモリ８０２は命令８０４を記憶し、命令は、通信装置８００が前述の方法の実施形態で説明された方法を実行するように、プロセッサ上で動作することが可能である。
【０１６０】
オプションとして、メモリは更にデータを格納することが可能である。オプションとして、プロセッサは、命令及び／又はデータを格納することも可能である。プロセッサ及びメモリは、別々に配置されてもよいし、あるいは一緒に統合されてもよい。
【０１６１】
オプションとして、前述の実施形態において「記憶すること」は、メモリ８０２に記憶すること、又は他の周辺メモリ又は記憶装置に記憶することを意味する可能性がある。
【０１６２】
オプションとして、通信装置８００は、トランシーバ８０５とアンテナ８０６とを更に含んでもよい。プロセッサ８０１は、処理ユニットと言及されてもよく、通信装置（端末又は基地局）を制御することができる。トランシーバ８０５は、トランシーバ・ユニット、トランシーバ、トランシーバ回路などと呼ばれ、アンテナ８０６を利用することにより通信装置の送信及び受信の機能を実現するように構成される。
【０１６３】
前述の装置の実施形態の具体的な実装は、方法の実施形態のものに対応する。装置の実施形態の具体的な実装及び有益な効果については、方法の実施形態の関連する説明を参照されたい。
【０１６４】
本願の実施形態はチップを更に提供する。チップはメモリに接続され、メモリはコンピュータ・プログラムを記憶し、チップは、メモリに記憶されたコンピュータ・プログラムを読み出して実行し、図４に示されるプロセスにおいて通信デバイスによって実行される方法、又は図５に示されるプロセスにおいてネットワーク・デバイスによって実行される方法を実現するように構成される。
【０１６５】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図４に示されるプロセスにおいて通信デバイスによって実行される方法を実現するために使用される。
【０１６６】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図５に示されるプロセスにおいてネットワーク・デバイスによって実行される方法を実現するために使用される。
【０１６７】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされ、本願の図４に示されるプロセスにおいて通信デバイスによって実行される方法を実現することができる。
【０１６８】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされて、本願の図５に示されるプロセスにおいてネットワーク・デバイスによって実行される方法を実現することができる。
【０１６９】
本願の実施形態は、更に、アップリンク同期方法を提供する。アップリンク同期法は、デュアル・コネクティビティ技術が導入される通信システムに適用可能である。デュアル・コネクティビティ技術では、複数の基地局が同時に端末に応対する。代替的に、アップリンク同期方法もまた、非理想的なバックホールの前提の下でキャリア・アグリゲーションに適用可能である。例えば、１つの端末が２つの基地局に接続されることが可能であり、それらはデータ通信のために非理想的なバックホールを介して接続される。典型的なシナリオは次のとおりである：１つの基地局がマクロ基地局であり、もう１つの基地局がスモール基地局、マイクロ基地局、又はピコ基地局である。例えば、マクロ基地局とスモール基地局は、標準的なＸ２インターフェースを介して接続される。図９は、デュアル・コネクティビティの制御プレーン・アーキテクチャ・トポロジーである。９０１は、マスター基地局ＭｅＮＢを表し、ＭｅＮＢはマクロ基地局であってもよく；９０２は、セカンダリ基地局ＳｅＮＢを表し、ＳｅＮＢは代替的にスモール基地局であってもよく；９０３は、コア・ネットワーク・デバイス、例えばモビリティ管理エンティティ（Ｍｏｂｉｌｉｔｙ  Ｍａｎａｇｅｍｅｎｔ  Ｅｎｔｉｔｙ，ＭＭＥ）を表す。端末、ＭｅＮＢ、及びＭＭＥの間のシグナリング接続は次のようであってもよい：例えば、端末は１つの無線リソース制御（ＲＲＣ）シグナリング（Ｒａｄｉｏ  Ｒｅｓｏｕｒｃｅ  Ｃｏｎｔｒｏｌ，ＲＲＣ）リンクと１つのＳ１シグナリング・リンクとを有する。ＳｅＮＢとＭｅＮＢは、Ｘ２インターフェース又は拡張Ｘ２インターフェースを介して接続される。
【０１７０】
キャリア・アグリゲーションは、図９のＭｅＮＢ及びＳｅＮＢの両方に設定されることが可能である。エボルブド・ユニバーサル地上無線アクセス・ネットワーク（Ｔｅｒｒｅｓｔｒｉａｌ  Ｒａｄｉｏ  Ａｃｃｅｓｓ  Ｎｅｔｗｏｒｋ，Ｅ−ＵＴＲＡＮ）−ニュー・ラジオ（ｎｅｗ  ｒａｄｉｏ，ＮＲ）デュアル接続モード（略称ＥＮ−ＤＣモード）において、ネットワークの発展段階を考慮して、現在デフォルトではＥ−ＵＴＲＡＮはマスター・セル・グループに対応し、ＮＲはセカンダリ・セル・グループに対応する。ＮＲはまた、新世代ネットワークとも呼ばれてもよい。現在サポートされているＥＮ−ＤＣバンド（ｂａｎｄｗｉｄｔｈ）の組み合わせは、以下のいずれかのバンドの組み合わせを含む：
【０１７１】
ＬＴＥ：例えばバンド３であり、ここで、ダウンリンク帯域幅は１８０５ＭＨｚ〜１８８０ＭＨｚである可能性があり、アップリンク帯域幅は１７１０ＭＨｚ〜１７８５ＭＨｚであり（これは、ＦＤＤバンド周波数分割複信帯域幅である）、アップリンク（ｕｐｌｉｎｋ，ＵＬ）キャリアを含む。
【０１７２】
ＮＲ：例えばバンド７８であり、ここで、アップリンクとダウンリンク帯域幅の両方が３３００ＭＨｚ〜３８００ＭＨｚである可能性がある。
【０１７３】
ＮＲ：例えばバンド８０であり、ここで、アップリンク帯域幅は１７１０ＭＨｚ〜１７８５ＭＨｚである可能性があり、補助アップリンク・キャリア（ｓｕｐｐｌｅｍｅｎｔａｒｙ  ｕｐｌｉｎｋ，ＳＵＬ）を含む。
【０１７４】
ＮＲ  ＳＵＬキャリアとＬＴＥ  ＵＬ（アップリンク）キャリアとは同じスペクトル・リソースを共有することを学ぶことができる。例えば、ＳＵＬキャリアに対応する１つの１．８ＧＬＴＥセル及び１つのＮＲセルはＥＮ−ＤＣを形成する。オプションとして、ＮＲ  ＳＵＬキャリアとＬＴＥ  ＵＬキャリアとが同じ動作周波数である場合、ＵＥはＬＴＥバンド３の１．８Ｇキャリア上で動作するだけでなく、ＮＲ  ＳＵＬバンド８０の１．８Ｇ  ＳＵＬキャリア上でも動作することが可能である。この場合、ＬＴＥ  ＵＬキャリア及びＮＲ  ＳＵＬキャリアは、ＴＤＭ時分割多重モード又はＦＤＭ周波数分割多重モードにおいて１．８Ｇアップリンク周波数ドメイン・リソースで多重化されることが可能である。図１０は、ＴＤＭ時分割多重化の例示的な図である。本発明のこの実施形態では、ＮＲ  ＳＵＬキャリア及びＮＲ  ＵＬキャリアは、１つのＴＡＧに属する可能性があり、ＮＲ  ＳＵＬキャリアのＴＡオフセットは、ＮＲ  ＵＬキャリアのＴＡオフセットに基づいて決定される。
【０１７５】
本発明のこの実施形態では、アップリンク・リソースは、アップリンク送信に使用されるキャリアの一部（非ＣＡシナリオのキャリア及びＣＡシナリオのＣＣを含む）又はアップリンク送信に使用されるサービング・セルの一部（ＣＡシナリオのサービング・セル及び非ＣＡシナリオのサービング・セルを含む）として理解されることが可能である。ＣＡシナリオにおけるＣＣは、プライマリＣＣ又はセカンダリＣＣである可能性があり、ＣＡシナリオにおけるサービング・セルは、プライマリ・セル（ｐｒｉｍａｒｙ  ｃｅｌｌ，ＰＣｅｌｌ）又はセカンダリ・セル（Ｓｅｃｏｎｄａｒｙ  ｃｅｌｌ，ＳＣｅｌｌ）である可能性がある。アップリンク・リソースは、アップリンク・キャリアと言及される可能性もある。相応して、ダウンリンク伝送に使用されるキャリア又はサービング・セルの一部は、ダウンリンク・リソース又はダウンリンク・キャリアとして理解されることが可能である。例えば、周波数分割複信（ＦＤＤ）において、キャリアでアップリンク送信に使用される周波数リソースは、アップリンク・リソース又はアップリンク・キャリアとして理解されることが可能であり、ダウンリンク送信に使用される周波数リソースは、ダウンリンク・リソース又はダウンリンク・キャリアとして理解されることが可能である。別の例として、時分割複信（ｔｉｍｅ  ｄｉｖｉｓｉｏｎ  ｄｕｐｌｅｘ，ＴＤＤ）システムにおいて、キャリアでアップリンク送信に使用される時間ドメイン・リソースは、アップリンク・リソース又はアップリンク・キャリアとして理解されることが可能であり、ダウンリンク送信に使用される時間ドメイン・リソースは、ダウンリンク・リソース又はダウンリンク・キャリアとして理解されることが可能である。
【０１７６】
ＬＴＥ及びＮＲにおいて、セルは上位レイヤの概念であり、キャリアは物理レイヤの概念であることは指摘されるべきである。セルとキャリアとの間には対応がある。例えば、ＬＴＥでは、１つのセルは、１対のアップリンク及びダウンリンク・キャリア、又は唯１つのダウンリンク・キャリアを含むように設定されることが可能である。ＮＲにおいて、１つのセルは、１対のアップリンク及びダウンリンク・キャリア、又は唯１つのダウンリンク・キャリア、又は１つのダウンリンク・キャリア、１つのアップリンク・キャリア、及び１つの補助アップリンク・キャリア（ＳＵＬ）を含むように設定されてもよい。キャリアとセルとの間の対応関係に起因して、１つのキャリアは１つのセルのみに対応し、いったんセルが設定されると、対応するキャリアを見出すことが可能であり、あるいはいったんキャリアが設定されると、対応するセルを見出すことが可能である。従って、セルとキャリアは、本発明において互いに厳密には区別されず、混同が生じない場合には可換に使用されることが可能である。
【０１７７】
前述のＥＮ−ＤＣのシナリオでは、ＬＴＥ  ＦＤＤキャリアに対応するＮＴＡ−ｏｆｆｓｅｔ１は０であるので、ＵＥによって調整されるＬＴＥ  ＵＬキャリアのタイミング・アドバンスは、ＴＡリファレンス値、即ちＮＴＡ１＝ＴＡ１＋ＮＴＡ−ｏｆｆｓｅｔ１に基づいて決定されることが可能である。しかしながら、ＮＲ３．５Ｇ  ＴＤＤキャリアのＮＴＡ−ｏｆｆｓｅｔ２は１３μｓであり、ＵＥによって調整されるＳＵＬキャリアのタイミング・アドバンスは、ＴＡリファレンス値及びＴＡオフセット、即ちＮＴＡ２＝ＴＡ２＋ＮＴＡ−ｏｆｆｓｅｔ２に基づいて決定されることが可能である。ＮＲ  ＳＵＬキャリアとＬＴＥ  ＵＬキャリアは、ＬＴＥ  ＵＬの時間−周波リソースを共有するので、時間ドメインにおける直交性を保証するために、ＬＴＥ  ＵＬキャリアのタイミング・アドバンスは、ＮＲ  ＳＵＬキャリアのタイミング・アドバンス、即ち、ＴＡ１＋ＮＴＡ−ｏｆｆｓｅｔ１＝ＴＡ２＋ＮＴＡ−ｏｆｆｓｅｔ２に等しいことを必要とする。ここで、ＬＴＥはＦＤＤキャリアを使用し、即ちＮＴＡ−ｏｆｆｓｅｔ１＝０である一方、ＬＴＥネットワーク及びＮＲネットワークにより送信されるＴＡリファレンス値ＴＡ１及びＴＡ２はともに０以上である。従って、２つのＴＡ調整値が等しいことを保証するために、ＬＴＥ  ＵＬキャリアのＴＡ１はＳＵＬキャリアのＴＡオフセット以上、即ちＴＡ１≧ＮＴＡ−ｏｆｆｓｅｔ２であることが少なくとも保証されることを必要とする。ＵＥにより受信されるＬＴＥ  ＵＬキャリアのＴＡコマンドは、取得したＴＡ１がＳＵＬキャリアのＴＡオフセット以上であることを前提とする。本発明のこの実施形態では、オプションとして、ＬＴＥの場合において、受信したＴＡ１がＮＴＡ−ｏｆｆｓｅｔ２以上であると判断した場合、ＵＥは、アップリンク同期を実現するために、ＬＴＥ  ＵＬキャリアと同じ周波数のＳＵＬセルをＰＳＣｅｌｌとして追加することができる。ＮＲの場合において、受信したＴＡ２がＮＴＡ−ｏｆｆｓｅｔ１−ＮＴＡ−ｏｆｆｓｅｔ２以上であると判断した場合、ＵＥは、アップリンク同期を実現するために、ＬＴＥ  ＵＬキャリアと同じ周波数のＳＵＬセルをＰＳＣｅｌｌとして追加する。
【０１７８】
以上の理由から、本願の実施形態は、図１１に示すように、アップリンク同期方法の概略フローチャートを提供する。
【０１７９】
ステップ１１０１：第１ネットワーク・デバイスが、リクエストを第２ネットワーク・デバイスへ送信する。
【０１８０】
このステップでは、第１ネットワーク・デバイスは、第２ネットワーク・デバイスから上記の情報を取得するために、第２ＴＡＧ内の第２アップリンク・キャリアの第２ＴＡオフセット及び／又は第２ＴＡリファレンス値を、第２ネットワーク・デバイスから要求することができる。
【０１８１】
ステップ１１０２：第１ネットワーク・デバイスが、第２ＴＡＧ内の第２アップリンク・キャリアの第２ＴＡオフセットと第２ＴＡリファレンス値とに基づいて、第１ＴＡＧ内の第１アップリンク・キャリアの第１ＴＡリファレンス値を決定する。
【０１８２】
ステップ１１０３：第１ネットワーク・デバイスが、第１ＴＡリファレンス値を含むタイミング・アドバンス・コマンドを通信デバイスに送信する。
【０１８３】
前述のステップにおいて、第１ＴＡＧは第１通信規格の第１ネットワーク・デバイスに対応し、第２ＴＡＧは第２通信規格の第２ネットワーク・デバイスに対応する。第２ＴＡオフセットは、予め定義された固定値であってもよい。この場合、第１ネットワーク・デバイスは、第２ネットワーク・デバイスから第２ＴＡオフセットを要求しないかもしれない。例えば、ＥＮ−ＤＣシナリオにおいて、第１通信規格はＬＴＥであってもよく、第２通信規格はＮＲである；又は第１通信規格はＮＲであってもよく、第２通信規格はＬＴＥである。
【０１８４】
以下、２つのシナリオを別々に説明する。
【０１８５】
シナリオ１
【０１８６】
第１通信規格がＬＴＥであり、第２通信規格がＮＲである場合、第１ネットワーク・デバイスはＬＴＥ基地局である可能性があり、第２ネットワーク・デバイスはＮＲ基地局である可能性があり、第１アップリンク・キャリアはＬＴＥ  ＵＬキャリアである可能性があり、第２アップリンク・キャリアはＮＲ  ＳＵＬキャリアである可能性がある。このシナリオでは、ＬＴＥ基地局は、ＮＲ基地局から、ＮＲ  ＳＵＬキャリアのＴＡオフセットとＴＡリファレンス値とを取得し、ＮＲ  ＳＵＬキャリアのＴＡオフセットとＴＡリファレンス値とに基づいてＬＴＥ  ＵＬキャリアのＴＡリファレンス値を決定する。ＬＴＥ基地局は、決定されたＴＡリファレンス値を、タイミング・アドバンス・コマンド（ｔｉｍｉｎｇ  ａｄｖａｎｃｅ  ｃｏｍｍａｎｄ，ＴＡＣ）を利用することにより、通信デバイスに送信することが可能であり、通信デバイスは、ＵＬキャリアのＴＡリファレンス値とＵＬキャリアのＴＡオフセットとに基づいて、ＵＬキャリアのアップリンク送信タイミングを調整する。
【０１８７】
例えば、ＮＲアップリンク・タイミング・アドバンスについては、ＮＴＡ２＝ＴＡ２＋ＮＴＡ−ｏｆｆｓｅｔ２であり、ここで、ＴＡ２は図１１の第２ＴＡリファレンス値を表し、ＮＴＡ−ｏｆｆｓｅｔ２は図１１の第２ＴＡオフセットを表す。ＬＴＥアップリンク・タイミング・アドバンスについては、ＮＴＡ１＝ＴＡ１＋ＮＴＡ−ｏｆｆｓｅｔ１であり、ここで、ＴＡ１は図１１の第１ＴＡリファレンス値を表し、ＮＴＡ−ｏｆｆｓｅｔ１は図１１の第１ＴＡオフセットを表す。従って、アップリンク同期を実現するために、ＮＴＡ２はＮＴＡ１に等しいことを必要とし、ＬＴＥ基地局は、ＮＲ基地局のＴＡ２とＮＴＡ−ｏｆｆｓｅｔ２とをＮＲ基地局から取得することを必要とする。
【０１８８】
可能な実装において、ＬＴＥ基地局は、ＴＡ１が、少なくともＮＲ基地局のＮＴＡ−ｏｆｆｓｅｔ２とＬＴＥ基地局のＮＴＡ−ｏｆｆｓｅｔ１との間の差分より少なくとも大きいか又は等しいことを判定する。例えば、ＴＡ１はＴＡ２＋ＮＴＡ−ｏｆｆｓｅｔ２−ＮＴＡ−ｏｆｆｓｅｔ１に等しい。
【０１８９】
別の可能な実装において、第１アップリンク・キャリアがＦＤＤキャリアである場合、通常、ＮＴＡ−ｏｆｆｓｅｔ１は０に等しく、ＬＴＥ基地局によって配信されるＴＡ１は、ＮＲ基地局のＮＴＡ−ｏｆｆｓｅｔ２より少なくとも大きいか又は等しい。ＮＲ基地局のＳＵＬキャリアのＮＴＡ−ｏｆｆｓｅｔ２は、通常、ＳＵＬキャリアと同じサービング・セルに対応するＮＲ  ＵＬキャリアのＴＡオフセットに等しいことに留意すべきである。
【０１９０】
更に別の可能な実装において、ＬＴＥ  ＵＬキャリアが属するＴＡＧが更に少なくとも１つのＬＴＥ  ＴＤＤキャリアを有する場合、ＴＡＧは第２ネットワーク・デバイスに対応する第２ＴＡＧであり、ＬＴＥ  ＵＬキャリアのＮＴＡ−ｏｆｆｓｅｔ１は０からＬＴＥ  ＴＤＤキャリアのＴＡオフセットに等しい値に変化する。この場合、ＴＡ１は、少なくとも、ＮＲ基地局のＮＴＡ−ｏｆｆｓｅｔ２とＬＴＥ基地局のＮＴＡ−ｏｆｆｓｅｔ１との間の差分以上である。
【０１９１】
シナリオ２
【０１９２】
第１通信規格がＮＲであり、第２通信規格がＬＴＥである場合、第１ネットワーク・デバイスはＮＲ基地局である可能性があり、第２ネットワーク・デバイスはＬＴＥ基地局である可能性があり、第１アップリンク・キャリアはＮＲ  ＳＵＬキャリアである可能性があり、第２のアップリンク・キャリアはＬＴＥ  ＵＬキャリアである可能性がある。この場合、第１アップリンク・キャリア及び第２アップリンク・キャリアは、イントラ周波数キャリアであってもよい。このシナリオでは、ＮＲ基地局は、ＬＴＥ基地局から、ＬＴＥ  ＵＬキャリアのＴＡオフセットとＴＡリファレンス値とを取得し、ＬＴＥ  ＵＬキャリアのＴＡオフセットとＴＡリファレンス値とに基づいてＮＲ  ＳＵＬキャリアのＴＡリファレンス値を決定し、ここで、ＴＡオフセットはプロトコルで予め定められていてもよい。ＮＲ基地局は、ＴＡＣを利用することにより、決定したＴＡリファレンス値を通信デバイスに配信することができる。このように、通信デバイスは、ＳＵＬキャリアのＴＡリファレンス値とＳＵＬキャリアのＴＡオフセットとに基づいて、ＳＵＬキャリアのアップリンク送信タイミングを調整することができる。
【０１９３】
例えば、ＮＲアップリンク・タイミング・アドバンスについては、ＮＴＡ２＝ＴＡ２＋ＮＴＡ−ｏｆｆｓｅｔ２であり、ここで、ＴＡ２は図１１の第１ＴＡリファレンス値を表し、ＮＴＡ−ｏｆｆｓｅｔ２は図１１の第１オフセットを表す。ＬＴＥアップリンク・タイミング・アドバンスについては、ＮＴＡ１＝ＴＡ１＋ＮＴＡ−ｏｆｆｓｅｔ１であり、ここで、ＴＡ１は図１１の第２ＴＡリファレンス値を表し、ＮＴＡ−ｏｆｆｓｅｔ１は図１１の第２ＴＡオフセットを表す。従って、アップリンク同期を実現するために、ＮＴＡ２はＮＴＡ１と等しいことを必要とする。可能な実装において、ＮＲ基地局は、ＬＴＥ基地局と相互作用し、ＬＴＥ基地局のＴＡ１及びＮＴＡ−ｏｆｆｓｅｔ１を積極的に取得し、ＴＡ２が、ＬＴＥ基地局のＮＴＡ−ｏｆｆｓｅｔ１とＮＲ基地局のＮＴＡ−ｏｆｆｓｅｔ２との間の差分以上であることを判定する。例えば、ＴＡ２はＴＡ１＋ＮＴＡ−ｏｆｆｓｅｔ１−ＮＴＡ−ｏｆｆｓｅｔ２に等しい。
【０１９４】
可能な実装において、第１アップリンク・キャリア、即ちＮＲ  ＳＵＬキャリアのＮＴＡ−ｏｆｆｓｅｔ２は、通常、ＳＵＬキャリアと同じサービング・セルに対応するＮＲ  ＵＬキャリアのＴＡオフセットに等しい。第２アップリンク・キャリア、即ちＬＴＥ  ＵＬキャリアは、通常、ＦＤＤキャリアである。従って、ＮＴＡ−ｏｆｆｓｅｔ１は通常０に等しく、ＬＴＥ基地局により配信されるＴＡ１は、ＮＲ基地局のＮＴＡ−ｏｆｆｓｅｔ２以上である。
【０１９５】
可能な実装において、ＬＴＥ  ＵＬキャリアが属するＴＡＧが更に少なくとも１つのＬＴＥ  ＴＤＤキャリアを有する場合、ＴＡＧは第２ネットワーク・デバイスに対応する第２ＴＡＧであり、ＴＡＧはｓＴＡＧ又はｐＴＡＧである可能性があり、ＬＴＥ  ＵＬキャリアのＮＴＡ−ｏｆｆｓｅｔ１は０からＬＴＥ  ＴＤＤキャリアのＴＡオフセットに等しい値に変化する。例えば、ＴＡ２は、ＬＴＥ基地局のＮＴＡ−ｏｆｆｓｅｔ１とＮＲ基地局のＮＴＡ−ｏｆｆｓｅｔ２との間の差分以上である。
【０１９６】
図１１の第１アップリンク・キャリア及び第２アップリンク・キャリアは、イントラ周波数キャリアであってもよいし、あるいは別の周波数ドメイン関係を充足するキャリアであってもよいことに留意すべきである。これは、本願のこの実施態様において特に限定されない。
【０１９７】
更に、本願の実施形態は、図１２に示すように、通信デバイス側からのアップリンク同期方法の概略フローチャートを更に提供する。
【０１９８】
ステップ１２０１：通信デバイスが、第１ネットワークにより送信されたタイミング・アドバンス・コマンドを受信する。
【０１９９】
ステップ１２０２：通信デバイスが、タイミング・アドバンス・コマンドにおける第１ＴＡリファレンス値に基づいて、第１アップリンク・キャリアのアップリンク送信タイミングを調整する。
【０２００】
本発明のこの実施形態では、通信デバイスはデュアル・コネクティビティ・モードで動作する。デュアル接続モードでは、通信デバイスは、第１ＴＡＧ内の第１アップリンク・キャリアに対応するセルと、第２ＴＡＧ内の第２アップリンク・キャリアに対応するセルとの両方への接続を確立することができる。
【０２０１】
オプションとして、通信デバイスは、タイミング・アドバンス・コマンドにおける第１ＴＡリファレンス値と、第１アップリンク・キャリアの第１ＴＡオフセットとに基づいて、第１アップリンク・キャリアのアップリンク送信タイミングを調整する。第１ＴＡオフセットはプロトコルで予め定められていてもよい。
【０２０２】
更に、第１ＴＡＧは第１通信規格の第１ネットワーク・デバイスに対応し、第２ＴＡＧは第２通信規格の第２ネットワーク・デバイスに対応する。例えば、ＥＮ−ＤＣシナリオでは、第１通信規格はＬＴＥである可能性があり、第２通信規格はＮＲであり；あるいは第１通信規格はＮＲである可能性があり、第２通信規格はＬＴＥである。
【０２０３】
以下、２つのシナリオを別々に説明する。
【０２０４】
シナリオ１
【０２０５】
第１通信規格がＬＴＥであり、第２通信規格がＮＲである場合、第１ネットワーク・デバイスはＬＴＥ基地局である可能性があり、第２ネットワーク・デバイスはＮＲ基地局である可能性があり、第１アップリンク・キャリアはＬＴＥ  ＵＬキャリアであり、第２アップリンク・キャリアはＮＲ  ＳＵＬキャリアである。このシナリオでは、通信デバイスは、ＬＴＥ基地局からＴＡＣコマンドを受信し、ＬＴＥ基地局は、ＮＲ基地局と相互作用した後に、ＬＴＥ  ＵＬキャリアのＴＡリファレンス値を決定する。可能な実装において、ＴＡリファレンス値は、ＳＵＬキャリアのＴＡオフセットとＬＴＥ基地局のＵＬキャリアのＴＡオフセットとの間の差分以上である。このように、ＬＴＥ  ＵＬキャリアのＴＡオフセットを受信した後に、通信デバイスは、ＵＬキャリアのＴＡリファレンス値がＳＵＬキャリアのＴＡオフセット以上であることを判定する。その後、アップリンク同期調整を実行することができる。
【０２０６】
可能な実装において、ＬＴＥ  ＵＬキャリアがＦＤＤキャリアである場合、ＬＴＥ  ＵＬキャリアのＴＡオフセットは０に等しい。ＮＲ  ＳＵＬキャリアのＴＡオフセットが１３μｓであると仮定すると、通信デバイスが、ＵＬキャリアのＴＡリファレンス値が１３μｓ以上であると判断した場合に、アップリンク同期調整を実行することが可能である。
【０２０７】
図１２の第１アップリンク・キャリア及び第２アップリンク・キャリアは、イントラ周波数キャリアであってもよいし、あるいは別の周波数ドメイン関係を充足するキャリアであってもよいことに留意すべきである。これは、本願のこの実施態様において特に限定されない。
【０２０８】
シナリオ２
【０２０９】
第１通信規格がＮＲであり、第２通信規格がＬＴＥである場合、第１ネットワーク・デバイスはＮＲ基地局である可能性があり、第２ネットワーク・デバイスはＬＴＥ基地局である可能性があり、第１アップリンク・キャリアはＮＲ  ＳＵＬキャリアであり、第２アップリンク・キャリアはＬＴＥ  ＵＬキャリアである。このシナリオでは、通信デバイスは、ＮＲ基地局からＴＡＣコマンドを受信する。ＮＲ基地局は、ＬＴＥ基地局と相互作用した後、ＮＲ  ＳＵＬキャリアのＴＡリファレンス値を決定するので、通信デバイスは、ＴＡリファレンス値を受信した後、アップリンク同期を実現することができる。
【０２１０】
可能な実装において、ＴＡリファレンス値は、ＵＬキャリアのＴＡオフセットとＮＲ基地局のＳＵＬキャリアのＴＡオフセットとの間の差分以上である。この場合、ＮＲ  ＳＵＬキャリアのＴＡオフセットを受信した後、通信デバイスは、ＳＵＬキャリアのＴＡリファレンス値がＵＬキャリアのＴＡオフセットとＮＲ基地局のＵＬキャリアのＴＡオフセットとの間の差異以上であることを判定する。その後、アップリンク同期調整を実行することが可能である。
【０２１１】
可能な実装において、ＮＲ  ＳＵＬキャリアのＴＡオフセットは、ＮＲ  ＳＵＬキャリアと同じサービング・セルに対応するＮＲ  ＵＬキャリアのＴＡオフセットに基づいて決定される。ＮＲ  ＵＬのＴＡオフセットが１３μｓであると仮定すると、ＬＴＥ  ＵＬキャリアが属するＴＡＧが更に少なくとも１つのＬＴＥ  ＴＤＤキャリアを有し、ＴＡＧが第２ネットワーク・デバイスに対応する第２ＴＡＧである場合、ＴＡＧはｓＴＡＧ又はｐＴＡＧである可能性があり、ＬＴＥ  ＵＬキャリアのＮＴＡ−ｏｆｆｓｅｔ１は、０からＬＴＥ  ＴＤＤキャリアのＴＡオフセットに等しい値に変化する。ＬＴＥ  ＴＤＤキャリアのＴＡオフセットが２０μｓであると仮定すると、ＮＲ基地局により通信デバイスへ配信されるＴＡリファレンス値は、２０μｓ−１３μｓ＝７μｓ以上である。
【０２１２】
第１ネットワーク・デバイスによって実行される前述のアップリンク同期方法のために、本願の実施形態は装置を提供する。装置によって実行される具体的な内容については、図１１に示される方法の実施形態を参照されたい。図１３は、本願による装置の概略構造図である。装置は、送信ユニット１３０１と処理ユニット１３０２とを含む。本願の実施形態において、これらのユニットは、図１１の実施形態における第１ネットワーク・デバイスの対応する機能を実行することができる。詳細については、実施形態の詳細な説明を参照されたい。詳細はここでは繰り返さない。
【０２１３】
通信デバイスにより実行される前述のアップリンク同期方法に関し、本願は装置を提供する。装置によって実行される具体的な内容については、前述の方法の実施形態を参照されたい。図１４は、本願による装置の概略構造図である。装置は、受信ユニット１４０１と処理ユニット１４０２とを含む。本願の実施形態において、これらのユニットは、図１２の実施形態における通信デバイスの対応する機能を実行することができる。詳細については、実施形態の詳細な説明を参照されたい。詳細はここで繰り返さない。
【０２１４】
本願の実施形態は通信デバイスを更に提供する。通信装置はプロセッサとメモリとを含む。メモリはコンピュータ・プログラムを記憶する。プロセッサがメモリに記憶されたコンピュータ・プログラムを読み出して実行すると、通信装置は、図１１に示されるプロセスにおいて第１ネットワーク・デバイスによって実行される方法、又は図１２に示されるプロセスにおいて通信デバイスによって実行される方法を実現することができる。図１５は、通信装置１５００の概略構造図である。装置１５００は、前述の方法の実施形態に記載される方法を実現するように構成されることが可能である。詳細については、前述の方法の実施形態の説明を参照されたい。通信デバイス１５００は、チップ、基地局、端末、又は他のネットワーク・デバイスであってもよい。
【０２１５】
通信デバイス１５００は、１つ以上のプロセッサ１５０１を含む。プロセッサ１５０１は、汎用プロセッサ、専用プロセッサなどであってもよい。例えば、プロセッサ１５０１は、ベースバンド・プロセッサ又は中央処理ユニットであってもよい。ベースバンド・プロセッサは、通信プロトコル及び通信データを処理するように構成されることが可能であり、中央処理ユニットは：通信装置（基地局、端末、又はチップなど）を制御し、ソフトウェア・プログラムを実行し、ソフトウェア・プログラムのデータを処理するように構成されることが可能である。
【０２１６】
可能な設計において、図１３及び図１４に示される１つ以上のユニットは、１つ以上のプロセッサ、又は１つ以上のプロセッサ及びメモリを使用することにより実現されてもよい。
【０２１７】
可能な設計において、通信装置１５００は１つ以上のプロセッサ１５０１を含み、１つ以上のプロセッサ１５０１は、前述のアップリンク同期方法を実現することができる。例えば、通信装置は基地局であってもよい。アップリンク・タイミング・アドバンス・リファレンス値及びタイミング・アドバンス・オフセットの決定については、図１１及び図１２の関連する部分の説明を参照されたい。詳細はここでは繰り返さない。
【０２１８】
オプションとして、設計において、プロセッサ１５０１は命令１５０３（場合によってはコード又はプログラムとも呼ばれてもよい）を含む可能性がある。命令は、通信装置１５００が前述の実施形態で説明された方法を実行するように、プロセッサ上で動作することが可能である。別の可能な設計において、通信装置１５００は、回路を更に含む可能性があり、回路は、前述の実施形態においてアップリンク同期機能を実現する可能性がある。
【０２１９】
オプションとして、設計において、通信デバイス１５００は１つ以上のメモリ１５０２を含む可能性がある。メモリ１５０２は命令１５０４を記憶し、命令は、通信装置１５００が前述の方法の実施形態で説明された方法を実行するように、プロセッサ上で動作することが可能である。
【０２２０】
オプションとして、メモリは更にデータを格納することが可能である。オプションとして、プロセッサは、命令及び／又はデータを格納することも可能である。プロセッサ及びメモリは、別々に配置されてもよいし、あるいは一緒に統合されてもよい。
【０２２１】
オプションとして、前述の実施形態において「記憶すること」は、メモリ１５０２に記憶することを意味してもよいし、又は他の周辺メモリ又は記憶装置に記憶することを意味してもよい。
【０２２２】
オプションとして、通信装置１５００は、トランシーバ１５０５とアンテナ１５０６とを更に含んでもよい。プロセッサ１５０１は、処理ユニットと言及されてもよく、通信装置（端末又は基地局）を制御することができる。トランシーバ１５０５は、トランシーバ・ユニット、トランシーバ、トランシーバ回路などと呼ばれ、アンテナ１５０６を利用することにより通信装置の送信及び受信の機能を実現するように構成される。
【０２２３】
前述の装置の実施形態の具体的な実装は、方法の実施形態のものに対応する。装置の実施形態の具体的な実装及び有益な効果については、方法の実施形態の関連する説明を参照されたい。
【０２２４】
本願の実施形態はチップを更に提供する。チップはメモリに接続され、メモリはコンピュータ・プログラムを記憶し、チップは、メモリに記憶されたコンピュータ・プログラムを読み出して実行し、図１１に示されるプロセスにおいて第１ネットワーク・デバイスによって実行される方法、又は図１２に示されるプロセスにおいて通信デバイスによって実行される方法を実現するように構成される。
【０２２５】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図１１に示されるプロセスにおいて第１ネットワーク・デバイスによって実行される方法を実現するために使用される。
【０２２６】
本願の実施形態はコンピュータ記憶媒体を更に提供する。コンピュータ記憶媒体はプログラム・コードを記憶する。記憶されたプログラム・コードがプロセッサによって実行されると、プログラム・コードは、本願の図１２に示されるプロセスにおいて通信デバイスによって実行される方法を実現するために使用される。
【０２２７】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされ、本願の図１１に示されるプロセスにおいて第１ネットワーク・デバイスによって実行される方法を実現することができる。
【０２２８】
本願の実施形態はコンピュータ・プログラム・プロダクトを更に提供する。コンピュータ・プログラム・プロダクトはコンピュータ・ソフトウェア命令を含み、コンピュータ・ソフトウェア命令は、プロセッサによってロードされて、本願の図１２に示されるプロセスにおいて通信デバイスによって実行される方法を実現することができる。
【０２２９】
本願は実施形態に関連して説明されるが、保護を請求する本願を実施するプロセスにおいて、当業者は、添付図面、開示内容、及び添付の請求項を参照することによって、開示された実施形態の別の変形を理解し及び実施する可能性がある。特許請求の範囲において、「含む（ｃｏｍｐｒｉｓｉｎｇ）」は、別の構成要素又は別の工程を除外せず、「ある」又は「いずれかの」は、複数の場合を除外しない。単一のプロセッサ又は他のユニットは、特許請求の範囲に列挙される幾つかの機能を実現することができる。幾つかの手段は、互いに異なる従属請求項に記録されるが、これは、これらの手段がより良い効果を生み出すように組み合わせることができないことを意味しない。
【０２３０】
本願の実施形態は、方法、装置（デバイス）、又はコンピュータ・プログラム・プロダクトとして提供されてもよいことを、当業者は理解するはずである。従って、本願は、ハードウェアのみの実施形態、ソフトウェアのみの実施形態、又はソフトウェアとハードウェアの組み合わせによる実施形態の形態を使用することができる。これらはまとめて「モジュール」又は「システム」と言及される。更に、本願は、コンピュータで利用可能なプログラム・コードを含む、１つ以上のコンピュータ利用可能記憶媒体（ディスク・メモリ、ＣＤ−ＲＯＭ、光メモリなどを含むが、これらに限定されない）において実装されるコンピュータ・プログラム・プロダクトの形態を使用することができる。コンピュータ・プログラムは、適切な媒体に記憶／配信され、他のハードウェアと一緒にハードウェアの一部として提供又は使用され、例えば、インターネット又は他の有線若しくは無線通信システムを使用することによって、他の配信形態を使用することができる。
【０２３１】
本願は、本願の実施態様による方法、装置（デバイス）及びコンピュータ・プログラム・プロダクトのフローチャート及び／又はブロック図に関連して説明される。コンピュータ・プログラム命令は、フローチャート及び／又はブロック図における各プロセス及び／又は各ブロック、並びに、フローチャート及び／又はブロック図におけるプロセス及び／又はブロックの組み合わせを実現するために使用されてもよいことが理解されるべきである。これらのコンピュータ・プログラム命令は、汎用コンピュータ、専用コンピュータ、内蔵プロセッサ、又は他の任意のプログラマブル・データ処理デバイスに提供されることが可能であり、その結果、コンピュータ又は任意の他のプログラマブル・データ処理デバイスのプロセッサによって実行される命令は、フローチャートの１つ以上のプロセス及び／又はブロック図の１つ以上のブロックにおける特定の機能を実現するための装置を生成するように、マシンを生成する。
【０２３２】
これらのコンピュータ・プログラム命令は、特定の方法で動作するようにコンピュータ又は他の任意のプログラマブル・データ処理デバイスに命令することが可能なコンピュータ読み取り可能なメモリに格納されてもよく、その結果、コンピュータ読み取り可能なメモリに格納される命令は、命令装置を含む人工産物を生成する。命令装置は、フローチャートの１つ以上のプロセス及び／又はブロック図の１つ以上のブロックにおける特定の機能を実現する。
【０２３３】
これらのコンピュータ・プログラム命令はまた、コンピュータ又は別のプログラマブル・データ処理デバイスにロードされる可能性があり、その結果、一連の動作及びステップがコンピュータ又は別のプログラマブル・デバイスで実行され、それによって、コンピュータで実行される処理を生成する。従って、コンピュータ又は別のプログラマブル・デバイスで実行される命令は、フローチャートの１つ以上のプロセス及び／又はブロック図の１つ以上のブロックにおける特定の機能を実現するためのステップを提供する。
【０２３４】
本願は、特定の特徴及びその実施態様に関連して説明されるが、明らかに、様々な修正及び組み合わせが、本願の精神及び範囲から逸脱することなく、それらに対してなされる可能性がある。相応して、明細書及び添付図面は、添付の特許請求の範囲によって定義される本願の単なる例示的な説明であり、この出願の範囲をカバーする修正、変形、組み合わせ又は均等物のうちの何れか又は全てと考えられる。明らかに、当業者は、本願の精神及び範囲から逸脱することなく、本願に種々の修正及び変更を行うことが可能である。このように、本願は、以下の特許請求の範囲及びそれらの均等な技術によって定義される保護範囲内に該当することを条件として、本願のこれらの修正及び変形をカバーするように意図されている。
【国際調査報告】
2021517442.tif 000032
2021517442.tif 000033
2021517442.tif 000034
2021517442.tif 000035